(57)【特許請求の範囲】
【請求項１】
基地局におけるワイヤレス通信のための方法であって、
共有無線周波数スペクトル帯域の共有チャネルへのアクセスを求めて競合することと、ここにおいて、
前記共有チャネルへのアクセスを求めて競合することが、いくつかのリッスンビフォアトーク（ＬＢＴ）フレームの各々について行われ、
第１のＬＢＴフレームの間前記共有チャネルへのアクセスに勝ち、
前記第１のＬＢＴフレームが第１のコンポーネントキャリア（ＣＣ）ＬＢＴフレームを備える、
前記共有チャネル中で第１のＣＣ通信ウィンドウと第２のＣＣ通信ウィンドウとを多重化することと、前記第１のＣＣ通信ウィンドウの直交周波数領域多重化（ＯＦＤＭ）シンボルの持続時間が前記第２のＣＣ通信ウィンドウのＯＦＤＭシンボルの持続時間とは異なり、前記多重化することが、前記共有チャネルへのアクセスを求める競合に勝つことに伴って前記共有チャネル上で行われ、ここにおいて、前記多重化することが、前記共有チャネル中で前記第１のＣＣ通信ウィンドウと前記第２のＣＣ通信ウィンドウとを時分割多重化することを備える、
前記第１のＣＣ  ＬＢＴフレーム中で、第１のＣＣプリアンブルと第１のＣＣ制御／データ部分とを送信することと
を備える、方法。
【請求項２】
前記時分割多重化することが、ＬＢＴフレームレベルにおいて行われる、請求項１に記載の方法。
【請求項３】
ＬＢＴフレームの制御チャネル中で前記第１のＣＣ通信ウィンドウと前記第２のＣＣ通信ウィンドウとの間の区分をシグナリングすること
をさらに備える、請求項１に記載の方法。
【請求項４】
第１のＣＣ通信のためのリソースの第１の許可を第１のＣＣ対応ユーザ機器（ＵＥ）に送信すること
をさらに備える、請求項１に記載の方法。
【請求項５】
第２のＣＣ通信のためのリソースの第２の許可を第２のＣＣ対応ＵＥに送信すること
をさらに備える、請求項４に記載の方法。
【請求項６】
前記方法が、
前記第１のＣＣ  ＬＢＴフレーム中で、第２のＣＣプリアンブルを送信すること
をさらに備える、請求項１に記載の方法。
【請求項７】
前記第２のＣＣプリアンブル中でＷｉ−Ｆｉプリアンブルを送信すること
をさらに備える、請求項６に記載の方法。
【請求項８】
前記第１のＣＣプリアンブル中でＷｉ−Ｆｉプリアンブルを送信すること
をさらに備える、請求項１に記載の方法。
【請求項９】
複数の発見時間期間の各々中で第１のＣＣ発見基準信号（ＤＲＳ）と第２のＣＣ  ＤＲＳとをブロードキャストすること
をさらに備える、請求項１に記載の方法。
【請求項１０】
複数の第１のＣＣ発見時間期間の各々中で第１のＣＣ発見基準信号（ＤＲＳ）をブロードキャストすることと、
複数の第２のＣＣ発見時間期間の各々中で第２のＣＣ  ＤＲＳをブロードキャストすることと
をさらに備える、請求項１に記載の方法。
【請求項１１】
複数の発見時間期間の各々中で第１のＣＣ発見基準信号（ＤＲＳ）または第２のＣＣ  ＤＲＳをブロードキャストすること
をさらに備える、請求項１に記載の方法。
【請求項１２】
前記第１のＣＣ通信ウィンドウが少なくとも１つの拡張コンポーネントキャリア（ｅＣＣ）を備え、前記第２のＣＣ通信ウィンドウが少なくとも１つの非ｅＣＣを備える、請求項１に記載の方法。
【請求項１３】
基地局におけるワイヤレス通信のための方法であって、
共有無線周波数スペクトル帯域の共有チャネルへのアクセスを求めて競合することと、ここにおいて、
前記共有チャネルへのアクセスを求めて競合することが、いくつかのリッスンビフォアトーク（ＬＢＴ）フレームの各々について行われ、
第１のＬＢＴフレームの間前記共有チャネルへのアクセスに勝ち、
前記第１のＬＢＴフレームが第１のコンポーネントキャリア（ＣＣ）ＬＢＴフレームを備える、
前記共有チャネル中で第１のＣＣ通信ウィンドウと第２のＣＣ通信ウィンドウとを多重化することと、前記第１のＣＣ通信ウィンドウの直交周波数領域多重化（ＯＦＤＭ）シンボルの持続時間が前記第２のＣＣ通信ウィンドウのＯＦＤＭシンボルの持続時間とは異なり、前記多重化することが、前記共有チャネルへのアクセスを求める競合に勝つことに伴って前記共有チャネル上で行われ、ここにおいて、前記多重化することが、前記共有チャネル中で前記第１のＣＣ通信ウィンドウと前記第２のＣＣ通信ウィンドウとを時分割多重化することを備える、
前記第１のＣＣ  ＬＢＴフレーム中で、第１のＣＣプリアンブルなしに、第２のＣＣプリアンブルと第１のＣＣ制御／データ部分とを送信することと
を備える、方法。
【請求項１４】
前記第２のＣＣプリアンブル中でＷｉ−Ｆｉプリアンブルを送信すること
をさらに備える、請求項１３に記載の方法。
【請求項１５】
基地局におけるワイヤレス通信のための方法であって、
共有無線周波数スペクトル帯域の共有チャネルへのアクセスを求めて競合することと、ここにおいて、
前記共有チャネルへのアクセスを求めて競合することが、いくつかのリッスンビフォアトーク（ＬＢＴ）フレームの各々について行われ、
第１のＬＢＴフレームの間前記共有チャネルへのアクセスに勝ち、
前記第１のＬＢＴフレームが第１のコンポーネントキャリア（ＣＣ）ＬＢＴフレームを備える、
前記共有チャネル中で第１のＣＣ通信ウィンドウと第２のＣＣ通信ウィンドウとを多重化することと、前記第１のＣＣ通信ウィンドウの直交周波数領域多重化（ＯＦＤＭ）シンボルの持続時間が前記第２のＣＣ通信ウィンドウのＯＦＤＭシンボルの持続時間とは異なり、前記多重化することが、前記共有チャネルへのアクセスを求める競合に勝つことに伴って前記共有チャネル上で行われ、ここにおいて、前記多重化することが、前記共有チャネル中で前記第１のＣＣ通信ウィンドウと前記第２のＣＣ通信ウィンドウとを時分割多重化することを備える、
前記第１のＬＢＴフレーム中に第２のＣＣプリアンブルを送信することと、
前記第２のＣＣプリアンブル中で、前記第１のＬＢＴフレームが第１のＣＣ  ＬＢＴフレームとして構成されるのか第２のＣＣ  ＬＢＴフレームとして構成されるのかのインジケーションを送信することと
を備える、方法。
【請求項１６】
前記インジケーションが、少なくとも、スクランブリング、またはパブリックランドモバイルネットワーク（ＰＬＭＮ）識別子（ＩＤ）、またはセルＩＤ、または制御シグナリング、またはシーケンス、あるいはそれらの組合せを備える、請求項１５に記載の方法。
【請求項１７】
基地局におけるワイヤレス通信のための方法であって、
共有無線周波数スペクトル帯域の共有チャネルへのアクセスを求めて競合することと、
前記共有チャネル中で第１のコンポーネントキャリア（ＣＣ）通信ウィンドウと第２のＣＣ通信ウィンドウとを多重化することと、前記第１のＣＣ通信ウィンドウの直交周波数領域多重化（ＯＦＤＭ）シンボルの持続時間が前記第２のＣＣ通信ウィンドウのＯＦＤＭシンボルの持続時間とは異なり、前記多重化することが、前記共有チャネルへのアクセスを求める競合に勝つことに伴って前記共有チャネル上で行われる、
複数の発見時間期間の各々中で第２のＣＣ発見基準信号（ＤＲＳ）をブロードキャストすることと、
前記第２のＣＣ  ＤＲＳ中で第１のＣＣ通信のサポートのインジケーションをブロードキャストすることと、
を備える、方法。
【請求項１８】
基地局におけるワイヤレス通信のための方法であって、
共有無線周波数スペクトル帯域の共有チャネルへのアクセスを求めて競合することと、
前記共有チャネル中で第１のコンポーネントキャリア（ＣＣ）通信ウィンドウと第２のＣＣ通信ウィンドウとを多重化することと、前記第１のＣＣ通信ウィンドウの直交周波数領域多重化（ＯＦＤＭ）シンボルの持続時間が前記第２のＣＣ通信ウィンドウのＯＦＤＭシンボルの持続時間とは異なり、前記多重化することが、前記共有チャネルへのアクセスを求める競合に勝つことに伴って前記共有チャネル上で行われる、
ＵＥから第２のＣＣ接続要求を受信することと、
前記ＵＥとの第２のＣＣ接続を確立することと、
前記ＵＥが第１のＣＣ対応であるというインジケーションを受信することと、
前記ＵＥが第１のＣＣ対応であるという前記インジケーションを受信した後に前記ＵＥとの第１のＣＣ接続を構成することと、
を備える、方法。
【請求項１９】
基地局におけるワイヤレス通信のための装置であって、
共有無線周波数スペクトル帯域の共有チャネルへのアクセスを求めて競合するための手段と、ここにおいて、
アクセスが、いくつかのリッスンビフォアトーク（ＬＢＴ）フレームの各々について競合され、
第１のＬＢＴフレームの間前記共有チャネルへのアクセスに勝ち、
前記第１のＬＢＴフレームが第１のコンポーネントキャリア（ＣＣ）ＬＢＴフレームを備える、
前記共有チャネル中で第１のＣＣ通信ウィンドウと第２のＣＣ通信ウィンドウとを多重化するための手段と、前記第１のＣＣ通信ウィンドウの直交周波数領域多重化（ＯＦＤＭ）シンボルの持続時間が前記第２のＣＣ通信ウィンドウのＯＦＤＭシンボルの持続時間とは異なり、前記多重化することが、前記共有チャネルへのアクセスを求める競合に勝つことに伴って前記共有チャネル上で行われ、ここにおいて、前記多重化するための手段が、前記共有チャネル中で前記第１のＣＣ通信ウィンドウと前記第２のＣＣ通信ウィンドウとを時分割多重化するための手段を備える、
前記第１のＣＣ  ＬＢＴフレーム中で、第１のＣＣプリアンブルと第１のＣＣ制御／データ部分とを送信するための手段と、
を備える、装置。
【請求項２０】
前記時分割多重化するための手段が、ＬＢＴフレームレベルにおいて行われる、請求項１９に記載の装置。
【請求項２１】
ＬＢＴフレームの制御チャネル中で前記第１のＣＣ通信ウィンドウと前記第２のＣＣ通信ウィンドウとの間の区分をシグナリングするための手段
をさらに備える、請求項１９に記載の装置。
【請求項２２】
第１のＣＣ通信のためのリソースの第１の許可を第１のＣＣ対応ユーザ機器（ＵＥ）に送信するための手段
をさらに備える、請求項１９に記載の装置。
【請求項２３】
第２のＣＣ通信のためのリソースの第２の許可を第２のＣＣ対応ＵＥに送信するための手段
をさらに備える、請求項２２に記載の装置。
【請求項２４】
前記第１のＣＣ  ＬＢＴフレーム中で、第２のＣＣプリアンブルを送信するための手段
をさらに備える、請求項１９に記載の装置。
【請求項２５】
前記第２のＣＣプリアンブル中でＷｉ−Ｆｉプリアンブルを送信するための手段
をさらに備える、請求項２４に記載の装置。
【請求項２６】
前記第１のＣＣプリアンブル中でＷｉ−Ｆｉプリアンブルを送信するための手段
をさらに備える、請求項１９に記載の装置。
【請求項２７】
複数の発見時間期間の各々中で第１のＣＣ発見基準信号（ＤＲＳ）と第２のＣＣ  ＤＲＳとをブロードキャストするための手段
をさらに備える、請求項１９に記載の装置。
【請求項２８】
複数の第１のＣＣ発見時間期間の各々中で第１のＣＣ発見基準信号（ＤＲＳ）をブロードキャストするための手段と、
複数の第２のＣＣ発見時間期間の各々中で第２のＣＣ  ＤＲＳをブロードキャストするための手段と
をさらに備える、請求項１９に記載の装置。
【請求項２９】
複数の発見時間期間の各々中で第１のＣＣ発見基準信号（ＤＲＳ）または第２のＣＣ  ＤＲＳをブロードキャストするための手段
をさらに備える、請求項１９に記載の装置。
【請求項３０】
前記第１のＣＣ通信ウィンドウが少なくとも１つの拡張コンポーネントキャリア（ｅＣＣ）を備え、前記第２のＣＣ通信ウィンドウが少なくとも１つの非ｅＣＣを備える、請求項１９に記載の装置。
【請求項３１】
基地局におけるワイヤレス通信のための装置であって、
共有無線周波数スペクトル帯域の共有チャネルへのアクセスを求めて競合するための手段と、ここにおいて、
アクセスが、いくつかのリッスンビフォアトーク（ＬＢＴ）フレームの各々について競合され、
第１のＬＢＴフレームの間前記共有チャネルへのアクセスに勝ち、
前記第１のＬＢＴフレームが第１のコンポーネントキャリア（ＣＣ）ＬＢＴフレームを備える、
前記共有チャネル中で第１のＣＣ通信ウィンドウと第２のＣＣ通信ウィンドウとを多重化するための手段と、前記第１のＣＣ通信ウィンドウの直交周波数領域多重化（ＯＦＤＭ）シンボルの持続時間が前記第２のＣＣ通信ウィンドウのＯＦＤＭシンボルの持続時間とは異なり、前記多重化することが、前記共有チャネルへのアクセスを求める競合に勝つことに伴って前記共有チャネル上で行われ、ここにおいて、前記多重化するための手段が、前記共有チャネル中で前記第１のＣＣ通信ウィンドウと前記第２のＣＣ通信ウィンドウとを時分割多重化するための手段を備える、
前記第１のＣＣ  ＬＢＴフレーム中で、第１のＣＣプリアンブルなしに、第２のＣＣプリアンブルと第１のＣＣ制御／データ部分とを送信するための手段と、
を備える、装置。
【請求項３２】
前記第２のＣＣプリアンブル中でＷｉ−Ｆｉプリアンブルを送信するための手段
をさらに備える、請求項３１に記載の装置。
【請求項３３】
基地局におけるワイヤレス通信のための装置であって、
共有無線周波数スペクトル帯域の共有チャネルへのアクセスを求めて競合するための手段と、ここにおいて、
アクセスが、いくつかのリッスンビフォアトーク（ＬＢＴ）フレームの各々について競合され、
第１のＬＢＴフレームの間前記共有チャネルへのアクセスに勝ち、
前記第１のＬＢＴフレームが第１のコンポーネントキャリア（ＣＣ）ＬＢＴフレームを備える、
前記共有チャネル中で第１のＣＣ通信ウィンドウと第２のＣＣ通信ウィンドウとを多重化するための手段と、前記第１のＣＣ通信ウィンドウの直交周波数領域多重化（ＯＦＤＭ）シンボルの持続時間が前記第２のＣＣ通信ウィンドウのＯＦＤＭシンボルの持続時間とは異なり、前記多重化することが、前記共有チャネルへのアクセスを求める競合に勝つことに伴って前記共有チャネル上で行われ、ここにおいて、前記多重化するための手段が、前記共有チャネル中で前記第１のＣＣ通信ウィンドウと前記第２のＣＣ通信ウィンドウとを時分割多重化するための手段を備える、
前記第１のＬＢＴフレーム中に第２のＣＣプリアンブルを送信するための手段と、
前記第２のＣＣプリアンブル中で、前記第１のＬＢＴフレームが第１のＣＣ  ＬＢＴフレームとして構成されるのか第２のＣＣ  ＬＢＴフレームとして構成されるのかのインジケーションを送信するための手段と
を備える、装置。
【請求項３４】
前記インジケーションが、少なくとも、スクランブリング、またはパブリックランドモバイルネットワーク（ＰＬＭＮ）識別子（ＩＤ）、またはセルＩＤ、または制御シグナリング、またはシーケンス、あるいはそれらの組合せを備える、請求項３３に記載の装置。
【請求項３５】
基地局におけるワイヤレス通信のための装置であって、
共有無線周波数スペクトル帯域の共有チャネルへのアクセスを求めて競合するための手段と、
前記共有チャネル中で第１のコンポーネントキャリア（ＣＣ）通信ウィンドウと第２のＣＣ通信ウィンドウとを多重化するための手段と、前記第１のＣＣ通信ウィンドウの直交周波数領域多重化（ＯＦＤＭ）シンボルの持続時間が前記第２のＣＣ通信ウィンドウのＯＦＤＭシンボルの持続時間とは異なり、前記多重化することが、前記共有チャネルへのアクセスを求める競合に勝つことに伴って前記共有チャネル上で行われる、
複数の発見時間期間の各々中で第２のＣＣ発見基準信号（ＤＲＳ）をブロードキャストするための手段と、
前記第２のＣＣ  ＤＲＳ中で第１のＣＣ通信のサポートのインジケーションをブロードキャストするための手段と、
を備える、装置。
【請求項３６】
基地局におけるワイヤレス通信のための装置であって、
共有無線周波数スペクトル帯域の共有チャネルへのアクセスを求めて競合するための手段と、
前記共有チャネル中で第１のコンポーネントキャリア（ＣＣ）通信ウィンドウと第２のＣＣ通信ウィンドウとを多重化するための手段と、前記第１のＣＣ通信ウィンドウの直交周波数領域多重化（ＯＦＤＭ）シンボルの持続時間が前記第２のＣＣ通信ウィンドウのＯＦＤＭシンボルの持続時間とは異なり、前記多重化することが、前記共有チャネルへのアクセスを求める競合に勝つことに伴って前記共有チャネル上で行われる、
ＵＥから第２のＣＣ接続要求を受信するための手段と、
前記ＵＥとの第２のＣＣ接続を確立するための手段と、
前記ＵＥが第１のＣＣ対応であるというインジケーションを受信するための手段と、
前記ＵＥが第１のＣＣ対応であるという前記インジケーションを受信した後に前記ＵＥとの第１のＣＣ接続を構成するための手段と、
を備える、装置。
【請求項３７】
基地局におけるワイヤレス通信のための装置であって、
プロセッサと、
前記プロセッサと通信しているメモリと、
前記メモリに記憶された命令とを備え、前記命令が、
共有無線周波数スペクトル帯域の共有チャネルへのアクセスを求めて競合するために前記プロセッサによって実行可能であり、ここにおいて、前記共有チャネルへのアクセスを求めて競合するために前記プロセッサによって実行可能である前記命令が、いくつかのリッスンビフォアトーク（ＬＢＴ）フレームの各々についてアクセスを求めて競合するために実行可能であり、第１のＬＢＴフレームが第１のコンポーネントキャリア（ＣＣ）ＬＢＴフレームを備える、
前記共有チャネル中で第１のＣＣ通信ウィンドウと第２のＣＣ通信ウィンドウとを多重化するために前記プロセッサによって実行可能であり、前記第１のＣＣ通信ウィンドウの直交周波数領域多重化（ＯＦＤＭ）シンボルの持続時間が前記第２のＣＣ通信ウィンドウのＯＦＤＭシンボルの持続時間とは異なり、前記多重化することが、前記共有チャネルへのアクセスを求める競合に勝つことに伴って前記共有チャネル上で行われ、ここにおいて、多重化するために前記プロセッサによって実行可能である前記命令が、前記共有チャネル中で前記第１のＣＣ通信ウィンドウと前記第２のＣＣ通信ウィンドウとを時分割多重化するために前記プロセッサによって実行可能である命令を備える、
前記第１のＣＣ  ＬＢＴフレーム中で、第１のＣＣプリアンブルと第１のＣＣ制御／データ部分とを送信するために前記プロセッサによって実行可能である、
装置。
【請求項３８】
前記命令が、
前記第１のＣＣ  ＬＢＴフレーム中で、第２のＣＣプリアンブルを送信する
ために前記プロセッサによって実行可能である、請求項３７に記載の装置。
【請求項３９】
前記第１のＣＣ通信ウィンドウが少なくとも１つの拡張コンポーネントキャリア（ｅＣＣ）を備え、前記第２のＣＣ通信ウィンドウが少なくとも１つの非ｅＣＣを備える、請求項３７に記載の装置。
【請求項４０】
基地局におけるワイヤレス通信のための装置であって、
プロセッサと、
前記プロセッサと通信しているメモリと、
前記メモリに記憶された命令とを備え、前記命令が、
共有無線周波数スペクトル帯域の共有チャネルへのアクセスを求めて競合するために前記プロセッサによって実行可能であり、ここにおいて、前記共有チャネルへのアクセスを求めて競合するために前記プロセッサによって実行可能である前記命令が、いくつかのリッスンビフォアトーク（ＬＢＴ）フレームの各々についてアクセスを求めて競合するために実行可能であり、第１のＬＢＴフレームが第１のＣＣ  ＬＢＴフレームを備える、
前記共有チャネル中で第１のＣＣ通信ウィンドウと第２のＣＣ通信ウィンドウとを多重化するために前記プロセッサによって実行可能であり、前記第１のＣＣ通信ウィンドウの直交周波数領域多重化（ＯＦＤＭ）シンボルの持続時間が前記第２のＣＣ通信ウィンドウのＯＦＤＭシンボルの持続時間とは異なり、前記多重化することが、前記共有チャネルへのアクセスを求める競合に勝つことに伴って前記共有チャネル上で行われ、ここにおいて、多重化するために前記プロセッサによって実行可能である前記命令が、前記共有チャネル中で前記第１のＣＣ通信ウィンドウと前記第２のＣＣ通信ウィンドウとを時分割多重化するために前記プロセッサによって実行可能である命令を備える、
前記第１のＣＣ  ＬＢＴフレーム中で、第１のＣＣプリアンブルなしに、第２のＣＣプリアンブルと第１のＣＣ制御／データ部分とを送信するために前記プロセッサによって実行可能である、
装置。
【請求項４１】
基地局におけるワイヤレス通信のための装置であって、
プロセッサと、
前記プロセッサと通信しているメモリと、
前記メモリに記憶された命令とを備え、前記命令が、
共有無線周波数スペクトル帯域の共有チャネルへのアクセスを求めて競合するために前記プロセッサによって実行可能であり、ここにおいて、前記共有チャネルへのアクセスを求めて競合するために前記プロセッサによって実行可能である前記命令が、いくつかのリッスンビフォアトーク（ＬＢＴ）フレームの各々についてアクセスを求めて競合するために実行可能であり、第１のＬＢＴフレームが第１のコンポーネントキャリア（ＣＣ）ＬＢＴフレームを備える、
前記共有チャネル中で第１のＣＣ通信ウィンドウと第２のＣＣ通信ウィンドウとを多重化するために前記プロセッサによって実行可能であり、前記第１のＣＣ通信ウィンドウの直交周波数領域多重化（ＯＦＤＭ）シンボルの持続時間が前記第２のＣＣ通信ウィンドウのＯＦＤＭシンボルの持続時間とは異なり、前記多重化することが、前記共有チャネルへのアクセスを求める競合に勝つことに伴って前記共有チャネル上で行われ、ここにおいて、多重化するために前記プロセッサによって実行可能である前記命令が、前記共有チャネル中で前記第１のＣＣ通信ウィンドウと前記第２のＣＣ通信ウィンドウとを時分割多重化するために前記プロセッサによって実行可能である命令を備える、
前記第１のＬＢＴフレーム中に第２のＣＣプリアンブルを送信することと、
前記第２のＣＣプリアンブル中で、前記第１のＬＢＴフレームが第１のＣＣ  ＬＢＴフレームとして構成されるのか第２のＣＣ  ＬＢＴフレームとして構成されるのかのインジケーションを送信することと、
を行うために前記プロセッサによって実行可能である、装置。
【請求項４２】
前記インジケーションが、少なくとも、スクランブリング、またはパブリックランドモバイルネットワーク（ＰＬＭＮ）識別子（ＩＤ）、またはセルＩＤ、または制御シグナリング、またはシーケンス、あるいはそれらの組合せを備える、請求項４１に記載の装置。
【請求項４３】
基地局におけるワイヤレス通信のための装置であって、
プロセッサと、
前記プロセッサと通信しているメモリと、
前記メモリに記憶された命令とを備え、前記命令が、
共有無線周波数スペクトル帯域の共有チャネルへのアクセスを求めて競合することと、
前記共有チャネル中で第１のコンポーネントキャリア（ＣＣ）通信ウィンドウと第２のＣＣ通信ウィンドウとを多重化することと、前記第１のＣＣ通信ウィンドウの直交周波数領域多重化（ＯＦＤＭ）シンボルの持続時間が前記第２のＣＣ通信ウィンドウのＯＦＤＭシンボルの持続時間とは異なり、前記多重化することが、前記共有チャネルへのアクセスを求める競合に勝つことに伴って前記共有チャネル上で行われる、
ＵＥから第２のＣＣ接続要求を受信することと、
前記ＵＥとの第２のＣＣ接続を確立することと、
前記ＵＥが第１のＣＣ対応であるというインジケーションを受信することと、
前記ＵＥが第１のＣＣ対応であるという前記インジケーションを受信した後に前記ＵＥとの第１のＣＣ接続を構成することと、
を行うために前記プロセッサによって実行可能である、装置。
【請求項４４】
ワイヤレス通信のためのコンピュータ実行可能コードを記憶する非一時的コンピュータ可読媒体であって、前記コードが、
共有無線周波数スペクトル帯域の共有チャネルへのアクセスを求めて競合するためにプロセッサによって実行可能であり、ここにおいて、前記共有チャネルへのアクセスを求めて競合するために前記プロセッサによって実行可能である前記コードが、いくつかのリッスンビフォアトーク（ＬＢＴ）フレームの各々についてアクセスを求めて競合するために実行可能であり、第１のＬＢＴフレームが第１のコンポーネントキャリア（ＣＣ）ＬＢＴフレームを備える、
前記共有チャネル中で第１のＣＣ通信ウィンドウと第２のＣＣ通信ウィンドウとを多重化するために前記プロセッサによって実行可能であり、前記第１のＣＣ通信ウィンドウの直交周波数領域多重化（ＯＦＤＭ）シンボルの持続時間が前記第２のＣＣ通信ウィンドウのＯＦＤＭシンボルの持続時間とは異なり、前記多重化することが、前記共有チャネルへのアクセスを求める競合に勝つことに伴って前記共有チャネル上で行われ、ここにおいて、多重化するために前記プロセッサによって実行可能である前記コードが、前記共有チャネル中で前記第１のＣＣ通信ウィンドウと前記第２のＣＣ通信ウィンドウとを時分割多重化するために前記プロセッサによって実行可能であるコードを備える、
前記第１のＣＣ  ＬＢＴフレーム中で、第１のＣＣプリアンブルと第１のＣＣ制御／データ部分とを送信するために前記プロセッサによって実行可能である、
非一時的コンピュータ可読媒体。
【請求項４５】
基地局におけるワイヤレス通信のための装置であって、
プロセッサと、
前記プロセッサと通信しているメモリと、
前記メモリに記憶された命令とを備え、前記命令が、
共有無線周波数スペクトル帯域の共有チャネルへのアクセスを求めて競合することと、
前記共有チャネル中で第１のコンポーネントキャリア（ＣＣ）通信ウィンドウと第２のＣＣ通信ウィンドウとを多重化することと、前記第１のＣＣ通信ウィンドウの直交周波数領域多重化（ＯＦＤＭ）シンボルの持続時間が前記第２のＣＣ通信ウィンドウのＯＦＤＭシンボルの持続時間とは異なり、前記多重化することが、前記共有チャネルへのアクセスを求める競合に勝つことに伴って前記共有チャネル上で行われる、
複数の発見時間期間の各々中で第２のＣＣ発見基準信号（ＤＲＳ）をブロードキャストすることと、
前記第２のＣＣ  ＤＲＳ中で第１のＣＣ通信のサポートのインジケーションをブロードキャストすることと、
を行うために前記プロセッサによって実行可能である、装置。
【発明の詳細な説明】
【相互参照】
【０００１】
[0001]  本特許出願は、２０１５年５月２１日に出願され、「Techniques for Coexistence Between Enhanced Component Carrier Communications and Non-Enhanced Component Carrier Communications」と題する、Ｙｏｏ等による米国仮特許出願第６２／１６４，９７２号、および２０１６年５月２日に出願され、「Techniques for Coexistence Between Enhanced Component Carrier Communications and Non-Enhanced Component Carrier Communications」と題する、Ｙｏｏ等による米国特許出願第１５／１４３，８２１号の優先権を主張するもので、これらの各々は本出願の譲受人に譲渡されている。
【技術分野】
【０００２】
[0002]  本開示は、例えば、ワイヤレス通信システムに関し、より詳細には、拡張コンポーネントキャリア（ｅＣＣ）通信と非ｅＣＣ通信との間の共存を与えるための技法に関する。
【背景技術】
【０００３】
[0003]  ワイヤレス通信システムは、音声、ビデオ、パケットデータ、メッセージング、ブロードキャストなど、様々なタイプの通信コンテンツを提供するために広く展開されている。これらのシステムは、利用可能なシステムリソース（例えば、時間、周波数、および電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。
【０００４】
[0004]  例として、ワイヤレス多元接続通信システムは、場合によってはユーザ機器（ＵＥ）として知られる、複数の通信デバイスのための通信を各々が同時にサポートする、いくつかの基地局を含み得る。基地局は、（例えば、基地局からＵＥへの送信のために）ダウンリンクチャネル上でＵＥと通信し、（例えば、ＵＥから基地局への送信のために）アップリンクチャネル上でＵＥと通信し得る。
【０００５】
[0005]  いくつかのワイヤレス通信システムでは、基地局およびＵＥが、拡張コンポーネントキャリア（ｅＣＣ）または非ｅＣＣなど、異なるタイプのコンポーネントキャリア（ＣＣ）を使用して無線周波数スペクトル帯域上で通信し得る。異なるタイプのＣＣを介して通信する基地局およびＵＥが無線周波数スペクトル帯域を共有するとき、または、基地局およびＵＥが無線周波数スペクトル帯域を他のタイプの通信を使用するデバイスと共有するとき、異なるタイプのＣＣまたは通信技術の使用によって引き起こされる干渉を回避、緩和、または、消去するための技法が採用され得る。
【発明の概要】
【０００６】
[0006]  本開示は、例えば、拡張コンポーネントキャリア（ｅＣＣ）通信と非ｅＣＣ通信との間の共存を与えるための技法に関する。技法は、基地局が、共有無線周波数スペクトル帯域の共有チャネル上で、並列して、ｅＣＣ対応ＵＥおよび非ｅＣＣ対応ＵＥと通信することを可能にし得る。いくつかの例で、技法は、共有チャネル中でｅＣＣ通信および非ｅＣＣ通信の周波数分割多重化（ＦＤＭ：frequency division multiplexing）または時分割多重化（ＴＤＭ：time division multiplexing）を採用する。ＴＤＭ技法が使用されるとき、ｅＣＣ通信ウィンドウおよび非ｅＣＣ通信ウィンドウは、無線フレームレベルまたはそれ以下（例えば、リッスンビフォアトーク（ＬＢＴ）フレーム内）において多重化され得る。プリアンブル送信は、共有チャネルがいつｅＣＣ通信または非ｅＣＣ通信のために使用されているかの通知をＵＥおよび他のデバイス（例えば、Ｗｉ−Ｆｉ（登録商標）デバイス）に与えるために管理され得る。いくつかの例では、基地局がｅＣＣ対応または非ｅＣＣ対応であることをＵＥに示すために発見基準信号（ＤＲＳ）が基地局によって送信され得る。
【０００７】
[0007]  例示的な例の第１のセットでは、基地局におけるワイヤレス通信のための方法が説明される。一構成において、本方法は、共有無線周波数スペクトル帯域の共有チャネルへのアクセスを求めて競合することと、共有チャネル中で第１のＣＣ通信ウィンドウと第２のＣＣ通信ウィンドウとを多重化することとを含み得る。第１のＣＣ通信ウィンドウの直交周波数領域多重化（ＯＦＤＭ：orthogonal frequency domain multiplexed）シンボルの持続時間が、第２のＣＣ通信ウィンドウのＯＦＤＭシンボルの持続時間とは異なり得、多重化することは、共有チャネルへのアクセスを求める競合に勝つことに伴って共有チャネル上で行われ得る。
【０００８】
[0008]  いくつかの例において、多重化することは、共有チャネル中で第１のＣＣ通信ウィンドウと第２のＣＣ通信ウィンドウとを周波数領域多重化することを含み得る。いくつかの例において、多重化することは、共有チャネル中で第１のＣＣ通信ウィンドウと第２のＣＣ通信ウィンドウとを時分割多重化することを含み得る。いくつかの例において、時分割多重化することは、ＬＢＴフレームレベルにおいて行われ得る。いくつかの例において、本方法は、ＬＢＴフレームの制御チャネル中で第１のＣＣ通信ウィンドウと第２のＣＣ通信ウィンドウとの間の区分をシグナリングすることを含み得る。いくつかの例において、本方法は、第１のＣＣ通信のためのリソースの第１の許可を第１のＣＣ対応ＵＥに送信することを含み得る。いくつかの例において、本方法は、第２のＣＣ通信のためのリソースの第２の許可を第２のＣＣ対応ＵＥに送信することを含み得る。いくつかの例では、共有チャネルへのアクセスを求めて競合することが、いくつかのＬＢＴフレームの各々について行われ得、第１のＬＢＴフレームの間共有チャネルへのアクセスに勝ち得る。いくつかの例において、第１のＬＢＴフレームは第１のＣＣ  ＬＢＴフレームを含み得、本方法は、第１のＣＣ  ＬＢＴフレーム中で、第２のＣＣプリアンブルと、第１のＣＣプリアンブルと、第１のＣＣ制御／データ部分とを送信することを含み得る。いくつかの例において、本方法は、第２のＣＣプリアンブル中でＷｉ−Ｆｉプリアンブルを送信することを含み得る。いくつかの例において、第１のＬＢＴフレームは第１のＣＣ  ＬＢＴフレームを含み得、本方法は、第１のＣＣ  ＬＢＴフレーム中で、第１のＣＣプリアンブルなしに、第２のＣＣプリアンブルと第１のＣＣ制御／データ部分とを送信することを含み得る。いくつかの例において、本方法は、第２のＣＣプリアンブル中でＷｉ−Ｆｉプリアンブルを送信することを含み得る。いくつかの例において、本方法は、第１のＬＢＴフレーム中に第２のＣＣプリアンブルを送信することと、第２のＣＣプリアンブル中で、第１のＬＢＴフレームが第１のＣＣ  ＬＢＴフレームとして構成されるのか第２のＣＣ  ＬＢＴフレームとして構成されるかどうかのインジケーションを送信することとを含み得る。いくつかの例において、インジケーションは、少なくとも、スクランブリング、またはパブリックランドモバイルネットワーク（ＰＬＭＮ）識別子（ＩＤ）、またはセルＩＤ、または制御シグナリング、またはシーケンス、あるいはそれらの組合せを含み得る。いくつかの例において、第１のＬＢＴフレームは第１のＣＣ  ＬＢＴフレームを含み得、本方法は、第１のＣＣ  ＬＢＴフレーム中で、第１のＣＣプリアンブルと第１のＣＣ制御／データ部分とを送信することを含み得る。いくつかの例において、本方法は、第１のＣＣプリアンブル中でＷｉ−Ｆｉプリアンブルを送信することを含み得る。
【０００９】
[0009]  いくつかの例において、本方法は、複数の発見時間期間の各々中で第２のＣＣ  ＤＲＳをブロードキャストすることを含み得る。いくつかの例において、本方法は、第２のＣＣ  ＤＲＳ中で第１のＣＣ通信のサポートのインジケーションをブロードキャストすることを含み得る。いくつかの例において、本方法は、ＵＥから第２のＣＣ接続要求を受信することと、ＵＥとの第２のＣＣ接続を確立することと、ＵＥが第１のＣＣ対応であるというインジケーションを受信することと、ＵＥが第１のＣＣ対応であるというインジケーションを受信した後にＵＥとの第１のＣＣ接続を構成することとを含み得る。いくつかの例において、本方法は、複数の発見時間期間の各々中で第１のＣＣ  ＤＲＳと第２のＣＣ  ＤＲＳとをブロードキャストすることを含み得る。いくつかの例において、本方法は、複数の第１のＣＣ発見時間期間の各々中で第１のＣＣ  ＤＲＳをブロードキャストすることと、複数の第２のＣＣ発見時間期間の各々中で第２のＣＣ  ＤＲＳをブロードキャストすることとを含み得る。いくつかの例において、本方法は、複数の発見時間期間の各々中で第１のＣＣ  ＤＲＳまたは第２のＣＣ  ＤＲＳをブロードキャストすることを含み得る。いくつかの例において、第１のＣＣ通信ウィンドウは少なくとも１つのｅＣＣを含み得、第２のＣＣ通信ウィンドウは少なくとも１つの非ｅＣＣを含み得る。
【００１０】
[0010]  例示的な例の第２のセットでは、基地局におけるワイヤレス通信のための装置が説明される。一構成において、本装置は、共有無線周波数スペクトル帯域の共有チャネルへのアクセスを求めて競合するための手段と、共有チャネル中で第１のＣＣ通信ウィンドウと第２のＣＣ通信ウィンドウとを多重化するための手段とを含み得る。第１のＣＣ通信ウィンドウのＯＦＤＭシンボルの持続時間が、第２のＣＣ通信ウィンドウのＯＦＤＭシンボルの持続時間とは異なり得、多重化することが、共有チャネルへのアクセスを求める競合に勝つことに伴って共有チャネル上で行われ得る。いくつかの例において、本装置は、例示的な例の第１のセットに関して上記で説明されたワイヤレス通信のための方法の１つまたは複数の態様を実施するための手段をさらに含み得る。
【００１１】
[0011]  例示的な例の第３のセットでは、基地局におけるワイヤレス通信のための別の装置が説明される。一構成において、本装置は、プロセッサと、プロセッサと電子通信しているメモリと、メモリに記憶された命令とを含み得る。命令は、共有無線周波数スペクトル帯域の共有チャネルへのアクセスを求めて競合することと、共有チャネル中で第１のＣＣ通信ウィンドウと第２のＣＣ通信ウィンドウとを多重化することとを行うためにプロセッサによって実行可能であり得る。第１のＣＣ通信ウィンドウのＯＦＤＭシンボルの持続時間が、第２のＣＣ通信ウィンドウのＯＦＤＭシンボルの持続時間とは異なり得、多重化することが、共有チャネルへのアクセスを求める競合に勝つことに伴って共有チャネル上で行われ得る。いくつかの例において、命令はまた、例示的な例の第１のセットに関して上記で説明されたワイヤレス通信のための方法の１つまたは複数の態様を実施するためにプロセッサによって実行可能であり得る。
【００１２】
[0012]  例の第４のセットでは、ワイヤレス通信のためのコンピュータ実行可能コードを記憶する非一時的コンピュータ可読媒体が説明される。一構成において、コードは、共有無線周波数スペクトル帯域の共有チャネルへのアクセスを求めて競合することと、共有チャネル中で第１のＣＣ通信ウィンドウと第２のＣＣ通信ウィンドウとを多重化することとを行うためにプロセッサによって実行可能であり得る。第１のＣＣ通信ウィンドウのＯＦＤＭシンボルの持続時間が、第２のＣＣ通信ウィンドウのＯＦＤＭシンボルの持続時間とは異なり得、多重化することが、共有チャネルへのアクセスを求める競合に勝つことに伴って共有チャネル上で行われ得る。いくつかの例において、本非一時的コンピュータ可読媒体はまた、例示的な例の第１のセットに関して上記で説明されたワイヤレス通信のための方法の１つまたは複数の態様を実施するためのコードを含み得る。
【００１３】
[0013]  例示的な例の第５のセットでは、ＵＥにおけるワイヤレス通信のための方法が説明される。一構成において、本方法は、第１のＣＣ  ＬＢＴフレームについて共有無線周波数スペクトル帯域の共有チャネルを監視することと、第２のＣＣプリアンブル中で、第１のＣＣ  ＬＢＴフレームのインジケーションを受信することとを含み得る。
【００１４】
[0014]  いくつかの例において、本方法は、第２のＣＣプリアンブルの制御チャネル中で第１のＣＣ  ＬＢＴフレームのインジケーションを受信することを含み得る。いくつかの例において、本方法は、第１のＣＣ  ＬＢＴフレーム中で第１のＣＣ送信を受信することを含み得、ここで、第１のＣＣ送信が第１のＣＣプリアンブルと第１のＣＣ制御／データ部分とを含む。いくつかの例において、本方法は、第１のＣＣ  ＬＢＴフレーム中で第１のＣＣ送信を受信することを含み得、ここで、第１のＣＣ送信が、第１のＣＣプリアンブルなしに送信された第１のＣＣ制御／データ部分を含む。いくつかの例において、本方法は、第２のＣＣプリアンブル中でＷｉ−Ｆｉプリアンブルを受信することを含み得る。いくつかの例において、本方法は、第２のＣＣプリアンブルから、共有チャネルのためのチャネル推定値を取得することを含み得る。
【００１５】
[0015]  例示的な例の第６のセットでは、ＵＥにおけるワイヤレス通信のための装置が説明される。一構成において、本装置は、第１のＣＣ  ＬＢＴフレームについて共有無線周波数スペクトル帯域の共有チャネルを監視するための手段と、第２のＣＣプリアンブル中で、第１のＣＣ  ＬＢＴフレームのインジケーションを受信するための手段とを含み得る。いくつかの例において、本装置は、例示的な例の第５のセットに関して上記で説明されたワイヤレス通信のための方法の１つまたは複数の態様を実施するための手段をさらに含み得る。
【００１６】
[0016]  例示的な例の第７のセットでは、ＵＥにおけるワイヤレス通信のための別の装置が説明される。一構成において、本装置は、プロセッサと、プロセッサと電子通信しているメモリと、メモリに記憶された命令とを含み得る。命令は、第１のＣＣ  ＬＢＴフレームについて共有無線周波数スペクトル帯域の共有チャネルを監視することと、第２のＣＣプリアンブル中で、第１のＣＣ  ＬＢＴフレームのインジケーションを受信することとを行うためにプロセッサによって実行可能であり得る。いくつかの例において、命令はまた、例示的な例の第５のセットに関して上記で説明されたワイヤレス通信のための方法の１つまたは複数の態様を実施するためにプロセッサによって実行可能であり得る。
【００１７】
[0017]  例示的な例の第８のセットでは、ワイヤレス通信のためのコンピュータ実行可能コードを記憶する非一時的コンピュータ可読媒体が説明される。一構成において、コードは、第１のＣＣ  ＬＢＴフレームについて共有無線周波数スペクトル帯域の共有チャネルを監視することと、第２のＣＣプリアンブル中で、第１のＣＣ  ＬＢＴフレームのインジケーションを受信することとを行うためにプロセッサによって実行可能であり得る。いくつかの例において、本非一時的コンピュータ可読媒体はまた、例示的な例の第５のセットに関して上記で説明されたワイヤレス通信のための方法の１つまたは複数の態様を実施するためのコードを含み得る。
【００１８】
[0018]  例示的な例の第９のセットでは、ＵＥにおけるワイヤレス通信のための別の方法が説明される。一構成において、本方法は、第２のＣＣ  ＬＢＴフレームについて共有無線周波数スペクトル帯域の共有チャネルを監視することと、第１のＣＣ  ＬＢＴフレームが送信されていることとを示す第２のＣＣプリアンブルを受信することと、第１のＣＣ  ＬＢＴフレームの残りの間スリープ状態に入ることとを含み得る。
【００１９】
[0019]  例示的な例の第１０のセットでは、ＵＥにおけるワイヤレス通信のための別の装置が説明される。一構成において、本装置は、第２のＣＣ  ＬＢＴフレームについて共有無線周波数スペクトル帯域の共有チャネルを監視するための手段と、第１のＣＣ  ＬＢＴフレームが送信されていることを示す第２のＣＣプリアンブルを受信するための手段と、第１のＣＣ  ＬＢＴフレームの残りの間スリープ状態に入るための手段とを含み得る。いくつかの例において、本装置は、例示的な例の第９のセットに関して上記で説明されたワイヤレス通信のための方法の１つまたは複数の態様を実施するための手段をさらに含み得る。
【００２０】
[0020]  例示的な例の第１１のセットでは、ＵＥにおけるワイヤレス通信のための別の装置が説明される。一構成において、本装置は、プロセッサと、プロセッサと電子通信しているメモリと、メモリに記憶された命令とを含み得る。命令は、第２のＣＣ  ＬＢＴフレームについて共有無線周波数スペクトル帯域の共有チャネルを監視することと、第１のＣＣ  ＬＢＴフレームが送信されていることを示す第２のＣＣプリアンブルを受信することと、第１のＣＣ  ＬＢＴフレームの残りの間スリープ状態に入ることとを行うためにプロセッサによって実行可能であり得る。いくつかの例において、命令はまた、例示的な例の第９のセットに関して上記で説明されたワイヤレス通信のための方法の１つまたは複数の態様を実施するためにプロセッサによって実行可能であり得る。
【００２１】
[0021]  例示的な例の第１２のセットでは、ワイヤレス通信のためのコンピュータ実行可能コードを記憶する別の非一時的コンピュータ可読媒体が説明される。一構成において、コードは、第２のＣＣ  ＬＢＴフレームについて共有無線周波数スペクトル帯域の共有チャネルを監視することと、第１のＣＣ  ＬＢＴフレームが送信されていることを示す第２のＣＣプリアンブルを受信することと、第１のＣＣ  ＬＢＴフレームの残りの間スリープ状態に入ることとを行うためにプロセッサによって実行可能であり得る。いくつかの例において、本非一時的コンピュータ可読媒体はまた、例示的な例の第９のセットに関して上記で説明されたワイヤレス通信のための方法の１つまたは複数の態様を実施するためのコードを含み得る。
【００２２】
[0022]  例示的な例の第１３のセットでは、ＵＥにおけるワイヤレス通信のための別の方法が説明される。一構成において、本方法は、基地局の第２のＣＣセルを捕捉することと、第２のＣＣセルを捕捉することの後に基地局が第１のＣＣ通信をサポートすると決定することと、基地局が第１のＣＣ通信をサポートすると決定することに伴って、第１のＣＣ通信を使用して基地局と通信することとを含み得る。
【００２３】
[0023]  いくつかの例において、本方法は、基地局から第２のＣＣ  ＤＲＳを受信することと、第２のＣＣ  ＤＲＳに少なくとも部分的に基づいて基地局の第２のＣＣセルを捕捉することとを含み得る。いくつかの例において、基地局が第１のＣＣ通信をサポートすると決定することは、第２のＣＣ  ＤＲＳ中で基地局が第１のＣＣ通信をサポートするというインジケーションを受信することを含み得る。いくつかの例において、本方法は、第２のＣＣ  ＤＲＳを受信する間に第２のＣＣのＯＦＤＭヌメロロジー（numerology）を使用することと、第１のＣＣ通信を使用して基地局と通信する間に第１のＣＣのＯＦＤＭヌメロロジーを使用することとを含み得る。いくつかの例において、基地局が第１のＣＣ通信をサポートすると決定することは、基地局の第２のＣＣセルを捕捉した後に基地局から第２のＣＣ構成情報を受信することを含み得る。いくつかの例において、基地局が第１のＣＣ通信をサポートすると決定することは、基地局から第１のＣＣ  ＤＲＳを受信することを含み得、本方法は、基地局との第１のＣＣ接続を確立することを含み得る。
【００２４】
[0024]  例示的な例の第１４のセットでは、ＵＥにおけるワイヤレス通信のための別の装置が説明される。一構成において、本装置は、基地局の第２のＣＣセルを捕捉するための手段と、第２のＣＣセルを捕捉することの後に基地局が第１のＣＣ通信をサポートすると決定するための手段と、基地局が第１のＣＣ通信をサポートすると決定することに伴って、第１のＣＣ通信を使用して基地局と通信するための手段とを含み得る。いくつかの例において、本装置は、例示的な例の第１３のセットに関して上記で説明されたワイヤレス通信のための方法の１つまたは複数の態様を実施するための手段をさらに含み得る。
【００２５】
[0025]  例示的な例の第１５のセットでは、ＵＥにおけるワイヤレス通信のための別の装置が説明される。一構成において、本装置は、プロセッサと、プロセッサと電子通信しているメモリと、メモリに記憶された命令とを含み得る。命令は、基地局の第２のＣＣセルを捕捉することと、第２のＣＣセルを捕捉することの後に基地局が第１のＣＣ通信をサポートすると決定することと、基地局が第１のＣＣ通信をサポートすると決定することに伴って、第１のＣＣ通信を使用して基地局と通信することとを行うためにプロセッサによって実行可能であり得る。いくつかの例において、命令はまた、例示的な例の第１３のセットに関して上記で説明されたワイヤレス通信のための方法の１つまたは複数の態様を実施するためにプロセッサによって実行可能であり得る。
【００２６】
[0026]  例示的な例の第１６のセットでは、ワイヤレス通信のためのコンピュータ実行可能コードを記憶する別の非一時的コンピュータ可読媒体が説明される。一構成において、コードは、基地局の第２のＣＣセルを捕捉することと、第２のＣＣセルを捕捉することの後に基地局が第１のＣＣ通信をサポートすると決定することと、基地局が第１のＣＣ通信をサポートすると決定することに伴って、第１のＣＣ通信を使用して基地局と通信することとを行うためにプロセッサによって実行可能であり得る。いくつかの例において、本非一時的コンピュータ可読媒体はまた、例示的な例の第１３のセットに関して上記で説明されたワイヤレス通信のための方法の１つまたは複数の態様を実施するためのコードを含み得る。
【００２７】
[0027]  上記は、以下の詳細な説明がより良く理解され得るように、本開示による例の特徴および技術的利点についてやや広く概説した。追加の特徴および利点が以下で説明される。開示される概念および具体例は、本開示の同じ目的を実行するための他の構造を変更または設計するための基礎として容易に利用され得る。そのような等価な構成は、添付の特許請求の範囲から逸脱しない。本明細書で開示される概念の特性、それらの編成と動作方法の両方は、関連する利点とともに、添付の図に関連して以下の説明を検討するとより良く理解されよう。図の各々は、例示および説明の目的で与えられるものであり、特許請求の範囲の制限の定義として与えられるものではない。
【００２８】
[0028]  本発明の性質および利点のさらなる理解は、以下の図面を参照して実現され得る。添付の図において、同様の構成要素または特徴は同じ参照ラベルを有し得る。さらに、それらの様々な構成要素は、参照ラベルの後に、ダッシュと、それらの同様の構成要素同士を区別する第２のラベルとを続けることによって区別され得る。第１の参照ラベルのみが本明細書において使用される場合、説明は、第２の参照ラベルにかかわらず、同じ第１の参照ラベルを有する同様の構成要素のいずれにも適用可能である。
【図面の簡単な説明】
【００２９】
【図１】本開示の様々な態様による、ワイヤレス通信システムの一例を示す図。
【図２】本開示の様々な態様による、ワイヤレス通信システムの一例を示す図。
【図３】本開示の様々な態様による、リッスンビフォアトーク（ＬＢＴ）フレームの例示的な構造を示す図。
【図４】本開示の様々な態様による、時分割多重化（ＴＤＭ：time division multiplexed）通信ウィンドウのタイミング図。
【図５Ａ】本開示の様々な態様による、ＴＤＭ通信ウィンドウのタイミング図。
【図５Ｂ】本開示の様々な態様による、ＴＤＭ通信ウィンドウのタイミング図。
【図６】本開示の様々な態様による、ＬＢＴフレームの例示的な構造を示す図。
【図７】本開示の様々な態様による、ＬＢＴフレームの別の例示的な構造を示す図。
【図８】本開示の様々な態様による、ＬＢＴフレームの例示的な構造を示す図。
【図９】本開示の様々な態様による、時分割多重化通信ウィンドウのタイミング図。
【図１０】本開示の様々な態様による、基地局におけるワイヤレス通信において使用するためのデバイスのブロック図。
【図１１】本開示の様々な態様による、基地局におけるワイヤレス通信において使用するためのデバイスのブロック図。
【図１２】本開示の様々な態様による、基地局におけるワイヤレス通信において使用するためのデバイスのブロック図。
【図１３】本開示の様々な態様による、基地局におけるワイヤレス通信において使用するためのデバイスのブロック図。
【図１４】本開示の様々な態様による、基地局におけるワイヤレス通信において使用するためのデバイスのブロック図。
【図１５】本開示の様々な態様による、基地局におけるワイヤレス通信において使用するためのデバイスのブロック図。
【図１６】本開示の様々な態様による、ワイヤレス通信において使用するための基地局（例えば、発展型ノードＢ（ｅＮＢ）の一部または全部を形成する基地局）のブロック図。
【図１７】本開示の様々な態様による、ワイヤレス通信において使用するためのユーザ機器（ＵＥ）のブロック図。
【図１８】本開示の様々な態様による、基地局またはデバイスにおけるワイヤレス通信のための方法の一例を示すフローチャート。
【図１９】本開示の様々な態様による、基地局またはデバイスにおけるワイヤレス通信のための方法の一例を示すフローチャート。
【図２０】本開示の様々な態様による、基地局またはデバイスにおけるワイヤレス通信のための方法の一例を示すフローチャート。
【図２１】本開示の様々な態様による、ＵＥまたはデバイスにおけるワイヤレス通信のための方法の一例を示すフローチャート。
【図２２】本開示の様々な態様による、ＵＥまたはデバイスにおけるワイヤレス通信のための方法の一例を示すフローチャート。
【図２３】本開示の様々な態様による、ＵＥまたはデバイスなど、ＵＥまたはデバイスにおけるワイヤレス通信のための方法の一例を示すフローチャート。
【詳細な説明】
【００３０】
[0053]  共有無線周波数スペクトル帯域の共有チャネル上で拡張コンポーネントキャリア（ｅＣＣ）通信と非ｅＣＣ通信との間の共存を与えるための技法が説明される。いくつかの例において、共有無線周波数スペクトル帯域は、ロングタームエボリューション（ＬＴＥ（登録商標））またはＬＴＥアドバンスト（ＬＴＥ−Ａ）通信のために使用され得る。共有無線周波数スペクトル帯域は、専用無線周波数スペクトル帯域と組み合わせて、またはそれとは無関係に使用され得る。専用無線周波数スペクトル帯域は、無線周波数スペクトル帯域が特定のユーザに認可されているので、送信装置がそれのためにアクセスを求めて競合しないことがある、無線周波数スペクトル帯域（例えば、ＬＴＥ／ＬＴＥ−Ａ通信のために使用可能な認可無線周波数スペクトル帯域）であり得る。共有無線周波数スペクトル帯域は、デバイスがそれのためにアクセスを求めて競合する必要があり得る、無線周波数スペクトル帯域（例えば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域）であり得る。共有無線周波数スペクトル帯域の共有チャネルは、ｅＣＣ通信と非ｅＣＣ通信の両方のために基地局またはユーザ機器（ＵＥ）によって使用されるチャネルであり得る。共有チャネル、またはそれの部分は、Ｗｉ−Ｆｉデバイスなど、他のデバイスによっても使用され得る。他のデバイスは、他の通信技術（例えば、Ｗｉ−Ｆｉ技術）を使用し得る。
【００３１】
[0054]  以下の説明は、例を与えるものであり、特許請求の範囲に記載される範囲、適用可能性、または例を限定するものではない。本開示の範囲から逸脱することなく、説明される要素の機能および構成において変更が行われ得る。様々な例は、適宜に様々なプロシージャまたは構成要素を省略、置換、または追加し得る。例えば、説明される方法は、説明される順序とは異なる順序で行われ得、様々なステップが追加、省略、または組み合わせられ得る。また、いくつかの例に関して説明される特徴は、他の例において組み合わせられ得る。
【００３２】
[0055]  図１に、本開示の様々な態様による、ワイヤレス通信システム１００の一例を示す。ワイヤレス通信システム１００は、基地局１０５と、ＵＥ１１５と、コアネットワーク１３０とを含み得る。コアネットワーク１３０は、ユーザ認証と、アクセス許可と、トラッキングと、インターネットプロトコル（ＩＰ）接続性と、他のアクセス、ルーティング、またはモビリティ機能とを与え得る。基地局１０５は、バックホールリンク１３２（例えば、Ｓ１など）を通してコアネットワーク１３０とインターフェースし得、ＵＥ１１５との通信のための無線構成およびスケジューリングを行い得るか、または基地局コントローラ（図示せず）の制御下で動作し得る。様々な例において、基地局１０５は、ワイヤードまたはワイヤレス通信リンクであり得るバックホールリンク１３４（例えば、Ｘ１など）を介して、直接的または間接的のいずれかで（例えば、コアネットワーク１３０を通して）、互いと通信し得る。
【００３３】
[0056]  基地局１０５は、少なくとも１つの基地局アンテナを介してＵＥ１１５とワイヤレス通信し得る。基地局１０５のサイトの各々は、それぞれの地理的カバレージエリア１１０に通信カバレージを与え得る。いくつかの例において、基地局１０５は、基地トランシーバ局、無線基地局、アクセスポイント、無線トランシーバ、ノードＢ、ｅＮＢ、ホームノードＢ、ホームｅノードＢ、または何らかの他の好適な用語で呼ばれることがある。基地局１０５のための地理的カバレージエリア１１０は、カバレージエリアの一部分を構成するセクタに分割され得る（図示せず）。ワイヤレス通信システム１００は、異なるカバレージエリアをカバーする基地局１０５（例えば、マクロセル基地局またはスモールセル基地局）を含み得る。異なる技術のための重複する地理的カバレージエリア１１０があり得る。
【００３４】
[0057]  いくつかの例において、ワイヤレス通信システム１００はＬＴＥ／ＬＴＥ−Ａネットワークを含み得る。ＬＴＥ／ＬＴＥ−Ａネットワークにおいて、ｅＮＢという用語は、基地局１０５（または１つまたは複数の基地局１０５を含むエンティティ）を表すために使用され得る。ワイヤレス通信システム１００は、異なるｅＮＢが様々な地理的領域にカバレージを与える、異種ＬＴＥ／ＬＴＥ−Ａネットワークであり得る。例えば、各ｅＮＢまたは基地局１０５は、マクロセル、スモールセル、またはセルの他のものに通信カバレージを与え得る。「セル」という用語は、コンテキストに応じて、基地局、基地局に関連するキャリアまたはコンポーネントキャリア、あるいはキャリアまたは基地局のカバレージエリア（例えば、セクタなど）を表すために使用され得る３ＧＰＰ（登録商標）用語である。
【００３５】
[0058]  マクロセルは、比較的大きい地理的エリア（例えば、半径数キロメートル）をカバーし得、ネットワークプロバイダのサービスに加入しているＵＥによる無制限アクセスを可能にし得る。スモールセルは、マクロセルと比較して、同じまたは異なる（例えば、専用、共有などの）無線周波数スペクトルにおいてマクロセルとして動作し得る低電力基地局であり得る。スモールセルは、様々な例によれば、ピコセル、フェムトセル、およびマイクロセルを含み得る。ピコセルは、比較的小さい地理的エリアをカバーし得、ネットワークプロバイダのサービスに加入しているＵＥによる無制限アクセスを可能にし得る。フェムトセルは、比較的小さい地理的エリア（例えば、自宅）を同じくカバーし得、フェムトセルとの関連を有するＵＥ（例えば、限定加入者グループ（ＣＳＧ：closed subscriber group）中のＵＥ、自宅内のユーザのためのＵＥなど）による制限付きアクセスを与え得る。マクロセルのためのｅＮＢはマクロｅＮＢと呼ばれることがある。スモールセルのためのｅＮＢは、スモールセルｅＮＢ、ピコｅＮＢ、フェムトｅＮＢまたはホームｅＮＢと呼ばれることがある。ｅＮＢは、１つまたは複数の（例えば、２つ、３つ、４つなどの）セル（例えば、コンポーネントキャリア）をサポートし得る。
【００３６】
[0059]  ワイヤレス通信システム１００は同期動作または非同期動作をサポートし得る。同期動作の場合、基地局は同様のフレームタイミングを有し得、異なる基地局からの送信は近似的に時間的に整合され得る。非同期動作の場合、基地局は異なるフレームタイミングを有し得、異なる基地局からの送信は時間的に整合されないことがある。本明細書で説明される技法は、同期動作または非同期動作のいずれかのために使用され得る。
【００３７】
[0060]  様々な開示される例のうちのいくつかに適応し得る通信ネットワークは、階層化プロトコルスタックに従って動作するパケットベースネットワークであり得る。ユーザプレーンでは、ベアラまたはパケットデータコンバージェンスプロトコル（ＰＤＣＰ：packet data convergence protocol）レイヤにおける通信がＩＰベースであり得る。メディアアクセス制御（ＭＡＣ）レイヤは、論理チャネル上で通信するためにパケットセグメンテーションおよびリアセンブリを行い得、優先度処理と、トランスポートチャネルへの論理チャネルの多重化とをも行い得る。ＭＡＣレイヤはまた、リンク効率を改善するためにＭＡＣレイヤにおいて再送信を行うためにハイブリッド自動再送要求（ＨＡＲＱ：Hybrid Automatic-Repeat-Request）プロセスを使用し得る。制御プレーンでは、無線リソース制御（ＲＲＣ）プロトコルレイヤが、ユーザプレーンデータのための無線ベアラをサポートする、ＵＥ１１５と基地局１０５またはコアネットワーク１３０との間のＲＲＣ接続の確立と構成と保守とを行い得る。物理（ＰＨＹ）レイヤにおいて、トランスポートチャネルは物理チャネルにマッピングされ得る。
【００３８】
[0061]  ＵＥ１１５は、ワイヤレス通信システム１００全体にわたって分散され得、各ＵＥ１１５は固定または移動であり得る。ＵＥ１１５は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語をも含むか、あるいはそのように当業者によって呼ばれることもある。ＵＥ１１５は、ワイヤレス通信デバイス、パーソナルコンピュータ（例えば、ラップトップコンピュータ、ネットブックコンピュータ、タブレットコンピュータなど）、ハンドヘルドデバイス、セルラー電話、スマートフォン、コードレスフォン、ワイヤレスモデム、ワイヤレスローカルループ（ＷＬＬ）局、携帯情報端末（ＰＤＡ）、デジタルビデオレコーダ（ＤＶＲ）、インターネット機器、ゲーミングコンソール、電子リーダーなどであり得る。ＵＥは、マクロｅＮＢ、スモールセルｅＮＢ、リレー基地局などを含む、様々な基地局およびネットワーク機器と通信することが可能であり得る。ＵＥはまた、セルラー無線アクセス技術（ＲＡＴ）（例えば、ＬＴＥ／ＬＴＥ−Ａ  ＲＡＴ）、Ｗｉ−Ｆｉ  ＲＡＴ、または他のＲＡＴなど、異なるＲＡＴを使用して通信することが可能であり得る。
【００３９】
[0062]  ワイヤレス通信システム１００のいくつかの例において、基地局１０５またはＵＥ１１５は、アンテナダイバーシティ方式を採用するために複数のアンテナを含み、基地局１０５とＵＥ１１５との間の通信品質と信頼性とを改善し得る。追加または代替として、基地局１０５またはＵＥ１１５は、マルチパス環境を利用し得る多入力多出力（ＭＩＭＯ）技法を採用して、同じまたは異なるコード化データを搬送する複数の空間レイヤを送信し得る。
【００４０】
[0063]  基地局１０５およびＵＥ１１５は、コンポーネントキャリア（ＣＣ）、レイヤ、チャネルなどと呼ばれることもあるキャリアを使用して通信リンク１２５上で通信し得る。「コンポーネントキャリア」またはＣＣという用語は、キャリアアグリゲーション（ＣＡ）モードにおいて動作するＵＥによって利用される複数のキャリアの各々を指すことがあり、システム帯域幅の他の部分とは別個であり得る。例えば、ＣＣは、独立して、または他のコンポーネントキャリアと組み合わせて利用されることが可能である比較的狭い帯域幅のキャリアであり得る。各ＣＣは、ＬＴＥ規格のリリース８またはリリース９に基づく分離キャリアと同じ能力を与え得る。複数のＣＣは、いくつかのＵＥ１１５に、より大きい帯域幅と、例えば、より高いデータレートとを与えるために、アグリゲートされるか、またはコンカレントに利用され得る。従って、個々のＣＣは、レガシーＵＥ１１５（例えば、ＬＴＥリリース８またはリリース９を実施するＵＥ１１５）との後方互換性があることがあるが、他のＵＥ１１５（例えば、リリース８／９後のＬＴＥバージョンを実施するＵＥ１１５）は、マルチキャリアモードにおいて複数のＣＣで構成され得る。ダウンリンク（ＤＬ）送信のために使用されるキャリアはＤＬ  ＣＣと呼ばれることがあり、アップリンク（ＵＬ）送信のために使用されるキャリアはＵＬ  ＣＣと呼ばれることがある。ＵＥ１１５は、キャリアアグリゲーションのために、複数のＤＬ  ＣＣと１つまたは複数のＵＬ  ＣＣとで構成され得る。各キャリアは、制御情報（例えば、基準信号、制御チャネルなど）、オーバーヘッド情報、データなどを送信するために使用され得る。
【００４１】
[0064]  ＵＥ１１５は、複数のキャリアを利用して単一の基地局１０５と通信し得、また、異なるキャリア上で同時に複数の基地局と通信し得る。基地局１０５の各セルは、ＵＬ  ＣＣとＤＬ  ＣＣとを含み得る。基地局１０５のための各サービングセルのカバレージエリア１１０は異なり得る（例えば、異なる周波数帯域上のＣＣは、異なる経路損失を経験し得る）。いくつかの例では、あるキャリアが、１次セル（ＰＣｅｌｌ）によってサービスされ得る、ＵＥ１１５のための１次キャリアまたは１次コンポーネントキャリア（ＰＣＣ）として指定される。１次セルは、ＵＥごとに上位レイヤ（例えば、無線リソース制御（ＲＲＣ）など）によって半静的に構成され得る。物理アップリンク制御チャネル（ＰＵＣＣＨ）上で送信される、あるアップリンク制御情報（ＵＣＩ）、例えば、肯定応答（ＡＣＫ）／否定応答（ＮＡＣＫ）、チャネル品質インジケータ（ＣＱＩ）、およびスケジューリング情報は、ＰＣｅｌｌによって搬送される。追加のキャリアが、２次セル（ＳＣｅｌｌ）によってサービスされ得る、２次キャリア、または２次コンポーネントキャリア（ＳＣＣ）として指定され得る。２次セルは、同様に、ＵＥごとに半静的に構成され得る。いくつかの場合に、ＳＣｅｌｌは、ＰＣｅｌｌと同じ制御情報を含まないかまたはそれを送信するように構成されないことがある。
【００４２】
[0065]  いくつかの場合に、ワイヤレス通信システム１００は、１つまたは複数のｅＣＣを利用し得る。ＳＣｅｌｌは、例えば、ｅＣＣであり得る。ｅＣＣは、より広い帯域幅と、より短いＯＦＤＭシンボル持続時間と、より短い送信時間間隔（ＴＴＩ）と、異なる無線通信プロトコルとを含む１つまたは複数の特徴によって特徴づけられ得る。いくつかの場合に、ｅＣＣは、ＣＡ構成またはデュアル接続性構成（すなわち、複数のサービングセルが準最適バックホールリンクを有するとき）に関連し得る。ｅＣＣはまた、（２つ以上の事業者が、スペクトルを使用することを許可された場合）無認可スペクトルまたは共有スペクトルにおいて使用するために構成され得る。より広い帯域幅によって特徴づけられるｅＣＣは、全帯域幅を監視することが可能でないか、または（例えば、電力を節約するために）限られた帯域幅を使用することを選好するＵＥ１１５によって利用され得る１つまたは複数のセグメントを含み得る。
【００４３】
[0066]  いくつかの場合に、ｅＣＣは、他のＣＣのシンボル持続時間と比較して低減されたシンボル持続時間であり得る、異なるシンボル持続時間を利用し得る。より短いシンボル持続時間は、増加されたサブキャリア間隔に関連し得る。ｅＣＣ中のＴＴＩは、１つまたは複数のシンボルからなり得る。いくつかの場合に、ＴＴＩ持続時間（すなわち、ＴＴＩ中のシンボルの数）は可変であり得る。いくつかの例において、ｅＣＣは、異なるＴＴＩ長に関連する複数の階層レイヤを含み得る。例えば、ある階層レイヤにおけるＴＴＩは均一な１ミリ秒（１ｍｓ）サブフレームに対応し得るが、第２のレイヤでは、可変長ＴＴＩは短い持続時間のバーストに対応し得る。低減されたＴＴＩ長とともに、ｅＣＣは、動的時分割複信（ＴＤＤ）動作を利用し得る（すなわち、それは、動的条件に従って短いバーストのためにダウンリンク（ＤＬ）動作からアップリンク（ＵＬ）動作に切り替え得る）。
【００４４】
[0067]  より広い帯域幅およびより短いＴＴＩが変更制御チャネル構成に関連し得る（例えば、ｅＣＣは、ＤＬ制御情報のための拡張物理ダウンリンク制御チャネル（ｅＰＤＣＣＨ）を利用し得る）。例えば、ｅＣＣの１つまたは複数の制御チャネルは、フレキシブル帯域幅使用に適応するために、周波数分割多重化（ＦＤＭ）スケジューリングを利用し得る。他の制御チャネル変更は、（例えば、発展型マルチメディアブロードキャストマルチキャストサービス（ｅＭＢＭＳ）スケジューリングのための、または可変長ＵＬおよびＤＬバーストの長さを示すための）追加の制御チャネルの使用、または異なる間隔で送信される制御チャネルの使用を含む。
【００４５】
[0068]  図２に、本開示の様々な態様による、ワイヤレス通信システム２００の一例を示す。ワイヤレス通信システム２００は、図１を参照しながら説明された基地局１０５またはＵＥ１１５の態様の例であり得る、いくつかの基地局１０５−ａ、１０５−ｂ、１０５−ｃと、いくつかのＵＥ１１５−ａ、１１５−ｂ−１、１１５−ｂ−２、１１５−ｃ−１、１１５−ｃ−２とを含み得る。いくつかの例において、基地局１０５−ａ、１０５−ｂ、および１０５−ｃの各々は、共有無線周波数スペクトル帯域上でいくつかのＵＥと通信し得る。基地局１０５−ａ、１０５−ｂ、１０５−ｃの一部または全部は、専用無線周波数スペクトル帯域上でもＵＥと通信し得る。共有無線周波数スペクトル帯域は、送信デバイスがそれのためにアクセスを求めて競合し得る、無線周波数スペクトル帯域（例えば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域）を含み得る。専用無線周波数スペクトル帯域は、送信デバイスがそれのためにアクセスを求めて競合しないことがある、無線周波数スペクトル帯域（例えば、ＬＴＥ／ＬＴＥ−Ａ通信のために使用可能な認可無線周波数スペクトル帯域など、特定の使用のための特定のユーザに認可された無線周波数スペクトル帯域）を含み得る。
【００４６】
[0069]  例として、第１の基地局１０５−ａは、共有無線周波数スペクトル帯域の共有チャネル２０５中で、第１のＵＥ１１５−ａを含むいくつかのＵＥと通信し得る。いくつかの例において、共有チャネル２０５は、２０〜８０ＭＨｚ  ｅＣＣと最高４つの２０ＭＨｚ非ｅＣＣとを含む８０ＭＨｚチャネルであり得る。共有チャネル２０５中でのｅＣＣ通信と非ｅＣＣ通信と場合によっては他の技術（例えば、Ｗｉ−Ｆｉ技術）の通信との間の共存を与えるために、基地局１０５−ａは、共有チャネル２０５中でｅＣＣ対応ＵＥまたは非ｅＣＣ対応ＵＥをサービスし得る。さらに、基地局１０５−ａは、共有無線周波数スペクトル帯域の共有チャネル２０５へのアクセスを求めて競合し得る。いくつかの例において、共有チャネル２０５へのアクセスを求めて競合することは、クリアチャネルアセスメント（ＣＣＡ）プロシージャまたは拡張クリアチャネルアセスメント（ｅＣＣＡ）プロシージャなど、リッスンビフォアトーク（ＬＢＴ）プロシージャを行うことを含み得る。いくつかの例において、基地局１０５−ａは、共有チャネル２０５の各２０ＭＨｚセグメントへのアクセスを求めて別々におよび同時に競合することによって、共有チャネル２０５へのアクセスを求めて競合し得る。共有チャネル２０５の一部または全部へのアクセスを求める競合に勝つことに伴い、基地局１０５−ａは、共有チャネル２０５の一部上でＵＥ１１５−ａと通信し得る。
【００４７】
[0070]  さらなる例として、第２の基地局１０５−ｂは、共有無線周波数スペクトル帯域のそれぞれの第１および第２の共有チャネル中で少なくとも１つのｅＣＣ対応ＵＥ（例えば、第２のＵＥ１１５−ｂ−１）および少なくとも１つの非ｅＣＣ対応ＵＥ（例えば、第３のＵＥ１１５−ｂ−２）と通信し得る。いくつかの例において、共有チャネル２０５−ａおよび２０５−ｂの各々は、２０〜８０ＭＨｚ  ｅＣＣと最高４つの２０ＭＨｚ非ｅＣＣとを含む８０ＭＨｚチャネルであり得る。共有チャネル２０５−ａおよび２０５−ｂ中でのｅＣＣ通信と非ｅＣＣ通信と場合によっては他の技術（例えば、Ｗｉ−Ｆｉ技術）の通信との間の共存を与えるために、基地局１０５−ｂは、共有チャネル２０５−ａ上でｅＣＣ対応ＵＥをサービスし、共有チャネル２０５−ｂ上で非ｅＣＣ対応ＵＥをサービスし得る。このようにして、ｅＣＣ通信と非ｅＣＣ通信との間の周波数分離が与えられ得る。さらに、基地局１０５−ｂは、共有チャネル２０５−ａおよび２０５−ｂへのアクセスを求めて競合し得る。いくつかの例において、共有チャネル２０５−ａおよび２０５−ｂへのアクセスを求めて競合することは、ＣＣＡプロシージャまたはｅＣＣＡプロシージャなど、ＬＢＴプロシージャを行うことを含み得る。いくつかの例において、基地局１０５−ｂは、共有チャネル２０５−ａおよび２０５−ｂ中で各２０ＭＨｚセグメントへのアクセスを求めて別々におよび同時に競合することによって、共有チャネル２０５−ａおよび２０５−ｂへのアクセスを求めて競合し得る。共有チャネル２０５−ａまたは２０５−ｂの一部または全部へのアクセスを求める競合に勝つことに伴い、基地局１０５−ｂは、共有チャネル２０５−ａまたは２０５−ｂの一部上でＵＥ１１５−ｂ−１または１１５−ｂ−２と通信し得る。
【００４８】
[0071]  共有チャネル２０５−ａおよび２０５−ｂ中でｅＣＣ対応ＵＥおよび非ｅＣＣ対応ＵＥと通信するとき、基地局１０５−ｃは、無線周波数（ＲＦ）漏洩によるチャネル干渉を回避するための共存技法（例えば、隣接チャネル漏洩電力比（ＡＣＬＲ：adjacent channel leakage power ratio）を低減するための技法）を採用し得る。共存技法は、例えば、干渉回避、緩和、または消去技法を含み得る。
【００４９】
[0072]  さらなる例として、第３の基地局１０５−ｃは、共有無線周波数スペクトル帯域の共有チャネル２０５−ｃ中で少なくとも１つのｅＣＣ対応ＵＥ（例えば、第４のＵＥ１１５−ｃ−１）および少なくとも１つの非ｅＣＣ対応ＵＥ（例えば、第５のＵＥ１１５−ｃ−２）と通信し得る。いくつかの例において、共有チャネル２０５−ｃは、２０〜８０ＭＨｚ  ｅＣＣと最高４つの２０ＭＨｚ非ｅＣＣとを含む８０ＭＨｚチャネルであり得る。共有チャネル２０５−ｃ中でのｅＣＣ通信と非ｅＣＣ通信と場合によっては他の技術（例えば、Ｗｉ−Ｆｉ技術）の通信との間の共存を与えるために、基地局１０５−ｃは、共有チャネル２０５−ｃ上でＦＤＭまたは時分割多重化（ＴＤＭ）様式でｅＣＣ対応ＵＥおよび非ｅＣＣ対応ＵＥをサービスし得る。このようにして、ｅＣＣ通信と非ｅＣＣ通信との間の時間分離が与えられ得る。さらに、基地局１０５−ｃは、共有チャネル２０５−ｃへのアクセスを求めて競合し得る。いくつかの例において、共有チャネル２０５−ｃへのアクセスを求めて競合することは、ＣＣＡプロシージャまたはｅＣＣＡプロシージャなど、ＬＢＴプロシージャを行うことを含み得る。いくつかの例において、基地局１０５−ｃは、共有チャネル２０５−ｃ中で各２０ＭＨｚセグメントへのアクセスを求めて別々におよび同時に競合することによって、共有チャネル２０５−ｃへのアクセスを求めて競合し得る。共有チャネル２０５−ｃの一部または全部へのアクセスを求める競合に勝つことに伴い、基地局１０５−ｃは、共有チャネル２０５−ｃの一部上でＵＥ１１５−ｃ−１および１１５−ｃ−２と通信し得る。
【００５０】
[0073]  図３は、本開示の様々な態様による、ＬＢＴフレーム３００の例示的な構造を示す。いくつかの例において、ＬＢＴフレーム３００は、図２を参照しながら説明された共有チャネル２０５−ｃ中での通信を定義するために使用され得る。共有無線周波数スペクトル帯域は、送信デバイスがそれのためにアクセスを求めて競合する必要があり得る、無線周波数スペクトル帯域（例えば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域）を含み得る。例として、ＬＢＴフレームは、８０ＭＨｚの帯域幅を有し得、２０〜８０ＭＨｚ  ｅＣＣ送信または１〜４つの２０ＭＨｚ非ｅＣＣ送信をサービスし得る。
【００５１】
[0074]  ＬＢＴフレーム３００は、プリアンブル部分３１５と制御／データ部分３２０とを含み得る。プリアンブル部分３１５は任意の数のプリアンブルを含み得、そのプリアンブルは異なるタイプのデバイスによって理解され得る。例えば、プリアンブル部分３１５は、１つまたは複数のＷｉ−Ｆｉプリアンブル、１つまたは複数の非ｅＣＣプリアンブル（例えば、チャネル使用ビーコン信号（ＣＵＢＳ：channel usage beacon signal））、または１つまたは複数のｅＣＣプリアンブルを含み得る。同様に、制御／データ部分は、非ｅＣＣ対応デバイス、ｅＣＣ対応デバイス、またはそれらの組合せのための制御／データ部分を含み得る。プリアンブルは、ＬＢＴフレーム３００の境界まで共有チャネルを予約するために、および制御／データ部分３２０に関する情報を伝達するために使用され得る。ＬＢＴフレーム３００の例示的な具体例は、図４、図５、図６、図７、図８、および図９を参照しながら説明される。
【００５２】
[0075]  図４は、本開示の様々な態様による、ＴＤＭ通信ウィンドウのタイミング図４００を示す。時分割多重化通信ウィンドウは、第１のＣＣ通信ウィンドウ（例えば、第１のＣＣ  ＬＢＴフレーム４０５）と第２のＣＣ通信ウィンドウ（例えば、第２のＣＣ  ＬＢＴフレーム４１０）とを含み得る。第１のＣＣ通信ウィンドウおよび第２のＣＣ通信ウィンドウは、共有無線周波数スペクトル帯域の共有チャネル中で多重化され得る。いくつかの例において、通信ウィンドウは、基地局（例えば、図１または図２を参照しながら説明された基地局１０５）と１つまたは複数のＵＥ（例えば、図１または図２を参照しながら説明されたＵＥ１１５のうちの１つまたは複数）との間の通信のために使用され得る。いくつかの例では、第１のＣＣ通信ウィンドウのＯＦＤＭシンボルの持続時間が、第２のＣＣ通信ウィンドウのＯＦＤＭシンボルの持続時間とは異なり得る。
【００５３】
[0076]  共有無線周波数スペクトル帯域は、送信デバイスがそれのためにアクセスを求めて競合する必要があり得る、無線周波数スペクトル帯域（例えば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域）を含み得る。例として、共有チャネルは８０ＭＨｚチャネルであり得、第１のＣＣ通信ウィンドウが２０〜８０ＭＨｚ  ｅＣＣを含み、第２のＣＣ通信ウィンドウが１〜４つの２０ＭＨｚ非ｅＣＣを含む。
【００５４】
[0077]  タイミング図４００において、基地局は、いくつかのＬＢＴフレーム４０５または４１０の各々の間、共有チャネルへのアクセスを求めて競合し得る。いくつかの例において、共有チャネルへのアクセスを求めて競合することは、ＣＣＡプロシージャまたはｅＣＣＡプロシージャなど、ＬＢＴプロシージャを行うことを含み得る。いくつかの例において、基地局は、各２０ＭＨｚセグメントへのアクセスを求めて別々におよび同時に競合することによって、共有チャネルへのアクセスを求めて競合し得る。例として、タイミング図４００は、基地局が、第１のＬＢＴフレーム４０５−ａの間、共有チャネルの全帯域幅へのアクセスを求める競合に勝つが、第２のＬＢＴフレーム４１０および第３のＬＢＴフレーム４０５−ｂ中で共有チャネルの帯域幅の一部へのアクセスを求める競合に勝つことを示す。いくつかの場合に、基地局は、（１つまたは複数の）２０ＭＨｚセグメント上のＷｉ−Ｆｉアクティビティ（例えば、Ｗｉ−Ｆｉ無線フレーム４１５および４１５−ａ）のために、共有チャネルの１つまたは複数の２０ＭＨｚセグメントへのアクセスに勝つことができないことがある。
【００５５】
[0078]  いくつかの具体例では、基地局が、ＬＢＴフレーム中でスケジュールされるべきトラフィックのタイプ（例えば、第１のＣＣ対応ＵＥへの送信のための第１のＣＣトラフィックまたは第２のＣＣ対応ＵＥへの送信のための第２のＣＣトラフィック）に少なくとも部分的に基づいて、または、基地局によってサービスされるＵＥのタイプに少なくとも部分的に基づいて（例えば、基地局によってサービスされる第１のＣＣ対応ＵＥおよび第２のＣＣ対応ＵＥの数に少なくとも部分的に基づいて）ＬＢＴフレームを構成し得る。他の具体例では、この基地局が、通信ウィンドウの静的または半静的時間領域シーケンス（例えば、第１のＣＣ通信ウィンドウおよび第２のＣＣ通信ウィンドウのシーケンス）に基づいてＬＢＴフレームを構成し得る。いずれの場合も、第１のＣＣ通信ウィンドウおよび第２のＣＣ通信ウィンドウは、ＬＢＴフレームレベル（例えば、パケットレベル）において時分割多重化され得る。
【００５６】
[0079]  共有チャネル中で多重化された第１のＣＣ通信ウィンドウおよび第２のＣＣ通信ウィンドウは、ダウンリンク送信またはアップリンク送信を搬送するようにスケジュールされ得る。
【００５７】
[0080]  いくつかの具体例において、第１のＣＣ通信ウィンドウ（または第１のＣＣ  ＬＢＴフレーム４０５）の持続時間は、第２のＣＣ通信ウィンドウ（または第２のＣＣ  ＬＢＴフレーム４１０）の持続時間とは異なり得る。いくつかの具体例において、異なる第１のＣＣ通信ウィンドウ（または第１のＣＣ  ＬＢＴフレーム４０５）の持続時間は異なり得、または、異なる第２のＣＣ通信ウィンドウ（または第２のＣＣ  ＬＢＴフレーム４１０）の持続時間は異なり得る。
【００５８】
[0081]  図５Ａは、本開示の様々な態様による、ＴＤＭ通信ウィンドウのタイミング図５００を示す。時分割多重化通信ウィンドウは、第１のＣＣ通信ウィンドウ５０５と第２のＣＣ通信ウィンドウ５１０とを含み得る。第１のＣＣ通信ウィンドウおよび第２のＣＣ通信ウィンドウは、共有無線周波数スペクトル帯域の共有チャネル５１５中で多重化され得る。いくつかの例において、通信ウィンドウは、基地局（例えば、図１または図２を参照しながら説明された基地局１０５）と１つまたは複数のＵＥ（例えば、図１または図２を参照しながら説明されたＵＥ１１５のうちの１つまたは複数）との間の通信のために使用され得る。いくつかの例では、第１のＣＣ通信ウィンドウのＯＦＤＭシンボルの持続時間が、第２のＣＣ通信ウィンドウのＯＦＤＭシンボルの持続時間とは異なり得る。
【００５９】
[0082]  共有無線周波数スペクトル帯域は、送信デバイスがそれのためにアクセスを求めて競合する必要があり得る、無線周波数スペクトル帯域（例えば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域）を含み得る。例として、チャネル５１５は８０ＭＨｚチャネルであり得、第１のＣＣ通信ウィンドウ５０５が２０〜８０ＭＨｚ  ｅＣＣを含み、第２のＣＣ通信ウィンドウ５１０が１〜４つの２０ＭＨｚ非ｅＣＣを含む。
【００６０】
[0083]  タイミング図５００では、基地局が、いくつかのＬＢＴフレームの各々（例えば、プリアンブル５２５の送信に続く通信ウィンドウの各グループ）の間、共有チャネル５１５へのアクセスを求めて競合し得る。いくつかの例において、共有チャネル５１５へのアクセスを求めて競合することは、ＣＣＡプロシージャまたはｅＣＣＡプロシージャなど、ＬＢＴプロシージャを行うことを含み得る。いくつかの例において、基地局は、各２０ＭＨｚセグメントへのアクセスを求めて別々におよび同時に競合することによって、共有チャネル５１５へのアクセスを求めて競合し得る。いくつかの場合に、基地局は、（１つまたは複数の）２０ＭＨｚセグメント上のＷｉ−Ｆｉアクティビティのために、第１の共有チャネル５１５または第２の共有チャネル５２０の１つまたは複数の２０ＭＨｚセグメントへのアクセスに勝つことができないことがある。
【００６１】
[0084]  いくつかの例では、および図示のように、単一の２０ＭＨｚセグメントを使用して第２のＣＣアップリンクが与えられ得る。他の例では、この第２のＣＣアップリンクが、追加の２０ＭＨｚセグメントを使用して与えられ得る。
【００６２】
[0085]  いくつかの具体例では、基地局が、ＬＢＴフレーム中でスケジュールされるべきトラフィックのタイプ（例えば、第１のＣＣ対応ＵＥへの送信のための第１のＣＣトラフィック、第２のＣＣ対応ＵＥへの送信のための第２のＣＣトラフィック、またはそれらの組合せ）に少なくとも部分的に基づいて、または、基地局によってサービスされるＵＥのタイプに少なくとも部分的に基づいて（例えば、基地局によってサービスされる第１のＣＣ対応ＵＥおよび第２のＣＣ対応ＵＥの数に少なくとも部分的に基づいて）共有チャネル５１５のＬＢＴフレームを構成し得る。他の具体例では、この基地局が、通信ウィンドウの静的または半静的時間領域シーケンス（例えば、第１のＣＣ通信ウィンドウ５０５および第２のＣＣ通信ウィンドウ５１０のシーケンス）に基づいて共有チャネル５１５のＬＢＴフレームを構成し得る。いずれの場合も、第１のＣＣ通信ウィンドウ５０５および第２のＣＣ通信ウィンドウ５１０は、ＬＢＴフレームレベルまたはそれ以下（例えば、ＬＢＴフレーム内）において時分割多重化され得る。
【００６３】
[0086]  通信ウィンドウの時分割多重化がＬＢＴフレーム内で行われるとき、図５Ａに示されているように、第１のＣＣ通信ウィンドウ５０５と第２のＣＣ通信ウィンドウ５１０との間の区分は、ＬＢＴフレームの制御チャネル（例えば、物理フレームフォーマットインジケータチャネル（ＰＦＦＩＣＨ：physical frame format indicator channel）中でシグナリングされ得る。代替的に、第１のＣＣ通信ウィンドウ５０５と第２のＣＣ通信ウィンドウ５１０との間の区分は、１つまたは複数の第１のＣＣ対応ＵＥに、第１のＣＣ通信のためのリソースの１つまたは複数の許可（例えば、少なくとも第１の許可を含む１つまたは複数の許可）を送信することによって示され得る。いくつかの例において、区分は、１つまたは複数の第２のＣＣ対応ＵＥに、第２のＣＣ通信のためのリソースの１つまたは複数の許可（例えば、少なくとも第２の許可を含む１つまたは複数の許可）を送信することによっても示され得る。
【００６４】
[0087]  図５Ｂは、本開示の様々な態様による、ＴＤＭ通信ウィンドウのタイミング図５００−ａを示す。時分割多重化通信ウィンドウは、第１のＣＣ通信ウィンドウ５０５−ａと第２のＣＣ通信ウィンドウ５１０−ａとを含み得る。第１のＣＣ通信ウィンドウおよび第２のＣＣ通信ウィンドウは、共有無線周波数スペクトル帯域の共有チャネル５１５−ａ中で多重化され得る。いくつかの例において、通信ウィンドウは、基地局（例えば、図１または図２を参照しながら説明された基地局１０５）と１つまたは複数のＵＥ（例えば、図１または図２を参照しながら説明されたＵＥ１１５のうちの１つまたは複数）との間の通信のために使用され得る。いくつかの例では、第１のＣＣ通信ウィンドウのＯＦＤＭシンボルの持続時間が、第２のＣＣ通信ウィンドウのＯＦＤＭシンボルの持続時間とは異なり得る。
【００６５】
[0088]  共有無線周波数スペクトル帯域は、送信デバイスがそれのためにアクセスを求めて競合する必要があり得る、無線周波数スペクトル帯域（例えば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域）を含み得る。例として、チャネル５１５−ａは８０ＭＨｚチャネルであり得、第１のＣＣ通信ウィンドウ５０５−ａが２０〜８０ＭＨｚ  ｅＣＣを含み、第２のＣＣ通信ウィンドウ５１０−ａが１〜４つの２０ＭＨｚ非ｅＣＣを含む。
【００６６】
[0089]  タイミング図５００−ａでは、基地局が、いくつかのＬＢＴフレームの各々（例えば、プリアンブル５２５−ａの送信に続く通信ウィンドウの各グループ）の間、共有チャネル５１５−ａへのアクセスを求めて競合し得る。いくつかの例において、共有チャネル５１５−ａへのアクセスを求めて競合することは、ＣＣＡプロシージャまたはｅＣＣＡプロシージャなど、ＬＢＴプロシージャを行うことを含み得る。いくつかの例において、基地局は、各２０ＭＨｚセグメントへのアクセスを求めて別々におよび同時に競合することによって、共有チャネル５１５−ａへのアクセスを求めて競合し得る。いくつかの場合に、基地局は、（１つまたは複数の）２０ＭＨｚセグメント上のＷｉ−Ｆｉアクティビティのために、第１の共有チャネル５１５−ａまたは第２の共有チャネル５２０−ａの１つまたは複数の２０ＭＨｚセグメントへのアクセスに勝つことができないことがある。
【００６７】
[0090]  いくつかの例では、および図示のように、単一の２０ＭＨｚセグメントを使用して第２のＣＣアップリンクおよび第２のＣＣダウンリンクが与えられ得る。他の例では、この第２のＣＣアップリンクまたは第２のＣＣダウンリンクが、追加の２０ＭＨｚセグメントを使用して与えられ得る。
【００６８】
[0091]  いくつかの具体例では、基地局が、ＬＢＴフレーム中でスケジュールされるべきトラフィックのタイプ（例えば、第１のＣＣ対応ＵＥへの送信のための第１のＣＣトラフィック、第２のＣＣ対応ＵＥへの送信のための第２のＣＣトラフィック、またはそれらの組合せ）に少なくとも部分的に基づいて、または、基地局によってサービスされるＵＥのタイプに少なくとも部分的に基づいて（例えば、基地局によってサービスされる第１のＣＣ対応ＵＥおよび第２のＣＣ対応ＵＥの数に少なくとも部分的に基づいて）共有チャネル５１５−ａのＬＢＴフレームを構成し得る。他の具体例では、この基地局が、通信ウィンドウの静的または半静的時間領域シーケンス（例えば、第１のＣＣ通信ウィンドウ５０５−ａおよび第２のＣＣ通信ウィンドウ５１０−ａのシーケンス）に基づいて共有チャネル５１５−ａのＬＢＴフレームを構成し得る。いずれの場合も、第１のＣＣ通信ウィンドウ５０５−ａおよび第２のＣＣ通信ウィンドウ５１０−ａは、ＬＢＴフレームレベルまたはそれ以下（例えば、ＬＢＴフレーム内）において時分割多重化され得る。
【００６９】
[0092]  通信ウィンドウの時分割多重化がＬＢＴフレーム内で行われるとき、図５Ｂに示されているように、第１のＣＣ通信ウィンドウ５０５−ａと第２のＣＣ通信ウィンドウ５１０−ａとの間の区分は、ＬＢＴフレームの制御チャネル（例えば、物理フレームフォーマットインジケータチャネル（ＰＦＦＩＣＨ）中でシグナリングされ得る。代替的に、第１のＣＣ通信ウィンドウ５０５−ａと第２のＣＣ通信ウィンドウ５１０−ａとの間の区分は、１つまたは複数の第１のＣＣ対応ＵＥに、第１のＣＣ通信のためのリソースの１つまたは複数の許可（例えば、少なくとも第１の許可を含む１つまたは複数の許可）を送信することによって示され得る。いくつかの例において、区分は、１つまたは複数の第２のＣＣ対応ＵＥに、第２のＣＣ通信のためのリソースの１つまたは複数の許可（例えば、少なくとも第２の許可を含む１つまたは複数の許可）を送信することによっても示され得る。
【００７０】
[0093]  図６は、本開示の様々な態様による、ＬＢＴフレーム６００の例示的な構造を示す。いくつかの例において、ＬＢＴフレーム６００は、図４または図５を参照しながら説明された第１のＣＣ  ＬＢＴフレームのうちの１つまたは複数の一例であり得、共有無線周波数スペクトル帯域の共有チャネル中で送信され得る。共有無線周波数スペクトル帯域は、送信デバイスがそれのためにアクセスを求めて競合する必要があり得る、無線周波数スペクトル帯域（例えば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域）を含み得る。例として、共有チャネルは８０ＭＨｚチャネルであり得、第１のＣＣ通信ウィンドウが２０〜８０ＭＨｚ  ｅＣＣを含み、第２のＣＣ通信ウィンドウが１〜４つの２０ＭＨｚ非ｅＣＣを含む。
【００７１】
[0094]  いくつかの例において、ＬＢＴフレーム６００は、第２のＣＣプリアンブル部分６０５（例えば、２０ＭＨｚキャリアまたは狭帯域チャネルごとに送信された第２のＣＣプリアンブルを含む部分）と、第１のＣＣプリアンブル部分６１０（例えば、８０ＭＨｚキャリアまたは広帯域チャネルごとに送信された第１のＣＣプリアンブルを含む部分）と、第１のＣＣ制御／データ部分６１５（例えば、８０ＭＨｚキャリアまたは広帯域チャネルごとに送信された第１のＣＣ制御／データ部分を含む部分）とを含み得る。第２のＣＣプリアンブル部分６０５は第１のＣＣプリアンブル部分６１０に先行し得、第１のＣＣプリアンブル部分６１０は第１のＣＣ制御／データ部分６１５に先行し得る。いくつかの具体例において、第２のＣＣプリアンブル部分６０５は、随意のＷｉ−Ｆｉプリアンブル部分６２０を含み得る。Ｗｉ−Ｆｉプリアンブル部分６２０は第２のＣＣプリアンブル部分６０５の残りに先行し得る。いくつかの例において、第２のＣＣプリアンブル部分６０５中に含まれる１つまたは複数の第２のＣＣプリアンブルは、ＬＢＴフレーム６００が第１のＣＣ  ＬＢＴフレームとして構成されるというインジケーションを含み得る。いくつかの例において、インジケーションは、スクランブリング、ＰＬＭＮ  ＩＤ、セルＩＤ、制御シグナリング（例えば、ＰＦＦＩＣＨ中の値）、シーケンス、またはそれらの組合せを含み得る。スクランブリングは、第２のＣＣプリアンブルの一部または全部のスクランブリングであり得、第１のＣＣ  ＬＢＴフレームを第２のＣＣ  ＬＢＴフレームと区別し得る。同様に、ＰＬＭＮ  ＩＤ、セルＩＤ、制御シグナリング、シーケンス、またはそれらの組合せは、第１のＣＣ  ＬＢＴフレームを第２のＣＣ  ＬＢＴフレームと区別し得る。いくつかの具体例において、シーケンスは、ＬＢＴフレーム６００が第１のＣＣ  ＬＢＴフレームであることを示すために、また、異なるＰＬＭＮ（例えば、サービングＰＬＭＮまたは他のＰＬＭＮ）を弁別するために使用され得る。ＬＢＴフレーム６００が第１のＣＣ  ＬＢＴフレームであるというインジケーションを第２のＣＣプリアンブルが含まないとき、ＵＥは、例えば、第１のＣＣプリアンブル部分６１０または第１のＣＣ制御／データ部分６１５中で送信された制御チャネルを復号することによって、ＬＢＴフレーム６００を第１のＣＣ  ＬＢＴフレームとして識別し得る。
【００７２】
[0095]  ＬＢＴフレーム６００は、ダウンリンク送信またはアップリンク送信のためにスケジュールされ得る。ＬＢＴフレーム６００は、それが、共有チャネルが第１のＣＣ  ＬＢＴフレームの送信のために使用されるとき、第２のＣＣ対応であるが第１のＣＣ対応でないＵＥが、第２のＣＣプリアンブル部分６０５を復号し、共有チャネルへのアクセスを延期することを可能にするという点で有用であり得る。また、第２のＣＣプリアンブル部分６０５を復号するＵＥの能力は、ＵＥが、（例えば、共有チャネル上でのエネルギー検出に基づく延期と比較して）共有チャネルへのアクセスを延期することを、より良く可能にし得る。いくつかの例において、第２のＣＣは、より古いまたはレガシー展開ＣＣ（例えば、Ｗｉ−Ｆｉユーザなどの非ライセンスユーザと共有される無線周波数スペクトル帯域上で展開されるＬＴＥ／ＬＴＥ−Ａ  ＣＣ）であり得、第１のＣＣは、より新しい展開ＣＣ（例えば、ｅＣＣ）であり得る。レガシー展開ＵＥは、第１のＣＣではなく第２のＣＣ上で搬送される情報を理解し得る。より新しい展開ＵＥは、第１のＣＣと第２のＣＣの両方上で搬送される情報を理解し得る。両方のタイプのＵＥをサービスすることを希望する基地局は、レガシー展開ＵＥが第１のＣＣ  ＬＢＴフレームを全体として理解できるかどうかにかかわらず、レガシー展開ＵＥが、プリアンブルと、プリアンブル中で搬送される情報とを理解し得るように、第２のＣＣ  ＬＢＴフレームと第１のＣＣ  ＬＢＴフレームの両方中で第２のＣＣプリアンブルを送信し得る。同様に、Ｗｉ−Ｆｉプリアンブルを送信することは、Ｗｉ−Ｆｉデバイスが、プリアンブルと、プリアンブル中で搬送される情報とを理解することを可能にする、。特に、プリアンブルは、送信の長さに関する情報を搬送し得、その長さ情報は、レガシー展開ＵＥを含む、送信の対象とされない受信機が、仮想キャリア検知を使用して媒体へのアクセスを延期することを可能にし得る。
【００７３】
[0096]  図６は、基地局が共有チャネルの全８０ＭＨｚ帯域幅へのアクセスを求める競合に勝つと仮定する。いくつかの例において、基地局は、帯域幅の一部（すなわち、２０ＭＨｚセグメントの全てではなくいくつか）へのアクセスを求める競合に勝つにすぎないことがあり、その場合、基地局は、第２のＣＣプリアンブル部分を送信し、基地局がアクセスを有する帯域幅の一部上で第１のＣＣ通信ウィンドウをスケジュールし得る。
【００７４】
[0097]  図７は、本開示の様々な態様による、ＬＢＴフレーム７００の別の例示的な構造を示す。いくつかの例において、ＬＢＴフレーム７００は、図４または図５を参照しながら説明された第１のＣＣ  ＬＢＴフレームのうちの１つまたは複数の一例であり得、共有無線周波数スペクトル帯域の共有チャネル中で送信され得る。共有無線周波数スペクトル帯域は、送信デバイスがそれのためにアクセスを求めて競合する必要があり得る、無線周波数スペクトル帯域（例えば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域）を含み得る。例として、共有チャネルは８０ＭＨｚチャネルであり得、第１のＣＣ通信ウィンドウが２０〜８０ＭＨｚ  ｅＣＣを含み、第２のＣＣ通信ウィンドウが１〜４つの２０ＭＨｚ非ｅＣＣを含む。
【００７５】
[0098]  いくつかの例において、ＬＢＴフレームは、第２のＣＣプリアンブル部分７０５と第１のＣＣ制御／データ部分７１０とを含み得る。第２のＣＣプリアンブル部分７０５は第１のＣＣ制御／データ部分７１０に先行し得る。いくつかの具体例において、第２のＣＣプリアンブル部分７０５は、随意のＷｉ−Ｆｉプリアンブル部分７１５を含み得る。Ｗｉ−Ｆｉプリアンブル部分７１５は第２のＣＣプリアンブル部分７０５の残りに先行し得る。いくつかの例において、第２のＣＣプリアンブル部分７０５中に含まれる１つまたは複数の第２のＣＣプリアンブルは、ＬＢＴフレームが第１のＣＣ  ＬＢＴフレームとして構成されるというインジケーションを含み得る。いくつかの例において、インジケーションは、スクランブリング、ＰＬＭＮ  ＩＤ、セルＩＤ、制御シグナリング（例えば、ＰＦＦＩＣＨ中の値）、シーケンス、またはそれらの組合せを含み得る。スクランブリングは、第２のＣＣプリアンブルの一部または全部のスクランブリングであり得、第１のＣＣ  ＬＢＴフレームを第２のＣＣ  ＬＢＴフレームと区別し得る。同様に、ＰＬＭＮ  ＩＤ、セルＩＤ、制御シグナリング、シーケンス、またはそれらの組合せは、第１のＣＣ  ＬＢＴフレームを第２のＣＣ  ＬＢＴフレームと区別し得る。いくつかの具体例において、シーケンスは、ＬＢＴフレーム７００が第１のＣＣ  ＬＢＴフレームであることを示すために、また、異なるＰＬＭＮ（例えば、サービングＰＬＭＮまたは他のＰＬＭＮ）を弁別するために使用され得る。ＬＢＴフレーム７００が第１のＣＣ  ＬＢＴフレームであるというインジケーションを第２のＣＣプリアンブルが含まないとき、ＵＥは、例えば、第１のＣＣプリアンブルまたは第１のＣＣ制御／データ部分７１０中で送信された制御チャネルを復号することによって、ＬＢＴフレーム７００を第１のＣＣ  ＬＢＴフレームとして識別し得る。
【００７６】
[0099]  ＬＢＴフレーム７００は、ダウンリンク送信またはアップリンク送信のためにスケジュールされ得る。ＬＢＴフレーム７００は、それが、共有チャネルが第１のＣＣ  ＬＢＴフレームの送信のために使用されるとき、第２のＣＣ対応であるが第１のＣＣ対応でないＵＥが、第２のＣＣプリアンブル部分７０５を復号し、共有チャネルへのアクセスを延期することを可能にするという点で有用であり得る。第２のＣＣプリアンブル部分７０５を復号するＵＥの能力は、ＵＥが、（例えば、共有チャネル上でのエネルギー検出に基づく延期と比較して）共有チャネルへのアクセスを延期することを、より良く可能にし得る。ＬＢＴフレーム７００は第１のＣＣプリアンブル部分を含まないので、ＬＢＴフレーム７００を受信するＵＥは、第２のＣＣプリアンブル部分７０５から共有チャネルのためのチャネル推定値を取得し得る。
【００７７】
[0100]  図７は、基地局が共有チャネルの全帯域幅へのアクセスを求める競合に勝つと仮定する。いくつかの例において、基地局は、帯域幅の一部へのアクセスを求める競合に勝つにすぎないことがあり、その場合、基地局は、第２のＣＣプリアンブル部分を送信し、基地局がアクセスを有する帯域幅の一部上で第１のＣＣ通信ウィンドウをスケジュールし得る。
【００７８】
[0101]  図８は、本開示の様々な態様による、ＬＢＴフレーム８００の例示的な構造を示す。いくつかの例において、ＬＢＴフレーム８００は、図４または図５を参照しながら説明された第１のＣＣ  ＬＢＴフレームのうちの１つまたは複数の一例であり得、共有無線周波数スペクトル帯域の共有チャネル中で送信され得る。共有無線周波数スペクトル帯域は、送信デバイスがそれのためにアクセスを求めて競合する必要があり得る、無線周波数スペクトル帯域（例えば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域）を含み得る。例として、共有チャネルは８０ＭＨｚチャネルであり得、第１のＣＣ通信ウィンドウが２０〜８０ＭＨｚ  ｅＣＣを含み、第２のＣＣ通信ウィンドウが１〜４つの２０ＭＨｚ非ｅＣＣを含む。
【００７９】
[0102]  図６または図７を参照しながら説明されたＬＢＴフレーム６００または７００とは対照的に、ＬＢＴフレーム８００は第２のＣＣプリアンブル部分を含まない。代わりに、ＬＢＴフレーム８００は、第１のＣＣプリアンブル部分８０５と第１のＣＣ制御／データ部分８１０とを含む。第１のＣＣプリアンブル部分８０５は第１のＣＣ制御／データ部分８１０に先行し得る。いくつかの具体例において、第１のＣＣプリアンブル部分８０５は、随意のＷｉ−Ｆｉプリアンブル部分８１５を含み得る。Ｗｉ−Ｆｉプリアンブル部分８１５は第１のＣＣプリアンブル部分８０５の残りに先行し得る。
【００８０】
[0103]  第２のＣＣ対応であるが第１のＣＣ対応でないＵＥは、第１のＣＣプリアンブル部分８０５を理解しないことがある。しかしながら、これらのＵＥは、エネルギー検出に基づいて共有チャネルへのアクセスを延期し得る。
【００８１】
[0104]  ＬＢＴフレーム８００は、ダウンリンク送信またはアップリンク送信のためにスケジュールされ得る。ＬＢＴフレーム８００は、それが、図６または図７を参照しながら説明されたＬＢＴフレーム６００または７００よりも低いオーバーヘッドを有し得るという点で有用であり得る。
【００８２】
[0105]  いくつかの場合に、基地局は、複数の発見時間期間の各々中で（例えば複数の発見信号測定タイミング構成（ＤＭＴＣ：discovery signals measurement timing configuration）ウィンドウの各々中で）、ＤＲＳ（例えば、１次同期信号（ＰＳＳ：primary synchronization signal）または２次同期信号（ＳＳＳ：secondary synchronization signal）を含むＤＲＳ）をブロードキャストし得る。ＤＲＳは、捕捉または測定目的のためにＵＥによって使用され得る。いくつかの例において、ＤＲＳは物理ブロードキャストチャネル（ＰＢＣＨ：physical broadcast channel）を含んでいることがある。追加または代替として、ＤＲＳは拡張システム情報ブロック（ｅＳＩＢ：enhanced system information block）を含んでいることがある。いくつかの例において、ＤＲＳは、共有チャネルの一部または全部へのアクセスを求める競合に勝った後に、共有無線周波数スペクトル帯域の共有チャネル中でブロードキャストされ得る。発見基準信号は、同じくまたは代替的に、（例えば、複数のＣＣＡ免除時間期間中で）共有チャネルへのアクセスを求めて競合することなしに、共有チャネル中でブロードキャストされ得る。
【００８３】
[0106]  いくつかの場合には、基地局が、複数の発見時間期間の各々中で第１のＣＣ  ＤＲＳをブロードキャストし得る。いくつかの例では、基地局が、複数の発見時間期間の各々中で第２のＣＣ  ＤＲＳをブロードキャストし得る。いくつかの例では、基地局が、複数の発見時間期間の各々中で第１のＣＣ  ＤＲＳまたは第２のＣＣ  ＤＲＳをブロードキャストし得る。いくつかの例では、基地局が、複数の発見時間期間の各々中で第１のＣＣ  ＤＲＳと第２のＣＣ  ＤＲＳとをブロードキャストし得る。いくつかの例では、基地局が、複数の第１のＣＣ発見時間期間の各々中で第１のＣＣ  ＤＲＳをブロードキャストし、複数の第２のＣＣ発見時間期間の各々中で第２のＣＣ  ＤＲＳをブロードキャストし得る。
【００８４】
[0107]  基地局は、いくつかの場合に、それがサービスするＵＥのタイプに基づいて、第１のＣＣ  ＤＲＳ、第２のＣＣ  ＤＲＳ、またはそれらの組合せを送信することを選定し得る。例えば、基地局が第１のＣＣ対応ＵＥのみをサービスするとき、基地局は、複数のＤＲＳ期間の各々中で第１のＣＣ  ＤＲＳを送信することを選定し得るか、または、基地局は、第２のＣＣ  ＤＲＳよりも頻繁に第１のＣＣ  ＤＲＳを送信することを選定し得る。
【００８５】
[0108]  いくつかの例では、ＤＲＳが、１次セグメントとして指定された２０ＭＨｚセグメント上でブロードキャストされ得る。他の例では、ＤＲＳが、ＤＲＳホッピングシーケンスに従ってブロードキャストされ得る（例えば、ＤＲＳは、異なる発見時間期間中で異なるセグメント上でブロードキャストされ得る）。
【００８６】
[0109]  いくつかの場合には、第２のＣＣ  ＤＲＳ中で、第１のＣＣ通信のサポートのインジケーション（例えば、基地局による第１のＣＣ通信のサポートのインジケーション）がブロードキャストされ得る。いくつかの場合に、第１のＣＣ  ＤＲＳはｅＣＣ  ＤＲＳを含み得、第２のＣＣ  ＤＲＳは非ｅＣＣ  ＤＲＳを含み得る。
【００８７】
[0110]  ＵＥが、基地局によってブロードキャストされた第１のＣＣ  ＤＲＳを受信したとき、ＵＥは、ＵＥが第１のＣＣ通信に対応している場合、基地局の第１のＣＣセルを捕捉し、基地局との第１のＣＣ通信に関与し得る。同様に、ＵＥが、基地局によってブロードキャストされた第２のＣＣ  ＤＲＳを受信したとき、ＵＥは、第２のＣＣ通信に対応している場合、基地局の第２のＣＣセルを捕捉し、基地局との第２のＣＣ通信に関与し得る。さらに、基地局の第２のＣＣセルを捕捉するＵＥは、いくつかの場合に、基地局が第１のＣＣ通信をサポートすると決定し得る。いくつかの例において、ＵＥは、第２のＣＣ  ＤＲＳ中で、基地局が第１のＣＣ通信をサポートするというインジケーションを受信することによって、基地局が第１のＣＣ通信をサポートすると決定し得る。いくつかの例において、ＵＥは、（例えば、基地局の第２のＣＣセルを捕捉した後に）基地局から第２のＣＣ構成情報を受信することに伴って、基地局が第１のＣＣ通信をサポートすると決定し得る。いくつかの例において、ＵＥは、基地局から第１のＣＣ  ＤＲＳを受信することに伴って、基地局が第１のＣＣ通信をサポートすると決定し得る。
【００８８】
[0111]  基地局が第１のＣＣ通信をサポートすると決定することに伴って、ＵＥは、随意に基地局の第１のＣＣセルを捕捉し、および／または場合によっては、第１のＣＣ通信を使用して基地局と通信し得る。
【００８９】
[0112]  図９は、本開示の様々な態様による、時分割多重化通信ウィンドウのタイミング図９００を示す。時分割多重化通信ウィンドウは、第１のＣＣ通信ウィンドウ９０５と第２のＣＣ通信ウィンドウ９１０とを含み得る。第１のＣＣ通信ウィンドウ９０５および第２のＣＣ通信ウィンドウ９１０は、共有無線周波数スペクトル帯域の共有チャネル中で多重化され得る。いくつかの例において、通信ウィンドウ９０５および９１０は、基地局（例えば、図１または図２を参照しながら説明された基地局１０５）と１つまたは複数のＵＥ（例えば、図１または図２を参照しながら説明されたＵＥ１１５のうちの１つまたは複数）との間の通信のために使用され得る。いくつかの例では、第１のＣＣ通信ウィンドウ９０５のＯＦＤＭシンボルの持続時間が、第２のＣＣ通信ウィンドウ９１０のＯＦＤＭシンボルの持続時間とは異なり得る。
【００９０】
[0113]  共有無線周波数スペクトル帯域は、送信デバイスがそれのためにアクセスを求めて競合する必要があり得る、無線周波数スペクトル帯域（例えば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域）を含み得る。例として、共有チャネルは８０ＭＨｚチャネルであり得、第１のＣＣ通信ウィンドウが２０〜８０ＭＨｚ  ｅＣＣを含み、第２のＣＣ通信ウィンドウが１〜４つの２０ＭＨｚ非ｅＣＣを含む。
【００９１】
[0114]  複数のＤＲＳ期間９１５中に、基地局は複数のＤＲＳ  ＣＣをブロードキャストし得る。いくつかの例では、ＤＲＳ期間９１５が、第１のＣＣ  ＤＲＳ、第２のＣＣ  ＤＲＳ、またはそれらの組合せを含み得る。いくつかの例において、第１のＣＣ  ＤＲＳは少なくとも１つのｅＣＣ  ＤＲＳを含み得、第２のＣＣ  ＤＲＳは少なくとも１つの非ｅＣＣ  ＤＲＳを含み得る。ＤＲＳは単一の２０ＭＨｚセグメント上でブロードキャストされることが示されているが、ＤＲＳは、代替的に、ＤＲＳホッピングシーケンスに従ってブロードキャストされ得る。ＵＥが第１のＣＣ  ＤＲＳを受信したとき、ＵＥは、基地局の第１のＣＣセルを捕捉し得る。ＵＥが第２のＣＣ  ＤＲＳを受信したとき、ＵＥは、基地局の第２のＣＣセルを捕捉し得る。しかしながら、第２のＣＣセルを捕捉した後に、ＵＥは、基地局が（例えば、前に説明されたように）第１のＣＣ通信に対応していると決定し得る。基地局が第１のＣＣ通信をサポートすると決定することに伴って、ＵＥは、随意に基地局の第１のＣＣセルを捕捉し、および／または場合によっては、第１のＣＣ通信を使用して基地局と通信し得る。いくつかの具体例において、ＵＥは、受信モード間で切り替わり得る。例えば、ＵＥは、第２のＣＣ  ＤＲＳを受信する間に第２のＣＣのＯＦＤＭヌメロロジーを使用し、第１のＣＣ通信を使用して基地局と通信する間に第１のＣＣのＯＦＤＭヌメロロジーを使用し得る。
【００９２】
[0115]  図１０は、本開示の様々な態様による、基地局におけるワイヤレス通信において使用するためのデバイス１００５のブロック図１０００を示す。デバイス１００５は、図１または図２を参照しながら説明された基地局１０５のうちの１つまたは複数の態様の一例であり得る。デバイス１００５はまた、プロセッサであるか、またはプロセッサを含み得る。デバイス１００５は、受信機モジュール１０１０、ワイヤレス通信管理モジュール１０２０、または送信機モジュール１０３０を含み得る。これらのモジュールの各々は互いと通信していることがある。
【００９３】
[0116]  デバイス１００５のモジュールは、適用可能な機能の一部または全部をハードウェアで行うように適応された１つまたは複数の特定用途向け集積回路（ＡＳＩＣ）を使用して、個々にまたはまとめて実施され得る。代替的に、それらの機能は、１つまたは複数の他の処理ユニット（またはコア）によって、１つまたは複数の集積回路上で行われ得る。他の例では、当技術分野で知られている任意の様式でプログラムされ得る集積回路の他のもの（例えば、ストラクチャード／プラットフォームＡＳＩＣ、フィールドプログラマブルゲートアレイ（ＦＰＧＡ）、システムオンチップ（ＳｏＣ）、および／またはセミカスタムＩＣの他のもの）が使用され得る。各モジュールの機能はまた、全体的にまたは部分的に、１つまたは複数の汎用または特定用途向けプロセッサによって実行されるようにフォーマットされた、メモリ中に組み込まれた命令を用いて実施され得る。
【００９４】
[0117]  いくつかの例において、受信機モジュール１０１０は、専用無線周波数スペクトル帯域（例えば、無線周波数スペクトル帯域が、特定の使用のために特定のユーザに認可されているので、送信デバイスがそれのためにアクセスを求めて競合しないことがある、無線周波数スペクトル帯域（例えば、ＬＴＥ／ＬＴＥ−Ａ通信のために使用可能な認可無線周波数スペクトル帯域））または共有無線周波数スペクトル帯域（例えば、送信デバイスがそれのためにアクセスを求めて競合する必要があり得る、無線周波数スペクトル帯域（例えば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域））上で送信を受信するように動作可能な少なくとも１つの無線周波数（ＲＦ）受信機など、少なくとも１つのＲＦ受信機を含み得る。いくつかの例において、専用無線周波数スペクトル帯域または共有無線周波数スペクトル帯域は、例えば、図１または図２を参照しながら説明されたように、ＬＴＥ／ＬＴＥ−Ａ通信のために使用され得る。受信機モジュール１０１０は、いくつかの場合に、専用無線周波数スペクトル帯域および共有無線周波数スペクトル帯域のための別個の受信機を含み得る。別個の受信機は、いくつかの例において、専用無線周波数スペクトル帯域上で通信するためのＬＴＥ／ＬＴＥ−Ａ受信機モジュール（例えば、専用ＲＦスペクトル帯域のためのＬＴＥ／ＬＴＥ−Ａ受信機モジュール１０１２）、および共有無線周波数スペクトル帯域上で通信するためのＬＴＥ／ＬＴＥ−Ａ受信機モジュール（例えば、共有ＲＦスペクトル帯域のためのＬＴＥ／ＬＴＥ−Ａ受信機モジュール１０１４）の形態をとり得る。専用ＲＦスペクトル帯域のためのＬＴＥ／ＬＴＥ−Ａ受信機モジュール１０１２または共有ＲＦスペクトル帯域のためのＬＴＥ／ＬＴＥ−Ａ受信機モジュール１０１４を含む受信機モジュール１０１０は、図１または図２を参照しながら説明されたワイヤレス通信システム１００または２００の１つまたは複数の通信リンクなど、ワイヤレス通信システムの１つまたは複数の通信リンク上で様々なデータまたは制御信号（すなわち、送信）を受信するために使用され得る。通信リンクは、専用無線周波数スペクトル帯域または共有無線周波数スペクトル帯域上で確立され得る。
【００９５】
[0118]  いくつかの例において、送信機モジュール１０３０は、専用無線周波数スペクトル帯域または共有無線周波数スペクトル帯域上で送信するように動作可能な少なくとも１つのＲＦ送信機など、少なくとも１つのＲＦ送信機を含み得る。送信機モジュール１０３０は、いくつかの場合に、専用無線周波数スペクトル帯域および共有無線周波数スペクトル帯域のための別個の送信機を含み得る。別個の送信機は、いくつかの例において、専用無線周波数スペクトル帯域上で通信するためのＬＴＥ／ＬＴＥ−Ａ送信機モジュール（例えば、専用ＲＦスペクトル帯域のためのＬＴＥ／ＬＴＥ−Ａ送信機モジュール１０３２）、および共有無線周波数スペクトル帯域上で通信するためのＬＴＥ／ＬＴＥ−Ａ送信機モジュール（例えば、共有ＲＦスペクトル帯域のためのＬＴＥ／ＬＴＥ−Ａ送信機モジュール１０３４）の形態をとり得る。専用ＲＦスペクトル帯域のためのＬＴＥ／ＬＴＥ−Ａ送信機モジュール１０３２または共有ＲＦスペクトル帯域のためのＬＴＥ／ＬＴＥ−Ａ送信機モジュール１０３４を含む送信機モジュール１０３０は、図１または図２を参照しながら説明されたワイヤレス通信システム１００または２００の１つまたは複数の通信リンクなど、ワイヤレス通信システムの１つまたは複数の通信リンク上で様々なデータまたは制御信号（すなわち、送信）を送信するために使用され得る。通信リンクは、専用無線周波数スペクトル帯域または共有無線周波数スペクトル帯域上で確立され得る。
【００９６】
[0119]  いくつかの例において、ワイヤレス通信管理モジュール１０２０は、デバイス１００５のためのワイヤレス通信の１つまたは複数の態様を管理するために使用され得る。いくつかの例において、ワイヤレス通信管理モジュール１０２０は、アクセス競合モジュール１０３５または通信ウィンドウ多重化モジュール１０４０を含み得る。
【００９７】
[0120]  アクセス競合モジュール１０３５は、共有無線周波数スペクトル帯域の共有チャネルへのアクセスを求めて競合するために使用され得る。いくつかの例において、アクセス競合モジュール１０３５は、ＣＣＡプロシージャまたはｅＣＣＡプロシージャなど、ＬＢＴプロシージャを行うことによって、共有無線周波数スペクトル帯域へのアクセスを求めて競合し得る。
【００９８】
[0121]  通信ウィンドウ多重化モジュール１０４０は、共有チャネル中で第１のＣＣ通信ウィンドウと第２のＣＣ通信ウィンドウとを多重化するために使用され得る。いくつかの例では、第１のＣＣ通信ウィンドウのＯＦＤＭシンボルの持続時間が、第２のＣＣ通信ウィンドウのＯＦＤＭシンボルの持続時間とは異なり得る。多重化することは、アクセス競合モジュール１０３５が共有チャネルへのアクセスを求める競合に勝つことに伴って共有チャネル上で行われ得る。いくつかの例において、第１のＣＣ通信ウィンドウは少なくとも１つのｅＣＣ（例えば、１つのｅＣＣ）を含み得、第２のＣＣ通信ウィンドウは少なくとも１つの非ｅＣＣ（例えば、４つの非ｅＣＣ）を含み得る。
【００９９】
[0122]  デバイス１００５のいくつかの例において、通信ウィンドウ多重化モジュール１０４０によって行われる多重化することは、共有チャネル中で第１のＣＣ通信ウィンドウと第２のＣＣ通信ウィンドウとを周波数領域多重化することを含み得る。いくつかの例において、通信ウィンドウ多重化モジュール１０４０によって行われる多重化することは、共有チャネル中で第１のＣＣ通信ウィンドウと第２のＣＣ通信ウィンドウとを時分割多重化することを含み得る。時分割多重化することは、例えば、無線フレームレベルまたはそれ以下（例えば、無線フレーム内）において行われ得る。いくつかの時分割多重化例において、通信ウィンドウ多重化モジュール１０４０は、無線フレームの制御チャネル中で第１のＣＣ通信ウィンドウと第２のＣＣ通信ウィンドウとの間の区分をシグナリングし得る。代替的に、第１のＣＣ通信ウィンドウと第２のＣＣ通信ウィンドウとの間の区分は、１つまたは複数の第１のＣＣ対応ＵＥに、第１のＣＣ通信のためのリソースの１つまたは複数の許可（例えば、少なくとも第１の許可を含む１つまたは複数の許可）を送信することによって示され得る。いくつかの例において、区分は、１つまたは複数の第２のＣＣ対応ＵＥに、第２のＣＣ通信のためのリソースの１つまたは複数の許可（例えば、少なくとも第２の許可を含む１つまたは複数の許可）を送信することによっても示され得る。
【０１００】
[0123]  図１１は、本開示の様々な態様による、基地局におけるワイヤレス通信において使用するためのデバイス１００５−ａのブロック図１１００を示す。デバイス１００５−ａは、図１または図２を参照しながら説明された基地局１０５のうちの１つまたは複数の態様、あるいは図１０を参照しながら説明されたデバイス１００５の態様の一例であり得る。デバイス１００５−ａはまた、プロセッサであるか、またはプロセッサを含み得る。デバイス１００５−ａは、受信機モジュール１０１０−ａ、ワイヤレス通信管理モジュール１０２０−ａ、または送信機モジュール１０３０−ａを含み得る。これらのモジュールの各々は互いと通信していることがある。受信機モジュール１０１０−ａは、専用ＲＦスペクトル帯域のためのＬＴＥ／ＬＴＥ−Ａ受信機モジュール１０１２−ａまたは共有ＲＦスペクトル帯域のためのＬＴＥ／ＬＴＥ−Ａ受信機モジュール１０１４−ａを含み得る。送信機モジュール１０３０−ａは、専用ＲＦスペクトル帯域のためのＬＴＥ／ＬＴＥ−Ａ送信機モジュール１０３２−ａまたは共有ＲＦスペクトル帯域のためのＬＴＥ／ＬＴＥ−Ａ送信機モジュール１０３４−ａを含み得る。いくつかの場合に、受信機モジュール１０１０−ａ、ワイヤレス通信管理モジュール１０２０−ａ、送信機モジュール１０３０−ａ、専用ＲＦスペクトル帯域のためのＬＴＥ／ＬＴＥ−Ａ受信機モジュール１０１２−ａ、共有ＲＦスペクトル帯域のためのＬＴＥ／ＬＴＥ−Ａ受信機モジュール１０１４−ａ、専用ＲＦスペクトル帯域のためのＬＴＥ／ＬＴＥ−Ａ送信機モジュール１０３２−ａ、または共有ＲＦスペクトル帯域のためのＬＴＥ／ＬＴＥ−Ａ送信機モジュール１０３４−ａは、図１０を参照しながら説明された受信機モジュール１０１０、ワイヤレス通信管理モジュール１０２０、送信機モジュール１０３０、専用ＲＦスペクトル帯域のためのＬＴＥ／ＬＴＥ−Ａ受信機モジュール１０１２、共有ＲＦスペクトル帯域のためのＬＴＥ／ＬＴＥ−Ａ受信機モジュール１０１４、専用ＲＦスペクトル帯域のためのＬＴＥ／ＬＴＥ−Ａ送信機モジュール１０３２、または共有ＲＦスペクトル帯域のためのＬＴＥ／ＬＴＥ−Ａ送信機モジュール１０３４のそれぞれの例であり得る。
【０１０１】
[0124]  デバイス１００５−ａの構成要素は、ハードウェア中の適用可能な機能の一部または全部を行うように適応された１つまたは複数のＡＳＩＣを使用して、個々にまたはまとめて実施され得る。代替的に、それらの機能は、１つまたは複数の他の処理ユニット（またはコア）によって、１つまたは複数の集積回路上で行われ得る。他の例では、当技術分野で知られている任意の様式でプログラムされ得る集積回路の他のもの（例えば、ストラクチャード／プラットフォームＡＳＩＣ、ＦＰＧＡ、ＳｏＣ、および／またはセミカスタムＩＣの他のもの）が使用され得る。各モジュールの機能はまた、全体的にまたは部分的に、１つまたは複数の汎用または特定用途向けプロセッサによって実行されるようにフォーマットされた、メモリ中に組み込まれた命令を用いて実施され得る。
【０１０２】
[0125]  ワイヤレス通信管理モジュール１０２０−ａは、デバイス１００５−ａのためのワイヤレス通信の１つまたは複数の態様を管理するために使用され得る。いくつかの例において、ワイヤレス通信管理モジュール１０２０−ａは、アクセス競合モジュール１０３５−ａまたは通信ウィンドウ多重化モジュール１０４０−ａを含み得る。いくつかの例において、通信ウィンドウ多重化モジュール１０４０−ａは、ＬＢＴフレーム構成モジュール１１３５、第１のＣＣ  ＬＢＴフレーム送信モジュール１１４０、または第２のＣＣ  ＬＢＴフレーム送信モジュール１１４５を含み得る。
【０１０３】
[0126]  アクセス競合モジュール１０３５−ａは、共有無線周波数スペクトル帯域の共有チャネルへのアクセスを求めて競合するために使用され得る。いくつかの例において、アクセス競合モジュール１０３５−ａは、ＣＣＡプロシージャまたはｅＣＣＡプロシージャなど、ＬＢＴプロシージャを行うことによって、共有無線周波数スペクトル帯域へのアクセスを求めて競合し得る。いくつかの例において、アクセス競合モジュール１０３５−ａは、いくつかの無線フレームの各々について、共有無線周波数スペクトル帯域へのアクセスを求めて競合し得る。
【０１０４】
[0127]  通信ウィンドウ多重化モジュール１０４０−ａは、共有チャネル中で第１のＣＣ通信ウィンドウと第２のＣＣ通信ウィンドウとを時分割多重化するために使用され得る。いくつかの例では、第１のＣＣ通信ウィンドウのＯＦＤＭシンボルの持続時間が、第２のＣＣ通信ウィンドウのＯＦＤＭシンボルの持続時間とは異なり得る。多重化することは、アクセス競合モジュール１０３５−ａが共有チャネルへのアクセスを求める競合に勝つことに伴って共有チャネル上で行われ得る。いくつかの例において、第１のＣＣ通信ウィンドウは少なくとも１つのｅＣＣ（例えば、１つのｅＣＣ）を含み得、第２のＣＣ通信ウィンドウは少なくとも１つの非ｅＣＣ（例えば、４つの非ｅＣＣ）を含み得る。
【０１０５】
[0128]  デバイス１００５−ａのいくつかの例において、時分割多重化することは、無線フレームレベルまたはそれ以下（例えば、無線フレーム内）において行わされ得る。いくつかの時分割多重化例において、通信ウィンドウ多重化モジュール１０４０は、無線フレームの制御チャネル中で第１のＣＣ通信ウィンドウと第２のＣＣ通信ウィンドウとの間の区分をシグナリングし得る。代替的に、第１のＣＣ通信ウィンドウと第２のＣＣ通信ウィンドウとの間の区分は、１つまたは複数の第１のＣＣ対応ＵＥに、第１のＣＣ通信のためのリソースの１つまたは複数の許可（例えば、少なくとも第１の許可を含む１つまたは複数の許可）を送信することによって示され得る。いくつかの例において、区分は、１つまたは複数の第２のＣＣ対応ＵＥに、第２のＣＣ通信のためのリソースの１つまたは複数の許可（例えば、少なくとも第２の許可を含む１つまたは複数の許可）を送信することによっても示され得る。
【０１０６】
[0129]  ＬＢＴフレーム構成モジュール１１３５は、第１のＣＣ  ＬＢＴフレーム、第２のＣＣ  ＬＢＴフレーム、またはそれらの組合せとしてＬＢＴフレームを構成するために使用され得る。いくつかの例では、ＬＢＴフレームが、ＬＢＴフレーム中でスケジュールされるべきトラフィックのタイプ（例えば、第１のＣＣトラフィック、第２のＣＣトラフィック、またはそれらの組合せ）に少なくとも部分的に基づいて、または、デバイス１００５−ａによってサービスされるＵＥのタイプに少なくとも部分的に基づいて（例えば、デバイス１００５−ａによってサービスされる第１のＣＣ対応ＵＥおよび第２のＣＣ対応ＵＥの数に少なくとも部分的に基づいて）構成され得る。
【０１０７】
[0130]  第１のＣＣ  ＬＢＴフレーム送信モジュール１１４０は、ＬＢＴフレーム構成モジュール１１３５が第１のＣＣ  ＬＢＴフレームとしてＬＢＴフレームを構成することに伴って、第１のＣＣ  ＬＢＴフレーム中で第１のＣＣプリアンブルと第１のＣＣ制御／データ部分とを送信するために使用され得る。第１のＣＣ  ＬＢＴフレーム送信モジュール１１４０はまた、第１のＣＣ  ＬＢＴフレーム中で（例えば、第１のＣＣプリアンブル中で）Ｗｉ−Ｆｉプリアンブルを送信し得る。代替的に、第１のＣＣ  ＬＢＴフレーム送信モジュール１１４０は、ＬＢＴフレーム構成モジュール１１３５が第１のＣＣ  ＬＢＴフレームとしてＬＢＴフレームを構成することに伴って、第１のＣＣ  ＬＢＴフレーム中で第２のＣＣプリアンブルと第１のＣＣプリアンブルと第１のＣＣ制御／データ部分とを送信するために使用され得る。第１のＣＣ  ＬＢＴフレーム送信モジュール１１４０はまた、第１のＣＣ  ＬＢＴフレーム中で（例えば、第２のＣＣプリアンブル中で）Ｗｉ−Ｆｉプリアンブルを送信し得る。いくつかの例において、Ｗｉ−Ｆｉプリアンブルは第２のＣＣプリアンブルの残りに先行し得る。別の代替として、第１のＣＣ  ＬＢＴフレーム送信モジュール１１４０は、ＬＢＴフレーム構成モジュール１１３５が第１のＣＣ  ＬＢＴフレームとしてＬＢＴフレームを構成することに伴って、第１のＣＣプリアンブルを送信することなしに、第１のＣＣ  ＬＢＴフレーム中で第２のＣＣプリアンブルと第１のＣＣ制御／データ部分とを送信するために使用され得る。第１のＣＣ  ＬＢＴフレーム送信モジュール１１４０はまた、第１のＣＣ  ＬＢＴフレーム中で（例えば、第２のＣＣプリアンブル中で）Ｗｉ−Ｆｉプリアンブルを送信し得る。いくつかの例において、Ｗｉ−Ｆｉプリアンブルは第２のＣＣプリアンブルの残りに先行し得る。
【０１０８】
[0131]  第２のＣＣ  ＬＢＴフレーム送信モジュール１１４５は、ＬＢＴフレーム構成モジュール１１３５が第２のＣＣ  ＬＢＴフレームとしてＬＢＴフレームを構成することに伴って、第２のＣＣ  ＬＢＴフレーム中で第２のＣＣプリアンブルと第２のＣＣ制御／データ部分とを送信するために使用され得る。第２のＣＣ  ＬＢＴフレーム送信モジュール１１４５はまた、第２のＣＣ  ＬＢＴフレーム中で（例えば、第２のＣＣプリアンブル中で）Ｗｉ−Ｆｉプリアンブルを送信し得る。いくつかの例において、Ｗｉ−Ｆｉプリアンブルは第２のＣＣプリアンブルの残りに先行し得る。
【０１０９】
[0132]  第１のＣＣ  ＬＢＴフレーム送信モジュール１１４０または第２のＣＣ  ＬＢＴフレーム送信モジュール１１４５が第２のＣＣプリアンブルを送信するとき、モジュール１１４０または１１４５は、随意に、第２のＣＣプリアンブル中で、ＬＢＴフレームが第１のＣＣ  ＬＢＴフレームとして構成されるのか第２のＣＣ  ＬＢＴフレームとして構成されるのかのインジケーションを送信し得る。いくつかの例において、インジケーションは、スクランブリング、ＰＬＭＮ  ＩＤ、セルＩＤ、制御シグナリング、シーケンス、またはそれらの組合せを含み得る。
【０１１０】
[0133]  図１２は、本開示の様々な態様による、基地局におけるワイヤレス通信において使用するためのデバイス１００５−ｂのブロック図１２００を示す。デバイス１００５−ｂは、図１または図２を参照しながら説明された基地局１０５のうちの１つまたは複数の態様、あるいは図１０または図１１を参照しながら説明されたデバイス１００５の態様の一例であり得る。デバイス１００５−ｂはまた、プロセッサであるか、またはプロセッサを含み得る。デバイス１００５−ｂは、受信機モジュール１０１０−ｂ、ワイヤレス通信管理モジュール１０２０−ｂ、または送信機モジュール１０３０−ｂを含み得る。これらのモジュールの各々は互いと通信していることがある。受信機モジュール１０１０−ｂは、専用ＲＦスペクトル帯域のためのＬＴＥ／ＬＴＥ−Ａ受信機モジュール１０１２−ｂまたは共有ＲＦスペクトル帯域のためのＬＴＥ／ＬＴＥ−Ａ受信機モジュール１０１４−ｂを含み得る。送信機モジュール１０３０−ｂは、専用ＲＦスペクトル帯域のためのＬＴＥ／ＬＴＥ−Ａ送信機モジュール１０３２−ｂまたは共有ＲＦスペクトル帯域のためのＬＴＥ／ＬＴＥ−Ａ送信機モジュール１０３４−ｂを含み得る。いくつかの場合に、受信機モジュール１０１０−ｂ、ワイヤレス通信管理モジュール１０２０−ｂ、送信機モジュール１０３０−ｂ、専用ＲＦスペクトル帯域のためのＬＴＥ／ＬＴＥ−Ａ受信機モジュール１０１２−ｂ、共有ＲＦスペクトル帯域のためのＬＴＥ／ＬＴＥ−Ａ受信機モジュール１０１４−ｂ、専用ＲＦスペクトル帯域のためのＬＴＥ／ＬＴＥ−Ａ送信機モジュール１０３２−ｂ、または共有ＲＦスペクトル帯域のためのＬＴＥ／ＬＴＥ−Ａ送信機モジュール１０３４−ｂは、図１０を参照しながら説明された受信機モジュール１０１０、ワイヤレス通信管理モジュール１０２０、送信機モジュール１０３０、専用ＲＦスペクトル帯域のためのＬＴＥ／ＬＴＥ−Ａ受信機モジュール１０１２、共有ＲＦスペクトル帯域のためのＬＴＥ／ＬＴＥ−Ａ受信機モジュール１０１４、専用ＲＦスペクトル帯域のためのＬＴＥ／ＬＴＥ−Ａ送信機モジュール１０３２、または共有ＲＦスペクトル帯域のためのＬＴＥ／ＬＴＥ−Ａ送信機モジュール１０３４のそれぞれの例であり得る。
【０１１１】
[0134]  デバイス１００５−ｂの構成要素は、ハードウェア中の適用可能な機能の一部または全部を行うように適応された１つまたは複数のＡＳＩＣを使用して、個々にまたはまとめて実施され得る。代替的に、それらの機能は、１つまたは複数の他の処理ユニット（またはコア）によって、１つまたは複数の集積回路上で行われ得る。他の例では、当技術分野で知られている任意の様式でプログラムされ得る集積回路の他のもの（例えば、ストラクチャード／プラットフォームＡＳＩＣ、ＦＰＧＡ、ＳｏＣ、および／またはセミカスタムＩＣの他のもの）が使用され得る。各モジュールの機能はまた、全体的にまたは部分的に、１つまたは複数の汎用または特定用途向けプロセッサによって実行されるようにフォーマットされた、メモリ中に組み込まれた命令を用いて実施され得る。
【０１１２】
[0135]  ワイヤレス通信管理モジュール１０２０−ｂは、デバイス１００５−ｂのためのワイヤレス通信の１つまたは複数の態様を管理するために使用され得る。いくつかの例において、ワイヤレス通信管理モジュール１０２０−ｂは、ＤＲＳ送信モジュール１２３５または接続管理モジュール１２４０を含み得る。
【０１１３】
[0136]  ＤＲＳ送信モジュール１２３５は、複数の発見時間期間の各々中でＤＲＳをブロードキャストするために使用され得る。いくつかの例において、ＤＲＳは、共有無線周波数スペクトル帯域の共有チャネル中でブロードキャストされ得る。いくつかの例において、ＤＲＳは、共有チャネルの一部または全部へのアクセスを求める競合に勝った後に、共有チャネル中で送信され得る。発見基準信号は、同じくまたは代替的に、（例えば、複数のＣＣＡ免除時間期間中で）共有チャネルへのアクセスを求めて競合することなしに、共有チャネル中で送信され得る。
【０１１４】
[0137]  デバイス１００５−ｂのいくつかの例において、ＤＲＳ送信モジュール１２３５は、複数の発見時間期間の各々中で第１のＣＣ  ＤＲＳをブロードキャストし得る。いくつかの例において、ＤＲＳ送信モジュール１２３５は、複数の発見時間期間の各々中で第２のＣＣ  ＤＲＳをブロードキャストし得る。いくつかの例において、ＤＲＳ送信モジュール１２３５は、複数の発見時間期間の各々中で第１のＣＣ  ＤＲＳまたは第２のＣＣ  ＤＲＳをブロードキャストし得る。いくつかの例において、ＤＲＳ送信モジュール１２３５は、複数の発見時間期間の各々中で第１のＣＣ  ＤＲＳと第２のＣＣ  ＤＲＳとをブロードキャストし得る。いくつかの例において、ＤＲＳ送信モジュール１２３５は、複数の第１のＣＣ発見時間期間の各々中で第１のＣＣ  ＤＲＳをブロードキャストし、複数の第２のＣＣ発見時間期間の各々中で第２のＣＣ  ＤＲＳをブロードキャストし得る。いくつかの場合に、ＤＲＳ送信モジュール１２３５は、第２のＣＣ  ＤＲＳ中で第１のＣＣ通信のサポートのインジケーション（例えば、デバイス１００５−ｂによる第１のＣＣ通信のサポートのインジケーション）をブロードキャストし得る。いくつかの例において、第１のＣＣ  ＤＲＳはｅＣＣ  ＤＲＳを含み得、第２のＣＣ  ＤＲＳは非ｅＣＣ  ＤＲＳを含み得る。
【０１１５】
[0138]  接続管理モジュール１２４０は、（例えば、ランダムアクセスチャネル（ＲＡＣＨ）プロシージャを介して）ＵＥから第１のＣＣ接続要求を受信するために使用され得る。ＵＥから第１のＣＣ接続要求を受信するに伴い、接続管理モジュール１２４０は、ＵＥとの第１のＣＣ接続を確立するために使用され得る。同じくまたは代替的に、接続管理モジュール１２４０は、（例えば、同じＵＥまたは異なるＵＥによって開始されるＲＡＣＨプロシージャを介して）ＵＥから第２のＣＣ接続要求を受信するために使用され得る。ＵＥから第２のＣＣ接続要求を受信することに伴い、接続管理モジュール１２４０は、ＵＥとの第２のＣＣ接続を確立するために使用され得る。いくつかの例において、第２のＣＣ接続要求を介してデバイス１００５−ｂを含む基地局を捕捉するＵＥは、このＵＥが第１のＣＣ対応であることを基地局に報告し得る（すなわち、接続管理モジュール１２４０は、ＵＥから第１のＣＣ能力情報を受信し得る）。これらの例において、接続管理モジュール１２４０は、ＵＥとの第１のＣＣ接続を構成し得る。
【０１１６】
[0139]  いくつかの例では、図１０、図１１、または図１２を参照しながら説明されたデバイス１００５の態様が組み合わせられ得る。
【０１１７】
[0140]  図１３は、本開示の様々な態様による、ＵＥにおけるワイヤレス通信において使用するためのデバイス１３１５のブロック図１３００を示す。デバイス１３１５は、図１または図２を参照しながら説明されたＵＥ１１５のうちの１つまたは複数の態様の一例であり得る。デバイス１３１５はまた、プロセッサであるか、またはプロセッサを含み得る。デバイス１３１５は、受信機モジュール１３１０、ワイヤレス通信管理モジュール１３２０、または送信機モジュール１３３０を含み得る。これらのモジュールの各々は互いと通信していることがある。
【０１１８】
[0141]  デバイス１３１５の構成要素は、ハードウェア中の適用可能な機能の一部または全部を行うように適応された１つまたは複数のＡＳＩＣを使用して、個々にまたはまとめて実施され得る。代替的に、それらの機能は、１つまたは複数の他の処理ユニット（またはコア）によって、１つまたは複数の集積回路上で行われ得る。他の例では、当技術分野で知られている任意の様式でプログラムされ得る集積回路の他のもの（例えば、ストラクチャード／プラットフォームＡＳＩＣ、ＦＰＧＡ、ＳｏＣ、および／またはセミカスタムＩＣの他のもの）が使用され得る。各モジュールの機能はまた、全体的にまたは部分的に、１つまたは複数の汎用または特定用途向けプロセッサによって実行されるようにフォーマットされた、メモリ中に組み込まれた命令を用いて実施され得る。
【０１１９】
[0142]  いくつかの例において、受信機モジュール１３１０は、専用無線周波数スペクトル帯域（例えば、無線周波数スペクトル帯域が、特定の使用のために特定のユーザに認可されているので、送信デバイスがそれのためにアクセスを求めて競合しないことがある、無線周波数スペクトル帯域（例えば、ＬＴＥ／ＬＴＥ−Ａ通信のために使用可能な認可無線周波数スペクトル帯域））または共有無線周波数スペクトル帯域（例えば、送信デバイスがそれのためにアクセスを求めて競合する必要があり得る、無線周波数スペクトル帯域（例えば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域））上で送信を受信するように動作可能な少なくとも１つのＲＦ受信機など、少なくとも１つのＲＦ受信機を含み得る。いくつかの例において、専用無線周波数スペクトル帯域または共有無線周波数スペクトル帯域は、例えば、図１または図２を参照しながら説明されたように、ＬＴＥ／ＬＴＥ−Ａ通信のために使用され得る。受信機モジュール１３１０は、いくつかの場合に、専用無線周波数スペクトル帯域および共有無線周波数スペクトル帯域のための別個の受信機を含み得る。別個の受信機は、いくつかの例において、専用無線周波数スペクトル帯域上で通信するためのＬＴＥ／ＬＴＥ−Ａ受信機モジュール（例えば、専用ＲＦスペクトル帯域のためのＬＴＥ／ＬＴＥ−Ａ受信機モジュール１３１２）、および共有無線周波数スペクトル帯域上で通信するためのＬＴＥ／ＬＴＥ−Ａ受信機モジュール（例えば、共有ＲＦスペクトル帯域のためのＬＴＥ／ＬＴＥ−Ａ受信機モジュール１３１４）の形態をとり得る。専用ＲＦスペクトル帯域のためのＬＴＥ／ＬＴＥ−Ａ受信機モジュール１３１２または共有ＲＦスペクトル帯域のためのＬＴＥ／ＬＴＥ−Ａ受信機モジュール１３１４を含む受信機モジュール１３１０は、図１または図２を参照しながら説明されたワイヤレス通信システム１００または２００の１つまたは複数の通信リンクなど、ワイヤレス通信システムの１つまたは複数の通信リンク上で様々なデータまたは制御信号（すなわち、送信）を受信するために使用され得る。通信リンクは、専用無線周波数スペクトル帯域または共有無線周波数スペクトル帯域上で確立され得る。
【０１２０】
[0143]  いくつかの例において、送信機モジュール１３３０は、専用無線周波数スペクトル帯域または共有無線周波数スペクトル帯域上で送信するように動作可能な少なくとも１つのＲＦ送信機など、少なくとも１つのＲＦ送信機を含み得る。送信機モジュール１３３０は、いくつかの場合に、専用無線周波数スペクトル帯域および共有無線周波数スペクトル帯域のための別個の送信機を含み得る。別個の送信機は、いくつかの例において、専用無線周波数スペクトル帯域上で通信するためのＬＴＥ／ＬＴＥ−Ａ送信機モジュール（例えば、専用ＲＦスペクトル帯域のためのＬＴＥ／ＬＴＥ−Ａ送信機モジュール１３３２）、および共有無線周波数スペクトル帯域上で通信するためのＬＴＥ／ＬＴＥ−Ａ送信機モジュール（例えば、共有ＲＦスペクトル帯域のためのＬＴＥ／ＬＴＥ−Ａ送信機モジュール１３３４）の形態をとり得る。専用ＲＦスペクトル帯域のためのＬＴＥ／ＬＴＥ−Ａ送信機モジュール１３３２または共有ＲＦスペクトル帯域のためのＬＴＥ／ＬＴＥ−Ａ送信機モジュール１３３４を含む送信機モジュール１３３０は、図１または図２を参照しながら説明されたワイヤレス通信システム１００または２００の１つまたは複数の通信リンクなど、ワイヤレス通信システムの１つまたは複数の通信リンク上で様々なデータまたは制御信号（すなわち、送信）を送信するために使用され得る。通信リンクは、専用無線周波数スペクトル帯域または共有無線周波数スペクトル帯域上で確立され得る。
【０１２１】
[0144]  いくつかの例において、ワイヤレス通信管理モジュール１３２０は、デバイス１３１５のためのワイヤレス通信の１つまたは複数の態様を管理するために使用され得る。いくつかの例において、ワイヤレス通信管理モジュール１３２０は、共有チャネル監視モジュール１３３５、プリアンブル処理モジュール１３４０、チャネル推定モジュール１３４５、またはＬＢＴフレーム受信モジュール１３５０を含み得る。
【０１２２】
[0145]  共有チャネル監視モジュール１３３５は、第１のＣＣ  ＬＢＴフレームについて共有無線周波数スペクトル帯域の共有チャネルを監視するために使用され得る。
【０１２３】
[0146]  プリアンブル処理モジュール１３４０は、第２のＣＣプリアンブル中で、第１のＣＣ  ＬＢＴフレームのインジケーションを受信するために使用され得る。いくつかの例において、インジケーションは、第２のＣＣプリアンブルの制御チャネル中で受信され得る。いくつかの例において、インジケーションは、スクランブリング、ＰＬＭＮ  ＩＤ、セルＩＤ、制御シグナリング、シーケンス、またはそれらの組合せを含み得る。いくつかの例において、プリアンブル処理モジュール１３４０は、第２のＣＣプリアンブル中で、Ｗｉ−Ｆｉプリアンブルを受信し得る。いくつかの例において、第１のＣＣ  ＬＢＴフレームは少なくとも１つのｅＣＣを含み得る。
【０１２４】
[0147]  チャネル推定モジュール１３４５は、第２のＣＣプリアンブルから、共有チャネルのためのチャネル推定値を取得するために使用され得る。
【０１２５】
[0148]  ＬＢＴフレーム受信モジュール１３５０は、第１のＣＣ  ＬＢＴフレーム中で第１のＣＣ送信を受信するために使用され得る。第１のＣＣ送信は、第１のＣＣプリアンブルと第１のＣＣ制御／データ部分とを含み得る。代替的に、ＬＢＴフレーム受信モジュール１３５０は、第１のＣＣ  ＬＢＴフレーム中で第１のＣＣ送信を受信するために使用され得、ここで、第１のＣＣ送信が、第１のＣＣプリアンブルなしに送信された第１のＣＣ制御／データ部分を含む。
【０１２６】
[0149]  図１４は、本開示の様々な態様による、ＵＥにおけるワイヤレス通信において使用するためのデバイス１３１５−ａのブロック図１４００を示す。デバイス１３１５−ａは、図１または図２を参照しながら説明されたＵＥ１１５のうちの１つまたは複数の態様、あるいは図１３を参照しながら説明されたデバイス１３１５の態様の一例であり得る。デバイス１３１５−ａはまた、プロセッサであるか、またはプロセッサを含み得る。デバイス１３１５−ａは、受信機モジュール１３１０−ａ、ワイヤレス通信管理モジュール１３２０−ａ、または送信機モジュール１３３０−ａを含み得る。これらのモジュールの各々は互いと通信していることがある。受信機モジュール１３１０−ａは、専用ＲＦスペクトル帯域のためのＬＴＥ／ＬＴＥ−Ａ受信機モジュール１３１２−ａまたは共有ＲＦスペクトル帯域のためのＬＴＥ／ＬＴＥ−Ａ受信機モジュール１３１４−ａを含み得る。送信機モジュール１３３０−ａは、専用ＲＦスペクトル帯域のためのＬＴＥ／ＬＴＥ−Ａ送信機モジュール１３３２−ａまたは共有ＲＦスペクトル帯域のためのＬＴＥ／ＬＴＥ−Ａ送信機モジュール１３３４−ａを含み得る。いくつかの場合に、受信機モジュール１３１０−ａ、ワイヤレス通信管理モジュール１３２０−ａ、送信機モジュール１３３０−ａ、専用ＲＦスペクトル帯域のためのＬＴＥ／ＬＴＥ−Ａ受信機モジュール１３１２−ａ、共有ＲＦスペクトル帯域のためのＬＴＥ／ＬＴＥ−Ａ受信機モジュール１３１４−ａ、専用ＲＦスペクトル帯域のためのＬＴＥ／ＬＴＥ−Ａ送信機モジュール１３３２−ａ、または共有ＲＦスペクトル帯域のためのＬＴＥ／ＬＴＥ−Ａ送信機モジュール１３３４−ａは、図１３を参照しながら説明された受信機モジュール１３１０、ワイヤレス通信管理モジュール１３２０、送信機モジュール１３３０、専用ＲＦスペクトル帯域のためのＬＴＥ／ＬＴＥ−Ａ受信機モジュール１３１２、共有ＲＦスペクトル帯域のためのＬＴＥ／ＬＴＥ−Ａ受信機モジュール１３１４、専用ＲＦスペクトル帯域のためのＬＴＥ／ＬＴＥ−Ａ送信機モジュール１３３２、または共有ＲＦスペクトル帯域のためのＬＴＥ／ＬＴＥ−Ａ送信機モジュール１３３４のそれぞれの例であり得る。
【０１２７】
[0150]  デバイス１３１５−ａの構成要素は、ハードウェア中の適用可能な機能の一部または全部を行うように適応された１つまたは複数のＡＳＩＣを使用して、個々にまたはまとめて実施され得る。代替的に、それらの機能は、１つまたは複数の他の処理ユニット（またはコア）によって、１つまたは複数の集積回路上で行われ得る。他の例では、当技術分野で知られている任意の様式でプログラムされ得る集積回路の他のもの（例えば、ストラクチャード／プラットフォームＡＳＩＣ、ＦＰＧＡ、ＳｏＣ、および／またはセミカスタムＩＣの他のもの）が使用され得る。各モジュールの機能はまた、全体的にまたは部分的に、１つまたは複数の汎用または特定用途向けプロセッサによって実行されるようにフォーマットされた、メモリ中に組み込まれた命令を用いて実施され得る。
【０１２８】
[0151]  ワイヤレス通信管理モジュール１３２０−ａは、デバイス１３１５−ａのためのワイヤレス通信の１つまたは複数の態様を管理するために使用され得る。いくつかの例において、ワイヤレス通信管理モジュール１３２０−ａは、共有チャネル監視モジュール１３３５−ａ、プリアンブル処理モジュール１３４０−ａ、電力管理モジュール１４３５、チャネル推定モジュール１３４５−ａ、またはＬＢＴフレーム受信モジュール１３５０−ａを含み得る。
【０１２９】
[0152]  共有チャネル監視モジュール１３３５−ａは、第２のＣＣ  ＬＢＴフレームについて共有無線周波数スペクトル帯域の共有チャネルを監視するために使用され得る。
【０１３０】
[0153]  プリアンブル処理モジュール１３４０−ａは、第２のＣＣプリアンブルを受信するために使用され得る。いくつかの例において、プリアンブル処理モジュール１３４０−ａは、第２のＣＣプリアンブル中でＷｉ−Ｆｉプリアンブルを受信し得る。プリアンブル処理モジュール１３４０−ａは、第２のＣＣプリアンブルが、第１のＣＣ  ＬＢＴフレームが送信されていることを示すのか第２のＣＣ  ＬＢＴフレームが送信されていることを示すのかを決定し得る。いくつかの例において、第１のＣＣ  ＬＢＴフレームは少なくとも１つのｅＣＣを含み得、第２のＣＣ  ＬＢＴフレームは少なくとも１つの非ｅＣＣを含み得る。いくつかの例において、第１のＣＣ  ＬＢＴフレームが送信されているのか第２のＣＣ  ＬＢＴフレームが送信されているのかのインジケーションは、第２のＣＣプリアンブルの制御チャネル中で受信され得る。いくつかの例において、インジケーションは、スクランブリング、ＰＬＭＮ  ＩＤ、セルＩＤ、制御シグナリング、シーケンス、またはそれらの組合せを含み得る。
【０１３１】
[0154]  プリアンブル処理モジュール１３４０−ａはまた、第２のＣＣプリアンブルから、第２のＣＣプリアンブルが、デバイス１３１５−ａのための許可を有するＬＢＴフレーム中で送信されるかどうかを決定するために使用され得る。プリアンブル処理モジュール１３４０−ａはまた、第２のＣＣプリアンブルから、デバイス１３１５−ａを対象としないＬＢＴフレームが送信されているかどうかを決定するために使用され得る。
【０１３２】
[0155]  電力管理モジュール１４３５は、ＬＢＴフレームがデバイス１３１５−ａを対象としないＬＢＴフレームであるとプリアンブル処理モジュール１３４０−ａが決定したとき、または、ＬＢＴフレームがデバイス１３１５−ａのための許可を有しないとプリアンブル処理モジュール１３４０−ａが決定したとき、ＬＢＴフレームの残りの間、スリープ状態に入るために使用され得る。例えば、デバイス１３１５−ａは、第２のＣＣ対応デバイスであり得るか、または、ただ第２のＣＣ  ＬＢＴフレームをリッスンすることに関心があり得る。そのような例において、電力管理モジュール１４３５は、ＬＢＴフレームが第１のＣＣ  ＬＢＴフレームであるとプリアンブル処理モジュール１３４０−ａが決定したとき、ＬＢＴフレームの残りの間スリープ状態に入るために使用され得る。
【０１３３】
[0156]  チャネル推定モジュール１３４５−ａは、第２のＣＣプリアンブルから、共有チャネルのためのチャネル推定値を取得するために使用され得る。
【０１３４】
[0157]  ＬＢＴフレーム受信モジュール１３５０−ａは、第２のＣＣ  ＬＢＴフレーム中で第２のＣＣ送信を受信するために使用され得る。第２のＣＣ送信は、第２のＣＣプリアンブルと第２のＣＣ制御／データ部分とを含み得る。
【０１３５】
[0158]  図１５は、本開示の様々な態様による、ＵＥにおけるワイヤレス通信において使用するためのデバイス１３１５−ｂのブロック図１５００を示す。デバイス１３１５−ｂは、図１または図２を参照しながら説明されたＵＥ１１５のうちの１つまたは複数の態様、あるいは図１３または図１４を参照しながら説明されたデバイス１３１５の態様の一例であり得る。デバイス１３１５−ｂはまた、プロセッサであるか、またはプロセッサを含み得る。デバイス１３１５−ｂは、受信機モジュール１３１０−ｂ、ワイヤレス通信管理モジュール１３２０−ｂ、または送信機モジュール１３３０−ｂを含み得る。これらのモジュールの各々は互いと通信していることがある。受信機モジュール１３１０−ｂは、専用ＲＦスペクトル帯域のためのＬＴＥ／ＬＴＥ−Ａ受信機モジュール１３１２−ｂまたは共有ＲＦスペクトル帯域のためのＬＴＥ／ＬＴＥ−Ａ受信機モジュール１３１４−ｂを含み得る。送信機モジュール１３３０−ｂは、専用ＲＦスペクトル帯域のためのＬＴＥ／ＬＴＥ−Ａ送信機モジュール１３３２−ｂまたは共有ＲＦスペクトル帯域のためのＬＴＥ／ＬＴＥ−Ａ送信機モジュール１３３４−ｂを含み得る。いくつかの場合に、受信機モジュール１３１０−ｂ、ワイヤレス通信管理モジュール１３２０−ｂ、送信機モジュール１３３０−ｂ、専用ＲＦスペクトル帯域のためのＬＴＥ／ＬＴＥ−Ａ受信機モジュール１３１２−ｂ、共有ＲＦスペクトル帯域のためのＬＴＥ／ＬＴＥ−Ａ受信機モジュール１３１４−ｂ、専用ＲＦスペクトル帯域のためのＬＴＥ／ＬＴＥ−Ａ送信機モジュール１３３２−ｂ、または共有ＲＦスペクトル帯域のためのＬＴＥ／ＬＴＥ−Ａ送信機モジュール１３３４−ｂは、図１３を参照しながら説明された受信機モジュール１３１０、ワイヤレス通信管理モジュール１３２０、送信機モジュール１３３０、専用ＲＦスペクトル帯域のためのＬＴＥ／ＬＴＥ−Ａ受信機モジュール１３１２、共有ＲＦスペクトル帯域のためのＬＴＥ／ＬＴＥ−Ａ受信機モジュール１３１４、専用ＲＦスペクトル帯域のためのＬＴＥ／ＬＴＥ−Ａ送信機モジュール１３３２、または共有ＲＦスペクトル帯域のためのＬＴＥ／ＬＴＥ−Ａ送信機モジュール１３３４のそれぞれの例であり得る。
【０１３６】
[0159]  デバイス１３１５−ｂの構成要素は、ハードウェア中の適用可能な機能の一部または全部を行うように適応された１つまたは複数のＡＳＩＣを使用して、個々にまたはまとめて実施され得る。代替的に、それらの機能は、１つまたは複数の他の処理ユニット（またはコア）によって、１つまたは複数の集積回路上で行われ得る。他の例では、当技術分野で知られている任意の様式でプログラムされ得る集積回路の他のもの（例えば、ストラクチャード／プラットフォームＡＳＩＣ、ＦＰＧＡ、ＳｏＣ、および／またはセミカスタムＩＣの他のもの）が使用され得る。各モジュールの機能はまた、全体的にまたは部分的に、１つまたは複数の汎用または特定用途向けプロセッサによって実行されるようにフォーマットされた、メモリ中に組み込まれた命令を用いて実施され得る。
【０１３７】
[0160]  ワイヤレス通信管理モジュール１３２０−ｂは、デバイス１３１５−ｂのためのワイヤレス通信の１つまたは複数の態様を管理するために使用され得る。いくつかの例において、ワイヤレス通信管理モジュール１３２０−ｂは、ＤＲＳ処理モジュール１５３５、セル捕捉モジュール１５４０、通信モード決定モジュール１５４５、または通信モジュール１５５０を含み得る。
【０１３８】
[0161]  ＤＲＳ処理モジュール１５３５は、基地局からＤＲＳを受信するために使用され得る。いくつかの例において、ＤＲＳは、共有無線周波数スペクトル帯域の共有チャネル中で受信され得る。
【０１３９】
[0162]  セル捕捉モジュール１５４０は、ＤＲＳ処理モジュール１５３５が第１のＣＣ  ＤＲＳを受信したとき、基地局の第１のＣＣセルを捕捉するか、または、ＤＲＳ処理モジュール１５３５が第２のＣＣ  ＤＲＳを受信したとき、基地局の第２のＣＣセルを捕捉するために使用され得る。いくつかの例において、第１のＣＣ  ＤＲＳは少なくとも１つのｅＣＣ  ＤＲＳを含み得、第２のＣＣ  ＤＲＳは少なくとも１つの非ｅＣＣ  ＤＲＳを含み得る。同様に、第１のＣＣセルはｅＣＣセルを含み得、第２のＣＣセルは非ｅＣＣセルを含み得る。
【０１４０】
[0163]  通信モード決定モジュール１５４５は、基地局が第１のＣＣ通信をサポートするかどうかを決定するために使用され得る。いくつかの例において、通信モード決定モジュール１５４５は、第２のＣＣ  ＤＲＳ中で受信されたインジケーションに少なくとも部分的に基づいて、基地局が第１のＣＣ通信をサポートすると決定し得る。いくつかの例において、通信モード決定モジュール１５４５は、（例えば、基地局の第２のＣＣセルを捕捉した後に）基地局から受信された第２のＣＣ構成情報に少なくとも部分的に基づいて、基地局が第１のＣＣ通信をサポートすると決定し得る。いくつかの例において、通信モード決定モジュール１５４５は、基地局から受信された第１のＣＣ  ＤＲＳに少なくとも部分的に基づいて、基地局が第１のＣＣ通信をサポートすると決定し得る。
【０１４１】
[0164]  通信モジュール１５５０は、基地局の能力に応じて、第１のＣＣ通信または第２のＣＣ通信を使用して基地局と通信するために使用され得る。いくつかの例において、ＤＲＳ処理モジュール１５３５は、第２のＣＣ  ＤＲＳを受信する間に第２のＣＣのＯＦＤＭヌメロロジーを使用し得、通信モジュール１５５０は、第１のＣＣ通信を使用して基地局と通信する間に第１のＣＣのＯＦＤＭヌメロロジーを使用し得る。
【０１４２】
[0165]  図１６は、本開示の様々な態様による、ワイヤレス通信において使用するための基地局１０５−ｄ（例えば、ｅＮＢの一部または全部を形成する基地局）のブロック図１６００を示す。いくつかの例において、基地局１０５−ｄは、図１、図２、図１０、図１１、または図１２を参照しながら説明された基地局１０５またはデバイス１００５のうちの１つまたは複数の態様の一例であり得る。基地局１０５−ｄは、図１〜図１２を参照しながら説明された基地局の特徴および機能のうちの少なくともいくつかを実施するかまたは可能にするように構成され得る。
【０１４３】
[0166]  基地局１０５−ｄは、基地局プロセッサモジュール１６１０、基地局メモリモジュール１６２０、（（１つまたは複数の）基地局トランシーバモジュール１６５０によって表される）少なくとも１つの基地局トランシーバモジュール、（（１つまたは複数の）基地局アンテナ１６５５によって表される）少なくとも１つの基地局アンテナ、または基地局ワイヤレス通信管理モジュール１０２０−ｃを含み得る。基地局１０５−ｄはまた、基地局通信モジュール１６３０またはネットワーク通信モジュール１６４０のうちの１つまたは複数を含み得る。これらの構成要素の各々は、１つまたは複数のバス１６３５上で、直接または間接的に、互いと通信していることがある。
【０１４４】
[0167]  基地局メモリモジュール１６２０は、ランダムアクセスメモリ（ＲＡＭ）または読取り専用メモリ（ＲＯＭ）を含み得る。基地局メモリモジュール１６２０は、実行されたとき、例えば、図１〜図１２を参照しながら説明された通信ウィンドウ多重化、ＤＲＳ送信、またはＵＥ接続管理機能を含む、ワイヤレス通信に関係する本明細書で説明される様々な機能を基地局プロセッサモジュール１６１０に行わせるように構成された命令を含んでいるコンピュータ可読、コンピュータ実行可能コード１６２５を記憶し得る。代替的に、コード１６２５は、基地局プロセッサモジュール１６１０によって直接的に実行可能ではないが、（例えば、コンパイルされ、実行されたとき）本明細書で説明される機能のうちのいくつかを基地局１０５−ｄに行わせるように構成され得る。
【０１４５】
[0168]  基地局プロセッサモジュール１６１０は、インテリジェントハードウェアデバイス、例えば、中央処理ユニット（ＣＰＵ）、マイクロコントローラ、ＡＳＩＣなどを含み得る。基地局プロセッサモジュール１６１０は、（１つまたは複数の）基地局トランシーバモジュール１６５０、基地局通信モジュール１６３０、またはネットワーク通信モジュール１６４０を通して受信された情報を処理し得る。基地局プロセッサモジュール１６１０はまた、（１つまたは複数の）アンテナ１６５５を通した送信のために（１つまたは複数の）トランシーバモジュール１６５０に送られるべき情報、１つまたは複数の他の基地局１０５−ｅおよび１０５−ｆへの送信のために基地局通信モジュール１６３０に送られるべき情報、または図１を参照しながら説明されたコアネットワーク１３０の１つまたは複数の態様の一例であり得る、コアネットワーク１３０−ａへの送信のためにネットワーク通信モジュール１６４０に送られるべき情報を処理し得る。基地局プロセッサモジュール１６１０は、単独で、または、基地局ワイヤレス通信管理モジュール１０２０−ｃとともに、専用無線周波数スペクトル帯域または共有無線周波数スペクトル帯域上で通信すること（またはそれの上での通信を管理すること）の様々な態様を扱い得る。専用無線周波数スペクトル帯域は、送信デバイスがそれのためにアクセスを求めて競合しないことがある、無線周波数スペクトル帯域（例えば、ＬＴＥ／ＬＴＥ−Ａ通信のために使用可能な認可無線周波数スペクトル帯域など、特定の使用のための特定のユーザに認可された無線周波数スペクトル帯域）を含み得る。共有無線周波数スペクトル帯域は、送信デバイスがそれのためにアクセスを求めて競合し得る、無線周波数スペクトル帯域（例えば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域）を含み得る。
【０１４６】
[0169]  （１つまたは複数の）基地局トランシーバモジュール１６５０は、パケットを変調し、変調されたパケットを送信のために（１つまたは複数の）基地局アンテナ１６５５に与え、（１つまたは複数の）基地局アンテナ１６５５から受信されたパケットを復調するように構成されたモデムを含み得る。（１つまたは複数の）基地局トランシーバモジュール１６５０は、いくつかの例において、１つまたは複数の基地局送信機モジュールおよび１つまたは複数の別個の基地局受信機モジュールとして実施され得る。（１つまたは複数の）基地局トランシーバモジュール１６５０は、専用無線周波数スペクトル帯域または共有無線周波数スペクトル帯域中での通信をサポートし得る。（１つまたは複数の）基地局トランシーバモジュール１６５０は、（１つまたは複数の）アンテナ１６５５を介して、図１、図２、図１３、図１４、または図１５を参照しながら説明されたＵＥ１１５またはデバイス１３１５のうちの１つまたは複数など、１つまたは複数のＵＥまたは他のデバイスと双方向に通信するように構成され得る。基地局１０５−ｄは、例えば、複数の基地局アンテナ１６５５（例えば、アンテナアレイ）を含み得る。基地局１０５−ｄは、ネットワーク通信モジュール１６４０を通してコアネットワーク１３０−ａと通信し得る。基地局１０５−ｄはまた、基地局通信モジュール１６３０を使用して、基地局１０５−ｅおよび１０５−ｆなど、他の基地局と通信し得る。
【０１４７】
[0170]  基地局ワイヤレス通信管理モジュール１０２０−ｃは、専用無線周波数スペクトル帯域または共有無線周波数スペクトル帯域上でのワイヤレス通信に関係する図１〜図１２を参照しながら説明された特徴または機能の一部または全部を行うまたは制御するように構成され得る。基地局ワイヤレス通信管理モジュール１０２０−ｃは、専用無線周波数スペクトル帯域中でのＬＴＥ／ＬＴＥ−Ａ通信を扱うように構成された、専用ＲＦスペクトル帯域のための基地局ＬＴＥ／ＬＴＥ−Ａモジュール１６６０、または、共有無線周波数スペクトル帯域中でのＬＴＥ／ＬＴＥ−Ａ通信を扱うように構成された、共有ＲＦスペクトル帯域のための基地局ＬＴＥ／ＬＴＥ−Ａモジュール１６６５を含み得る。基地局ワイヤレス通信管理モジュール１０２０−ｃ、またはそれの部分はプロセッサを含み得、あるいは基地局ワイヤレス通信管理モジュール１０２０−ｃの機能の一部または全部は、基地局プロセッサモジュール１６１０によって行われるか、または基地局プロセッサモジュール１６１０とともに行われ得る。いくつかの例において、基地局ワイヤレス通信管理モジュール１０２０−ｃは、図１０、図１１、または図１２を参照しながら説明されたワイヤレス通信管理モジュール１０２０の一例であり得る。
【０１４８】
[0171]  図１７は、本開示の様々な態様による、ワイヤレス通信において使用するためのＵＥ１１５−ｄのブロック図１７００を示す。ＵＥ１１５−ｄは、様々な構成を有し得、ワイヤレス通信デバイス、パーソナルコンピュータ（例えば、ラップトップコンピュータ、ネットブックコンピュータ、タブレットコンピュータなど）、ハンドヘルドデバイス、セルラー電話、スマートフォン、コードレスフォン、ワイヤレスモデム、ワイヤレスローカルループ（ＷＬＬ）局、携帯情報端末（ＰＤＡ）、デジタルビデオレコーダ（ＤＶＲ）、インターネット機器、ゲーミングコンソール、電子リーダーなどであり得る。ＵＥ１１５−ｄは、いくつかの例において、モバイル動作を可能にするために、小型バッテリーなどの内部電源（図示せず）を有し得る。いくつかの例において、ＵＥ１１５−ｄは、図１、図２、図１３、図１４、または図１５を参照しながら説明されたＵＥ１１５またはデバイス１３１５のうちの１つまたは複数の態様の一例であり得る。ＵＥ１１５−ｄは、図１〜図９および図１３〜図１５を参照しながら説明されたＵＥまたはデバイスの特徴および機能のうちの少なくともいくつかを実施するように構成され得る。
【０１４９】
[0172]  ＵＥ１１５−ｄは、ＵＥプロセッサモジュール１７１０、ＵＥメモリモジュール１７２０、（（１つまたは複数の）ＵＥトランシーバモジュール１７３０によって表される）少なくとも１つのＵＥトランシーバモジュール、（（１つまたは複数の）ＵＥアンテナ１７４０によって表される）少なくとも１つのＵＥアンテナ、またはＵＥワイヤレス通信管理モジュール１３２０−ｃを含み得る。これらの構成要素の各々は、１つまたは複数のバス１７３５上で、直接または間接的に、互いと通信していることがある。
【０１５０】
[0173]  ＵＥメモリモジュール１７２０はＲＡＭまたはＲＯＭを含み得る。ＵＥメモリモジュール１７２０は、実行されたとき、例えば、図１〜図９および図１３〜図１５を参照しながら説明されたように、多重化された通信ウィンドウ中で通信することまたは基地局のセルを捕捉することを含む、ワイヤレス通信に関係する本明細書で説明される様々な機能をＵＥプロセッサモジュール１７１０に行わせるように構成された命令を含んでいるコンピュータ可読、コンピュータ実行可能コード１７２５を記憶し得る。代替的に、コード１７２５は、ＵＥプロセッサモジュール１７１０によって直接的に実行可能ではないが、（例えば、コンパイルされ、実行されたとき）本明細書で説明される機能のうちのいくつかをＵＥ１１５−ｄに行わせるように構成され得る。
【０１５１】
[0174]  ＵＥプロセッサモジュール１７１０は、インテリジェントハードウェアデバイス、例えば、ＣＰＵ、マイクロコントローラ、ＡＳＩＣなどを含み得る。ＵＥプロセッサモジュール１７１０は、（１つまたは複数の）ＵＥトランシーバモジュール１７３０を通して受信された情報、または（１つまたは複数の）ＵＥアンテナ１７４０を通した送信のために（１つまたは複数の）ＵＥトランシーバモジュール１７３０に送られるべき情報を処理し得る。ＵＥプロセッサモジュール１７１０は、単独で、またはＵＥワイヤレス通信管理モジュール１３２０−ｃとともに、専用無線周波数スペクトル帯域（例えば、無線周波数スペクトル帯域が、特定の使用のために特定のユーザに認可されているので、送信デバイスがそれのためにアクセスを求めて競合しないことがある、無線周波数スペクトル帯域（例えば、ＬＴＥ／ＬＴＥ−Ａ通信のために使用可能な認可無線周波数スペクトル帯域））または共有無線周波数スペクトル帯域（例えば、送信デバイスがそれのためにアクセスを求めて競合する必要があり得る、無線周波数スペクトル帯域（例えば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域））上で通信する（またはその帯域上での通信を管理する）様々な態様を扱い得る。
【０１５２】
[0175]  （１つまたは複数の）ＵＥトランシーバモジュール１７３０は、パケットを変調し、変調されたパケットを送信のために（１つまたは複数の）ＵＥアンテナ１７４０に与え、（１つまたは複数の）ＵＥアンテナ１７４０から受信されたパケットを復調するように構成されたモデムを含み得る。（１つまたは複数の）ＵＥトランシーバモジュール１７３０は、いくつかの例において、１つまたは複数のＵＥ送信機モジュールおよび１つまたは複数の別個のＵＥ受信機モジュールとして実施され得る。（１つまたは複数の）ＵＥトランシーバモジュール１７３０は、１つまたは複数のワイヤレスチャネル上での通信をサポートし得る。（１つまたは複数の）ＵＥトランシーバモジュール１７３０は、（１つまたは複数の）ＵＥアンテナ１７４０を介して、図１、図２、図１０、図１１、図１２、または図１６を参照しながら説明された基地局１０５またはデバイス１００５のうちの１つまたは複数など、１つまたは複数の基地局または他のデバイスと双方向に通信するように構成され得る。ＵＥ１１５−ｄは単一のＵＥアンテナを含み得るが、ＵＥ１１５−ｄが複数のＵＥアンテナ１７４０を含み得る例があり得る。
【０１５３】
[0176]  ＵＥワイヤレス通信管理モジュール１３２０−ｃは、専用無線周波数スペクトル帯域または共有無線周波数スペクトル帯域上でのワイヤレス通信に関係する図１〜図９および図１３〜図１５を参照しながら説明されたＵＥまたはデバイスの特徴または機能の一部または全部を行うまたは制御するように構成され得る。ＵＥワイヤレス通信管理モジュール１３２０−ｃは、専用無線周波数スペクトル帯域中でのＬＴＥ／ＬＴＥ−Ａ通信を扱うように構成された、専用ＲＦスペクトル帯域のためのＵＥ  ＬＴＥ／ＬＴＥ−Ａモジュール１７６０、または共有無線周波数スペクトル帯域中でのＬＴＥ／ＬＴＥ−Ａ通信を扱うように構成された、共有ＲＦスペクトル帯域のためのＵＥ  ＬＴＥ／ＬＴＥ−Ａモジュール１７６５を含み得る。ＵＥワイヤレス通信管理モジュール１３２０−ｃ、またはそれの部分はプロセッサを含み得、あるいはＵＥワイヤレス通信管理モジュール１３２０−ｃの機能の一部または全部は、ＵＥプロセッサモジュール１７１０によって行われるか、またはＵＥプロセッサモジュール１７１０とともに行われ得る。いくつかの例において、ＵＥワイヤレス通信管理モジュール１３２０−ｃは、図１３、図１４、または図１５を参照しながら説明されたワイヤレス通信管理モジュール１３２０の一例であり得る。
【０１５４】
[0177]  図１８は、本開示の様々な態様による、図１、図２、図１０、図１１、図１２、または図１６を参照しながら説明された基地局１０５またはデバイス１００５のうちの１つまたは複数の態様を含む基地局またはデバイスなど、基地局またはデバイスにおけるワイヤレス通信のための方法１８００の一例を示すフローチャートである。いくつかの例では、基地局またはデバイスが、以下で説明される機能を行うように基地局またはデバイスの機能要素を制御するためのコードの１つまたは複数のセットを実行し得る。
【０１５５】
[0178]  ブロック１８０５で、基地局は、共有無線周波数スペクトル帯域の共有チャネルへのアクセスを求めて競合する。いくつかの例において、アクセスを求めて競合することは、ＣＣＡプロシージャまたはｅＣＣＡプロシージャなど、ＬＢＴプロシージャを行うことを含み得る。共有無線周波数スペクトル帯域は、送信デバイスがそれのためにアクセスを求めて競合する必要があり得る、無線周波数スペクトル帯域（例えば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域）を含み得る。ブロック１８０５での（１つまたは複数の）動作は、図１０、図１１、図１２、または図１６を参照しながら説明されたワイヤレス通信管理モジュール１０２０、あるいは図１０または図１１を参照しながら説明されたアクセス競合モジュール１０３５を使用して行われ得る。
【０１５６】
[0179]  ブロック１８１０で、基地局は、共有チャネル中で第１のＣＣ通信ウィンドウと第２のＣＣ通信ウィンドウとを多重化する。いくつかの例では、第１のＣＣ通信ウィンドウのＯＦＤＭシンボルの持続時間が、第２のＣＣ通信ウィンドウのＯＦＤＭシンボルの持続時間とは異なり得る。多重化することは、ブロック１８０５で共有チャネルへのアクセスを求める競合に勝つことに伴って共有チャネル上で行われ得る。いくつかの例において、第１のＣＣ通信ウィンドウは少なくとも１つのｅＣＣ（例えば、１つのｅＣＣ）を含み得、第２のＣＣ通信ウィンドウは少なくとも１つの非ｅＣＣ（例えば、４つの非ｅＣＣ）を含み得る。ブロック１８１０での（１つまたは複数の）動作は、図１０、図１１、図１２、または図１６を参照しながら説明されたワイヤレス通信管理モジュール１０２０、あるいは図１０または図１１を参照しながら説明された通信ウィンドウ多重化モジュール１０４０を使用して行われ得る。
【０１５７】
[0180]  方法１８００のいくつかの例において、ブロック１８１０で行われる多重化することは、共有チャネル中で第１のＣＣ通信ウィンドウと第２のＣＣ通信ウィンドウとを周波数領域多重化することを含み得る。いくつかの例において、多重化することは、共有チャネル中で第１のＣＣ通信ウィンドウと第２のＣＣ通信ウィンドウとを時分割多重化することを含み得る。時分割多重化することは、例えば、無線フレームレベルまたはそれ以下（例えば、無線フレーム内）において行われ得る。いくつかの時分割多重化例において、第１のＣＣ通信ウィンドウと第２のＣＣ通信ウィンドウとの間の区分は、無線フレームの制御チャネル中でシグナリングされ得る。代替的に、第１のＣＣ通信ウィンドウと第２のＣＣ通信ウィンドウとの間の区分は、１つまたは複数の第１のＣＣ対応ＵＥに、第１のＣＣ通信のためのリソースの１つまたは複数の許可（例えば、少なくとも第１の許可を含む１つまたは複数の許可）を送信することによって示され得る。いくつかの例において、区分は、１つまたは複数の第２のＣＣ対応ＵＥに、第２のＣＣ通信のためのリソースの１つまたは複数の許可（例えば、少なくとも第２の許可を含む１つまたは複数の許可）を送信することによっても示され得る。
【０１５８】
[0181]  従って、方法１８００はワイヤレス通信を提供し得る。方法１８００は一実施形態にすぎないこと、および方法１８００の動作は、他の実施形態が可能であるように、並べ替えられるかまたは場合によっては変更され得ることに留意されたい。
【０１５９】
[0182]  図１９は、本開示の様々な態様による、図１、図２、図１０、図１１、図１２、または図１６を参照しながら説明された基地局１０５またはデバイス１００５のうちの１つまたは複数の態様を含む基地局またはデバイスなど、基地局またはデバイスにおけるワイヤレス通信のための方法１９００の一例を示すフローチャートである。いくつかの例では、基地局またはデバイスが、以下で説明される機能を行うように基地局またはデバイスの機能要素を制御するためのコードの１つまたは複数のセットを実行し得る。
【０１６０】
[0183]  ブロック１９０５で、基地局は、共有無線周波数スペクトル帯域の共有チャネルへのアクセスを求めて競合する。いくつかの例において、アクセスを求めて競合することは、ＣＣＡプロシージャまたはｅＣＣＡプロシージャなど、ＬＢＴプロシージャを行うことを含み得る。共有無線周波数スペクトル帯域は、送信デバイスがそれのためにアクセスを求めて競合する必要があり得る、無線周波数スペクトル帯域（例えば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域）を含み得る。いくつかの例において、基地局は、いくつかの無線フレームの各々について、共有無線周波数スペクトル帯域へのアクセスを求めて競合し得る。ブロック１９０５での（１つまたは複数の）動作は、図１０、図１１、図１２、または図１６を参照しながら説明されたワイヤレス通信管理モジュール１０２０、あるいは図１０または図１１を参照しながら説明されたアクセス競合モジュール１０３５を使用して行われ得る。
【０１６１】
[0184]  ブロック１９１０、１９１５、１９２０、１９２５、１９３０、１９３５、または１９４０のうちの１つまたは複数で、基地局は、共有チャネル中で第１のＣＣ通信ウィンドウと第２のＣＣ通信ウィンドウとを時分割多重化し得る。いくつかの例では、第１のＣＣ通信ウィンドウのＯＦＤＭシンボルの持続時間が、第２のＣＣ通信ウィンドウのＯＦＤＭシンボルの持続時間とは異なり得る。多重化することは、ブロック１９０５で共有チャネルへのアクセスを求める競合に勝つことに伴って共有チャネル上で行われ得る。いくつかの例において、第１のＣＣ通信ウィンドウは少なくとも１つのｅＣＣ（例えば、１つのｅＣＣ）を含み得、第２のＣＣ通信ウィンドウは少なくとも１つの非ｅＣＣ（例えば、４つの非ｅＣＣ）を含み得る。
【０１６２】
[0185]  方法１９００のいくつかの例において、時分割多重化することは、無線フレームレベルまたはそれ以下（例えば、無線フレーム内）において行われ得る。いくつかの時分割多重化例において、第１のＣＣ通信ウィンドウと第２のＣＣ通信ウィンドウとの間の区分は、無線フレームの制御チャネル中でシグナリングされ得る。代替的に、第１のＣＣ通信ウィンドウと第２のＣＣ通信ウィンドウとの間の区分は、１つまたは複数の第１のＣＣ対応ＵＥに、第１のＣＣ通信のためのリソースの１つまたは複数の許可（例えば、少なくとも第１の許可を含む１つまたは複数の許可）を送信することによって示され得る。いくつかの例において、区分は、１つまたは複数の第２のＣＣ対応ＵＥに、第２のＣＣ通信のためのリソースの１つまたは複数の許可（例えば、少なくとも第２の許可を含む１つまたは複数の許可）を送信することによっても示され得る。
【０１６３】
[0186]  ブロック１９１０で、基地局は、ＬＢＴフレームの間、共有チャネルへのアクセスを求める競合に勝つ。ブロック１９１０での（１つまたは複数の）動作は、図１０、図１１、図１２、または図１６を参照しながら説明されたワイヤレス通信管理モジュール１０２０、あるいは図１０または図１１を参照しながら説明されたアクセス競合モジュール１０３５を使用して行われ得る。
【０１６４】
[0187]  ブロック１９１５で、基地局は、第１のＣＣ  ＬＢＴフレーム、第２のＣＣ  ＬＢＴフレーム、またはそれらの組合せとしてＬＢＴフレームを構成する。いくつかの例において、ＬＢＴフレームは、ＬＢＴフレーム中でスケジュールされるべきトラフィックのタイプ（例えば、第１のＣＣトラフィック、第２のＣＣトラフィック、またはそれらの組合せ）に少なくとも部分的に基づいて、または、基地局によってサービスされるＵＥのタイプに少なくとも部分的に基づいて（例えば、基地局によってサービスされる第１のＣＣ対応ＵＥおよび第２のＣＣ対応ＵＥの数に少なくとも部分的に基づいて）構成され得る。ＬＢＴフレームを構成することに伴い、方法１９００は、ブロック１９２０または１９２５に続き得る。ブロック１９１５での（１つまたは複数の）動作は、図１０、図１１、図１２、または図１６を参照しながら説明されたワイヤレス通信管理モジュール１０２０、あるいは図１１を参照しながら説明されたＬＢＴフレーム構成モジュール１１３５を使用して行われ得る。
【０１６５】
[0188]  ブロック１９２０で、および第１のＣＣ  ＬＢＴフレームとしてＬＢＴフレームを構成することに伴い、基地局は、第１のＣＣ  ＬＢＴフレーム中で、第１のＣＣプリアンブルと第１のＣＣ制御／データ部分とを送信する。基地局はまた、第１のＣＣ  ＬＢＴフレーム中で（例えば、第１のＣＣプリアンブル中で）Ｗｉ−Ｆｉプリアンブルを送信し得る。いくつかの例において、Ｗｉ−Ｆｉプリアンブルは第１のＣＣプリアンブルの残りに先行し得る。
【０１６６】
[0189]  ブロック１９２５で、およびブロック１９２０での（１つまたは複数の）動作の代替として、基地局は、第１のＣＣ  ＬＢＴフレーム中で、第２のＣＣプリアンブルと、第１のＣＣプリアンブルと、第１のＣＣ制御／データ部分とを送信する。基地局はまた、第１のＣＣ  ＬＢＴフレーム中で（例えば、第２のＣＣプリアンブル中で）Ｗｉ−Ｆｉプリアンブルを送信し得る。いくつかの例において、Ｗｉ−Ｆｉプリアンブルは第２のＣＣプリアンブルの残りに先行し得る。
【０１６７】
[0190]  ブロック１９３０で、およびブロック１９２０または１９２５での（１つまたは複数の）動作の代替として、基地局は、第１のＣＣ  ＬＢＴフレーム中で、第１のＣＣプリアンブルを送信することなしに、第２のＣＣプリアンブルと第１のＣＣ制御／データ部分とを送信する。基地局はまた、第１のＣＣ  ＬＢＴフレーム中で（例えば、第２のＣＣプリアンブル中で）Ｗｉ−Ｆｉプリアンブルを送信し得る。いくつかの例において、Ｗｉ−Ｆｉプリアンブルは第２のＣＣプリアンブルの残りに先行し得る。
【０１６８】
[0191]  ブロック１９３５で、および第２のＣＣ  ＬＢＴフレームとしてＬＢＴフレームを構成することに伴い、基地局は、第２のＣＣ  ＬＢＴフレーム中で、第２のＣＣプリアンブルと第２のＣＣ制御／データ部分とを送信する。基地局はまた、第２のＣＣ  ＬＢＴフレーム中で（例えば、第２のＣＣプリアンブル中で）Ｗｉ−Ｆｉプリアンブルを送信し得る。いくつかの例において、Ｗｉ−Ｆｉプリアンブルは第２のＣＣプリアンブルの残りに先行し得る。
【０１６９】
[0192]  ブロック１９４０で、およびブロック１９２５、１９３０、または１９３５で第２のＣＣプリアンブルを送信したとき、基地局は、随意に、第２のＣＣプリアンブル中で、ＬＢＴフレームが第１のＣＣ  ＬＢＴフレームとして構成されるのか第２のＣＣ  ＬＢＴフレームとして構成されるのかのインジケーションを送信する。いくつかの例において、インジケーションは、スクランブリング、ＰＬＭＮ  ＩＤ、セルＩＤ、制御シグナリング、シーケンス、またはそれらの組合せを含み得る。
【０１７０】
[0193]  ブロック１９２０、１９２５、１９３０、１９３５、または１９４０での（１つまたは複数の）動作は、図１０、図１１、図１２、または図１６を参照しながら説明されたワイヤレス通信管理モジュール１０２０、図１０または図１１を参照しながら説明された通信ウィンドウ多重化モジュール１０４０、あるいは図１１を参照しながら説明された第１のＣＣ  ＬＢＴフレーム送信モジュール１１４０または第２のＣＣ  ＬＢＴフレーム送信モジュール１１４５を使用して行われ得る。
【０１７１】
[0194]  ブロック１９２０、１９２５、１９３０、１９３５、または１９４０のうちの１つまたは複数での動作に続いて、基地局は、もう一度、ブロック１９０５で共有無線周波数スペクトル帯域へのアクセスを求めて競合する。
【０１７２】
[0195]  従って、方法１９００はワイヤレス通信を提供し得る。方法１９００は一実施形態にすぎないこと、および方法１９００の動作は、他の実施形態が可能であるように、並べ替えられるかまたは場合によっては変更され得ることに留意されたい。
【０１７３】
[0196]  図２０は、本開示の様々な態様による、図１、図２、図１０、図１１、図１２、または図１６を参照しながら説明された基地局１０５またはデバイス１００５のうちの１つまたは複数の態様を含む基地局またはデバイスなど、基地局またはデバイスにおけるワイヤレス通信のための方法２０００の一例を示すフローチャートである。いくつかの例では、基地局またはデバイスが、以下で説明される機能を行うように基地局またはデバイスの機能要素を制御するためのコードの１つまたは複数のセットを実行し得る。
【０１７４】
[0197]  ブロック２００５で、基地局は、複数の発見時間期間の各々中でＤＲＳをブロードキャストする。いくつかの例において、ＤＲＳは、共有無線周波数スペクトル帯域の共有チャネル中でブロードキャストされ得る。共有無線周波数スペクトル帯域は、送信デバイスがそれのためにアクセスを求めて競合する必要があり得る、無線周波数スペクトル帯域（例えば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域）を含み得る。いくつかの例において、ＤＲＳは、共有チャネルの一部または全部へのアクセスを求める競合に勝った後に、共有チャネル中で送信され得る。発見基準信号は、同じくまたは代替的に、（例えば、複数のＣＣＡ免除時間期間中で）共有チャネルへのアクセスを求めて競合することなしに、共有チャネル中で送信され得る。ブロック２００５での（１つまたは複数の）動作は、図１０、図１１、図１２、または図１６を参照しながら説明されたワイヤレス通信管理モジュール１０２０、あるいは図１２を参照しながら説明されたＤＲＳ送信モジュール１２３５を使用して行われ得る。
【０１７５】
[0198]  方法２０００のいくつかの例において、基地局は、複数の発見時間期間の各々中で第１のＣＣ  ＤＲＳをブロードキャストし得る。いくつかの例において、基地局は、複数の発見時間期間の各々中で第２のＣＣ  ＤＲＳをブロードキャストし得る。いくつかの例において、基地局は、複数の発見時間期間の各々中で第１のＣＣ  ＤＲＳまたは第２のＣＣ  ＤＲＳをブロードキャストし得る。いくつかの例において、基地局は、複数の発見時間期間の各々中で第１のＣＣ  ＤＲＳと第２のＣＣ  ＤＲＳとをブロードキャストし得る。いくつかの例において、基地局は、複数の第１のＣＣ発見時間期間の各々中で第１のＣＣ  ＤＲＳをブロードキャストし、複数の第２のＣＣ発見時間期間の各々中で第２のＣＣ  ＤＲＳをブロードキャストし得る。いくつかの場合に、第２のＣＣ  ＤＲＳ中で、第１のＣＣ通信のサポートのインジケーション（例えば、基地局による第１のＣＣ通信のサポートのインジケーション）がブロードキャストされ得る。いくつかの例において、第１のＣＣ  ＤＲＳはｅＣＣ  ＤＲＳを含み得、第２のＣＣ  ＤＲＳは非ｅＣＣ  ＤＲＳを含み得る。
【０１７６】
[0199]  ブロック２０１０で、基地局は、（例えば、ＲＡＣＨプロシージャを介して）ＵＥから第１のＣＣ接続要求を受信する。ＵＥから第１のＣＣ接続要求を受信することに伴い、基地局は、ブロック２０１５で、ＵＥとの第１のＣＣ接続を確立する。同じくまたは代替的に、ブロック２０２０で、基地局は、（例えば、同じＵＥまたは異なるＵＥによって開始されるＲＡＣＨプロシージャを介して）ＵＥから第２のＣＣ接続要求を受信する。ＵＥから第２のＣＣ接続要求を受信することに伴い、基地局は、ブロック２０２５で、ＵＥとの第２のＣＣ接続を確立する。いくつかの例において、第２のＣＣ接続要求を介して基地局を捕捉するＵＥは、このＵＥが第１のＣＣ対応であることを基地局に報告し得る（すなわち、基地局は、ブロック２０３０でＵＥから第１のＣＣ能力情報を受信する）。これらの例では、およびブロック２０３５で、基地局は、ＵＥとの第１のＣＣ接続を構成する。ブロック２０１０、２０１５、２０２０、２０２５、２０３０、または２０３５での（１つまたは複数の）動作は、図１０、図１１、図１２、または図１６を参照しながら説明されたワイヤレス通信管理モジュール１０２０、あるいは図１２を参照しながら説明された接続管理モジュール１２４０を使用して行われ得る。
【０１７７】
[0200]  従って、方法２０００はワイヤレス通信を提供し得る。方法２０００は一実施形態にすぎないこと、および方法２０００の動作は、他の実施形態が可能であるように、並べ替えられるかまたは場合によっては変更され得ることに留意されたい。
【０１７８】
[0201]  いくつかの例では、図１８、図１９、または図２０を参照しながら説明された方法１８００、１９００、または２０００の態様が組み合わせられ得る。
【０１７９】
[0202]  図２１は、本開示の様々な態様による、図１、図２、図１３、図１４、図１５、または図１７を参照しながら説明されたＵＥ１１５またはデバイス１３１５のうちの１つまたは複数の態様を含むＵＥまたはデバイスなど、ＵＥまたはデバイスにおけるワイヤレス通信のための方法２１００の一例を示すフローチャートである。いくつかの例では、ＵＥまたはデバイスが、以下で説明される機能を行うようにＵＥまたはデバイスの機能要素を制御するためのコードの１つまたは複数のセットを実行し得る。
【０１８０】
[0203]  ブロック２１０５で、ＵＥは、第１のＣＣ  ＬＢＴフレームについて共有無線周波数スペクトル帯域の共有チャネルを監視する。共有無線周波数スペクトル帯域は、送信デバイスがそれのためにアクセスを求めて競合する必要があり得る、無線周波数スペクトル帯域（例えば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域）を含み得る。ブロック２１０５での（１つまたは複数の）動作は、図１３、図１４、図１５、または図１７を参照しながら説明されたワイヤレス通信管理モジュール１３２０、あるいは図１３を参照しながら説明された共有チャネル監視モジュール１３３５を使用して行われ得る。
【０１８１】
[0204]  ブロック２１１０で、ＵＥは、第２のＣＣプリアンブル中で、第１のＣＣ  ＬＢＴフレームのインジケーションを受信する。いくつかの例において、インジケーションは、第２のＣＣプリアンブルの制御チャネル中で受信され得る。いくつかの例において、インジケーションは、スクランブリング、ＰＬＭＮ  ＩＤ、セルＩＤ、制御シグナリング、シーケンス、またはそれらの組合せを含み得る。いくつかの例において、ＵＥは、第２のＣＣプリアンブル中でＷｉ−Ｆｉプリアンブルを受信し得る。いくつかの例において、第１のＣＣ  ＬＢＴフレームは少なくとも１つのｅＣＣを含み得る。ブロック２１１０での（１つまたは複数の）動作は、図１３、図１４、図１５、または図１７を参照しながら説明されたワイヤレス通信管理モジュール１３２０、あるいは図１３を参照しながら説明されたプリアンブル処理モジュール１３４０を使用して行われ得る。
【０１８２】
[0205]  ブロック２１１５でＵＥは、随意に、第２のＣＣプリアンブルから、共有チャネルのためのチャネル推定値を取得する。ブロック２１１５での（１つまたは複数の）動作は、図１３、図１４、図１５、または図１７を参照しながら説明されたワイヤレス通信管理モジュール１３２０、あるいは図１３を参照しながら説明されたチャネル推定モジュール１３４５を使用して行われ得る。
【０１８３】
[0206]  ブロック２１２０で、ＵＥは、随意に、第１のＣＣ  ＬＢＴフレーム中で第１のＣＣ送信を受信する。第１のＣＣ送信は、第１のＣＣプリアンブルと第１のＣＣ制御／データ部分とを含み得る。代替的に、およびブロック２１２５で、ＵＥは、随意に、第１のＣＣ  ＬＢＴフレーム中で第１のＣＣ送信を受信し、ここで、第１のＣＣ送信が、第１のＣＣプリアンブルなしに送信された第１のＣＣ制御／データ部分を含む。ブロック２１２０または２１２５での１つまたは複数の）動作は、図１３、図１４、図１５、または図１７を参照しながら説明されたワイヤレス通信管理モジュール１３２０、あるいは図１３を参照しながら説明されたＬＢＴフレーム受信モジュール１３５０を使用して行われ得る。
【０１８４】
[0207]  従って、方法２１００はワイヤレス通信を提供し得る。方法２１００は一実施形態にすぎないこと、および方法２１００の動作は、他の実施形態が可能であるように、並べ替えられるかまたは場合によっては変更され得ることに留意されたい。
【０１８５】
[0208]  図２２は、図１、図２、図１３、図１４、図１５、または図１７を参照しながら説明されたＵＥ１１５またはデバイス１３１５のうちの１つまたは複数の態様を含むＵＥまたはデバイスなど、ＵＥまたはデバイスにおけるワイヤレス通信のための方法２２００の一例を示すフローチャートである。いくつかの例では、ＵＥまたはデバイスが、以下で説明される機能を行うようにＵＥまたはデバイスの機能要素を制御するためのコードの１つまたは複数のセットを実行し得る。
【０１８６】
[0209]  ブロック２２０５で、ＵＥは、第２のＣＣ  ＬＢＴフレームについて共有無線周波数スペクトル帯域の共有チャネルを監視する。共有無線周波数スペクトル帯域は、送信デバイスがそれのためにアクセスを求めて競合する必要があり得る、無線周波数スペクトル帯域（例えば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域）を含み得る。ブロック２２０５での（１つまたは複数の）動作は、図１３、図１４、図１５、または図１７を参照しながら説明されたワイヤレス通信管理モジュール１３２０、あるいは図１４を参照しながら説明された共有チャネル監視モジュール１３３５−ａを使用して行われ得る。
【０１８７】
[0210]  ブロック２２１０で、ＵＥは第２のＣＣプリアンブルを受信する。いくつかの例において、ＵＥは、第２のＣＣプリアンブル中でＷｉ−Ｆｉプリアンブルを受信し得る。ブロック２２１５で、ＵＥは、第２のＣＣプリアンブルが、第１のＣＣ  ＬＢＴフレームが送信されていることを示すと決定する。いくつかの例において、第１のＣＣ  ＬＢＴフレームは少なくとも１つのｅＣＣを含み得る。いくつかの例において、第２のＣＣプリアンブルが第１のＣＣ  ＬＢＴフレーム中で送信されているというインジケーションは、第２のＣＣプリアンブルの制御チャネル中で受信され得る。いくつかの例において、インジケーションは、スクランブリング、ＰＬＭＮ  ＩＤ、セルＩＤ、制御シグナリング、シーケンス、またはそれらの組合せを含み得る。ブロック２２１０および２２１５での（１つまたは複数の）動作は、図１３、図１４、図１５、または図１７を参照しながら説明されたワイヤレス通信管理モジュール１３２０、あるいは図１４を参照しながら説明されたプリアンブル処理モジュール１３４０−ａを使用して行われ得る。
【０１８８】
[0211]  ブロック２２２０で、ＵＥは、第１のＣＣ  ＬＢＴフレームの残りの間スリープ状態に入る。ブロック２２２０での（１つまたは複数の）動作は、図１３、図１４、図１５、または図１７を参照しながら説明されたワイヤレス通信管理モジュール１３２０、あるいは図１４を参照しながら説明された電力管理モジュール１４３５を使用して行われ得る。
【０１８９】
[0212]  従って、方法２２００はワイヤレス通信を提供し得る。方法２２００は一実施形態にすぎないこと、および方法２２００の動作は、他の実施形態が可能であるように、並べ替えられるかまたは場合によっては変更され得ることに留意されたい。
【０１９０】
[0213]  図２３は、図１、図２、図１３、図１４、図１５、または図１７を参照しながら説明されたＵＥ１１５またはデバイス１３１５のうちの１つまたは複数の態様を含むＵＥまたはデバイスなど、ＵＥまたはデバイスにおけるワイヤレス通信のための方法２３００の一例を示すフローチャートである。いくつかの例では、ＵＥまたはデバイスが、以下で説明される機能を行うようにＵＥまたはデバイスの機能要素を制御するためのコードの１つまたは複数のセットを実行し得る。
【０１９１】
[0214]  ブロック２３０５で、ＵＥは基地局からＤＲＳを受信する。いくつかの例において、ＤＲＳは、共有無線周波数スペクトル帯域の共有チャネル中で受信され得る。共有無線周波数スペクトル帯域は、送信デバイスがそれのためにアクセスを求めて競合する必要があり得る、無線周波数スペクトル帯域（例えば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域）を含み得る。
【０１９２】
[0215]  ブロック２３１０で、方法２３００は、ＤＲＳが第１のＣＣ  ＤＲＳを含むのか第２のＣＣ  ＤＲＳを含むのかに応じて、分岐し得る。いくつかの例において、第１のＣＣ  ＤＲＳは少なくとも１つのｅＣＣ  ＤＲＳを含み得、第２のＣＣ  ＤＲＳは少なくとも１つの非ｅＣＣ  ＤＲＳを含み得る。ＤＲＳが第１のＣＣ  ＤＲＳを含むとき、方法２３００はブロック２３１５に続き得る。ＤＲＳが第２のＣＣ  ＤＲＳを含むとき、方法２３００はブロック２３２０またはブロック２３２５に続き得る。ブロック２３０５または２３１０での（１つまたは複数の）動作は、図１３、図１４、図１５、または図１７を参照しながら説明されたワイヤレス通信管理モジュール１３２０、あるいは図１５を参照しながら説明されたＤＲＳ処理モジュール１５３５を使用して行われ得る。
【０１９３】
[0216]  ブロック２３１５で、ＵＥは、基地局の第１のＣＣセルを捕捉する。第１のＣＣセルは、第１のＣＣ  ＤＲＳに少なくとも部分的に基づいて捕捉され得る。ブロック２３１５での（１つまたは複数の）動作は、図１３、図１４、図１５、または図１７を参照しながら説明されたワイヤレス通信管理モジュール１３２０、あるいは図１５を参照しながら説明されたセル捕捉モジュール１５４０を使用して行われ得る。ブロック２３１５での（１つまたは複数の）動作に続いて、方法２３００はブロック２３５０に続き得る。
【０１９４】
[0217]  ブロック２３２０で、ＵＥは、基地局の第２のＣＣセルを捕捉する。第２のＣＣセルは、第２のＣＣ  ＤＲＳに少なくとも部分的に基づいて捕捉され得る。ブロック２３２０での（１つまたは複数の）動作は、図１３、図１４、図１５、または図１７を参照しながら説明されたワイヤレス通信管理モジュール１３２０、あるいは図１５を参照しながら説明されたセル捕捉モジュール１５４０を使用して行われ得る。
【０１９５】
[0218]  ブロック２３２５、２３３０、２３３５、または２３４０で、ＵＥは、基地局が第１のＣＣ通信をサポートすると決定し得る。ブロック２３２５で、基地局が第１のＣＣ通信をサポートすると決定することは、第２のＣＣ  ＤＲＳ中で基地局が第１のＣＣ通信をサポートするというインジケーションを受信することを含み得る。ブロック２３３０、２３３５、および２３４０で、基地局が第１のＣＣ通信をサポートすると決定することは、（ブロック２３３０で）基地局との第２のＣＣ接続を確立することと、（ブロック２３３５で）ＵＥの第１のＣＣ能力を基地局に報告することと、（ブロック２３４０で）基地局から第１のＣＣ構成情報を受信することとを含み得る。ブロック２３４５で、基地局が第１のＣＣ通信をサポートすると決定することは、基地局から第１のＣＣ  ＤＲＳを受信することを含み得る。ブロック２３２５、２３３０、２３３５、２３４０、または２３４５での（１つまたは複数の）動作は、図１３、図１４、図１５、または図１７を参照しながら説明されたワイヤレス通信管理モジュール１３２０、あるいは図１５を参照しながら説明された通信モード決定モジュール１５４５を使用して行われ得る。
【０１９６】
[0219]  ブロック２３５０で、および基地局が第１のＣＣ通信をサポートすると決定することに伴って、ＵＥは、基地局との第１のＣＣ接続を確立する。ブロック２３５０での（１つまたは複数の）動作は、図１３、図１４、図１５、または図１７を参照しながら説明されたワイヤレス通信管理モジュール１３２０、あるいは図１５を参照しながら説明されたセル捕捉モジュール１５４０を使用して行われ得る。
【０１９７】
[0220]  ブロック２３５５で、および基地局第１のＣＣ接続で確立することに伴い、ＵＥは、第１のＣＣ通信を使用して基地局と通信する。ブロック２３５５での（１つまたは複数の）動作は、図１３、図１４、図１５、または図１７を参照しながら説明されたワイヤレス通信管理モジュール１３２０、あるいは図１５を参照しながら説明された通信モジュール１５５０を使用して行われ得る。
【０１９８】
[0221]  方法２３００のいくつかの例において、ＵＥは、第２のＣＣ  ＤＲＳを受信する間に第２のＣＣのＯＦＤＭヌメロロジーを使用し、第１のＣＣ通信を使用して基地局と通信する間に第１のＣＣのＯＦＤＭヌメロロジーを使用し得る。ＵＥはまた、第２のＣＣ接続を確立した後に、および第１のＣＣ接続を確立するより前に、第２のＣＣのＯＦＤＭヌメロロジーを使用し得る。
【０１９９】
[0222]  従って、方法２３００はワイヤレス通信を提供し得る。方法２３００は一実施形態にすぎないこと、および方法２３００の動作は、他の実施形態が可能であるように、並べ替えられるかまたは場合によっては変更され得ることに留意されたい。
【０２００】
[0223]  いくつかの例では、図２１、図２２、または図２３を参照しながら説明された方法２１００、２２００、または２３００の態様が組み合わせられ得る。
【０２０１】
[0224]  添付の図面に関して上記に記載された詳細な説明は、例について説明しており、実施され得るまたは特許請求の範囲内に入る例のみを表すものではない。「例」および「例示的」という語は、この説明で使用されるとき、「例、事例、または例示の働きをすること」を意味し、「好ましい」または「他の例よりも有利な」を意味しない。詳細な説明は、説明された技法の理解を与えるための具体的な詳細を含む。ただし、これらの技法は、これらの具体的な詳細なしに実施され得る。いくつかの事例では、説明された例の概念を不明瞭にすることを回避するために、よく知られている構造および装置がブロック図の形式で示されている。
【０２０２】
[0225]  情報および信号は、様々な異なる技術および技法のいずれかを使用して表され得る。例えば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０２０３】
[0226]  本明細書の開示に関して説明された様々な例示的なブロックおよびモジュールは、汎用プロセッサ、デジタル信号プロセッサ（ＤＳＰ）、ＡＳＩＣ、ＦＰＧＡまたは他のプログラマブル論理デバイス、個別ゲートまたはトランジスタ論理、個別ハードウェア構成要素、あるいは本明細書で説明された機能を行うように設計されたそれらの任意の組合せを用いて実施または行われ得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、例えば、ＤＳＰとマイクロプロセッサとの組合せ、複数のマイクロプロセッサ、ＤＳＰコアと連携する１つまたは複数のマイクロプロセッサ、または任意の他のそのような構成としても実施され得る。
【０２０４】
[0227]  本明細書で説明された機能は、ハードウェア、プロセッサによって実行されるソフトウェア、ファームウェア、またはそれらの任意の組合せで実施され得る。プロセッサによって実行されるソフトウェアで実施される場合、機能は、１つまたは複数の命令またはコードとしてコンピュータ可読媒体上に記憶されるか、またはコンピュータ可読媒体を介して送信され得る。他の例および実施形態が、本開示および添付の特許請求の範囲および趣旨内に入る。例えば、ソフトウェアの性質により、上記で説明された機能は、プロセッサ、ハードウェア、ファームウェア、ハードワイヤリング、またはこれらのうちのいずれかの組合せによって実行されるソフトウェアを使用して実施され得る。機能を実施する特徴はまた、機能の部分が、異なる物理的ロケーションにおいて実施されるように分散されることを含めて、様々な位置に物理的に配置され得る。特許請求の範囲を含めて、本明細書で使用される場合、２つ以上の項目の列挙中で使用されるとき、「および／または」という用語は、列挙された項目のうちのいずれか１つが単独で採用され得ること、または列挙された項目のうちの２つ以上の任意の組合せが採用され得ることを意味する。例えば、組成が、構成要素Ａ、Ｂ、および／またはＣを含んでいると記述されている場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用される場合、項目の列挙（例えば、「のうちの少なくとも１つ」あるいは「のうちの１つまたは複数」などの句で終わる項目の列挙）中で使用される「または」は、例えば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【０２０５】
[0228]  コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。例えば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【０２０６】
[0229]  本開示についての以上の説明は、当業者が本開示を作成または使用できるように与えられた。本開示への様々な変更は当業者には容易に明らかになり、本明細書で定義された一般原理は、本開示の趣旨または範囲から逸脱することなく他の変形形態に適用され得る。本開示全体にわたって、「例」または「例示的」という用語は、一例または一事例を示すものであり、言及された例についての選好を暗示せず、または必要としない。従って、本開示は、本明細書で説明された例および設計に限定されるべきでなく、本明細書で開示された原理および新規の特徴に合致する最も広い範囲を与えられるべきである。
以下に本願発明の当初の特許請求の範囲に記載された発明を付記する。
［Ｃ１］
基地局におけるワイヤレス通信のための方法であって、
共有無線周波数スペクトル帯域の共有チャネルへのアクセスを求めて競合することと、
前記共有チャネル中で第１のコンポーネントキャリア（ＣＣ）通信ウィンドウと第２のＣＣ通信ウィンドウとを多重化することと、前記第１のＣＣ通信ウィンドウの直交周波数領域多重化（ＯＦＤＭ）シンボルの持続時間が前記第２のＣＣ通信ウィンドウのＯＦＤＭシンボルの持続時間とは異なり、前記多重化することが、前記共有チャネルへのアクセスを求める競合に勝つことに伴って前記共有チャネル上で行われる、
を備える、方法。
［Ｃ２］
前記多重化することが、
前記共有チャネル中で前記第１のＣＣ通信ウィンドウと前記第２のＣＣ通信ウィンドウとを周波数領域多重化すること
を備える、Ｃ１に記載の方法。
［Ｃ３］
前記多重化することが、
前記共有チャネル中で前記第１のＣＣ通信ウィンドウと前記第２のＣＣ通信ウィンドウとを時分割多重化すること
を備える、Ｃ１に記載の方法。
［Ｃ４］
前記時分割多重化することが、リッスンビフォアトーク（ＬＢＴ）フレームレベルにおいて行われる、Ｃ３に記載の方法。
［Ｃ５］
リッスンビフォアトーク（ＬＢＴ）フレームの制御チャネル中で前記第１のＣＣ通信ウィンドウと前記第２のＣＣ通信ウィンドウとの間の区分をシグナリングすること
をさらに備える、Ｃ３に記載の方法。
［Ｃ６］
第１のＣＣ通信のためのリソースの第１の許可を第１のＣＣ対応ユーザ機器（ＵＥ）に送信すること
をさらに備える、Ｃ３に記載の方法。
［Ｃ７］
第２のＣＣ通信のためのリソースの第２の許可を第２のＣＣ対応ＵＥに送信することをさらに備える、Ｃ６に記載の方法。
［Ｃ８］
前記共有チャネルへのアクセスを求めて競合することが、いくつかのリッスンビフォアトーク（ＬＢＴ）フレームの各々について行われ、ここにおいて、第１のＬＢＴフレームの間前記共有チャネルへのアクセスに勝つ、Ｃ３に記載の方法。
［Ｃ９］
前記第１のＬＢＴフレームが第１のＣＣ  ＬＢＴフレームを備え、前記方法が、
前記第１のＣＣ  ＬＢＴフレーム中で、第２のＣＣプリアンブルと、第１のＣＣプリアンブルと、第１のＣＣ制御／データ部分とを送信すること
をさらに備える、Ｃ８に記載の方法。
［Ｃ１０］
前記第２のＣＣプリアンブル中でＷｉ−Ｆｉプリアンブルを送信すること
をさらに備える、Ｃ９に記載の方法。
［Ｃ１１］
前記第１のＬＢＴフレームが第１のＣＣ  ＬＢＴフレームを備え、前記方法が、
前記第１のＣＣ  ＬＢＴフレーム中で、第１のＣＣプリアンブルなしに、第２のＣＣプリアンブルと第１のＣＣ制御／データ部分とを送信すること
をさらに備える、Ｃ８に記載の方法。
［Ｃ１２］
前記第２のＣＣプリアンブル中でＷｉ−Ｆｉプリアンブルを送信すること
をさらに備える、Ｃ１１に記載の方法。
［Ｃ１３］
前記第１のＬＢＴフレーム中に第２のＣＣプリアンブルを送信することと、
前記第２のＣＣプリアンブル中で、前記第１のＬＢＴフレームが第１のＣＣ  ＬＢＴフレームとして構成されるのか第２のＣＣ  ＬＢＴフレームとして構成されるのかのインジケーションを送信することと
をさらに備える、Ｃ８に記載の方法。
［Ｃ１４］
前記インジケーションが、少なくとも、スクランブリング、またはパブリックランドモバイルネットワーク（ＰＬＭＮ）識別子（ＩＤ）、またはセルＩＤ、または制御シグナリング、またはシーケンス、あるいはそれらの組合せを備える、Ｃ１３に記載の方法。
［Ｃ１５］
前記第１のＬＢＴフレームが第１のＣＣ  ＬＢＴフレームを備え、前記方法が、
前記第１のＣＣ  ＬＢＴフレーム中で、第１のＣＣプリアンブルと第１のＣＣ制御／データ部分とを送信すること
をさらに備える、Ｃ８に記載の方法。
［Ｃ１６］
前記第１のＣＣプリアンブル中でＷｉ−Ｆｉプリアンブルを送信すること
をさらに備える、Ｃ１５に記載の方法。
［Ｃ１７］
複数の発見時間期間の各々中で第２のＣＣ発見基準信号（ＤＲＳ）をブロードキャストすること
をさらに備える、Ｃ１に記載の方法。
［Ｃ１８］
前記第２のＣＣ  ＤＲＳ中で第１のＣＣ通信のサポートのインジケーションをブロードキャストすること
をさらに備える、Ｃ１７に記載の方法。
［Ｃ１９］
ＵＥから第２のＣＣ接続要求を受信することと、
前記ＵＥとの第２のＣＣ接続を確立することと、
前記ＵＥが第１のＣＣ対応であるというインジケーションを受信することと、
前記ＵＥが第１のＣＣ対応であるという前記インジケーションを受信した後に前記ＵＥとの第１のＣＣ接続を構成することと
をさらに備える、Ｃ１に記載の方法。
［Ｃ２０］
複数の発見時間期間の各々中で第１のＣＣ発見基準信号（ＤＲＳ）と第２のＣＣ  ＤＲＳとをブロードキャストすること
をさらに備える、Ｃ１に記載の方法。
［Ｃ２１］
複数の第１のＣＣ発見時間期間の各々中で第１のＣＣ発見基準信号（ＤＲＳ）をブロードキャストすることと、
複数の第２のＣＣ発見時間期間の各々中で第２のＣＣ  ＤＲＳをブロードキャストすることと
をさらに備える、Ｃ１に記載の方法。
［Ｃ２２］
複数の発見時間期間の各々中で第１のＣＣ発見基準信号（ＤＲＳ）または第２のＣＣ  ＤＲＳをブロードキャストすること
をさらに備える、Ｃ１に記載の方法。
［Ｃ２３］
前記第１のＣＣ通信ウィンドウが少なくとも１つの拡張コンポーネントキャリア（ｅＣＣ）を備え、前記第２のＣＣ通信ウィンドウが少なくとも１つの非ｅＣＣを備える、Ｃ１に記載の方法。
［Ｃ２４］
基地局におけるワイヤレス通信のための装置であって、
共有無線周波数スペクトル帯域の共有チャネルへのアクセスを求めて競合するための手段と、
前記共有チャネル中で第１のコンポーネントキャリア（ＣＣ）通信ウィンドウと第２のＣＣ通信ウィンドウとを多重化するための手段と、前記第１のＣＣ通信ウィンドウの直交周波数領域多重化（ＯＦＤＭ）シンボルの持続時間が前記第２のＣＣ通信ウィンドウのＯＦＤＭシンボルの持続時間とは異なり、前記多重化することが、前記共有チャネルへのアクセスを求める競合に勝つことに伴って前記共有チャネル上で行われる、
を備える、装置。
［Ｃ２５］
多重化するための前記手段が、
前記共有チャネル中で前記第１のＣＣ通信ウィンドウと前記第２のＣＣ通信ウィンドウとを周波数領域多重化するための手段
を備える、Ｃ２４に記載の装置。
［Ｃ２６］
多重化するための前記手段が、
前記共有チャネル中で前記第１のＣＣ通信ウィンドウと前記第２のＣＣ通信ウィンドウとを時分割多重化するための手段
を備える、Ｃ２４に記載の装置。
［Ｃ２７］
時分割多重化するための前記手段がリッスンビフォアトーク（ＬＢＴ）フレームレベルにおいて行われる、Ｃ２６に記載の装置。
［Ｃ２８］
リッスンビフォアトーク（ＬＢＴ）フレームの制御チャネル中で前記第１のＣＣ通信ウィンドウと前記第２のＣＣ通信ウィンドウとの間の区分をシグナリングするための手段をさらに備える、Ｃ２６に記載の装置。
［Ｃ２９］
第１のＣＣ通信のためのリソースの第１の許可を第１のＣＣ対応ユーザ機器（ＵＥ）に送信するための手段
をさらに備える、Ｃ２６に記載の装置。
［Ｃ３０］
第２のＣＣ通信のためのリソースの第２の許可を第２のＣＣ対応ＵＥに送信するための手段
をさらに備える、Ｃ２９に記載の装置。
［Ｃ３１］
前記共有チャネルへのアクセスを求めて競合することが、いくつかのリッスンビフォアトーク（ＬＢＴ）フレームの各々について行われ、ここにおいて、第１のＬＢＴフレームの間前記共有チャネルへのアクセスに勝つ、Ｃ２６に記載の装置。
［Ｃ３２］
前記第１のＬＢＴフレームが第１のＣＣ  ＬＢＴフレームを備え、前記装置が、
前記第１のＣＣ  ＬＢＴフレーム中で、第２のＣＣプリアンブルと、第１のＣＣプリアンブルと、第１のＣＣ制御／データ部分とを送信するための手段
をさらに備える、Ｃ３１に記載の装置。
［Ｃ３３］
前記第２のＣＣプリアンブル中でＷｉ−Ｆｉプリアンブルを送信するための手段
をさらに備える、Ｃ３２に記載の装置。
［Ｃ３４］
前記第１のＬＢＴフレームが第１のＣＣ  ＬＢＴフレームを備え、前記装置が、
前記第１のＣＣ  ＬＢＴフレーム中で、第１のＣＣプリアンブルなしに、第２のＣＣプリアンブルと第１のＣＣ制御／データ部分とを送信するための手段
をさらに備える、Ｃ３１に記載の装置。
［Ｃ３５］
前記第２のＣＣプリアンブル中でＷｉ−Ｆｉプリアンブルを送信するための手段
をさらに備える、Ｃ３４に記載の装置。
［Ｃ３６］
前記第１のＬＢＴフレーム中に第２のＣＣプリアンブルを送信するための手段と、
前記第２のＣＣプリアンブル中で、前記第１のＬＢＴフレームが第１のＣＣ  ＬＢＴフレームとして構成されるのか第２のＣＣ  ＬＢＴフレームとして構成されるのかのインジケーションを送信するための手段と
をさらに備える、Ｃ３１に記載の装置。
［Ｃ３７］
前記インジケーションが、少なくとも、スクランブリング、またはパブリックランドモバイルネットワーク（ＰＬＭＮ）識別子（ＩＤ）、またはセルＩＤ、または制御シグナリング、またはシーケンス、あるいはそれらの組合せを備える、Ｃ３６に記載の装置。
［Ｃ３８］
前記第１のＬＢＴフレームが第１のＣＣ  ＬＢＴフレームを備え、前記装置が、
前記第１のＣＣ  ＬＢＴフレーム中で、第１のＣＣプリアンブルと第１のＣＣ制御／データ部分とを送信するための手段
をさらに備える、Ｃ３１に記載の装置。
［Ｃ３９］
前記第１のＣＣプリアンブル中でＷｉ−Ｆｉプリアンブルを送信するための手段
をさらに備える、Ｃ３８に記載の装置。
［Ｃ４０］
複数の発見時間期間の各々中で第２のＣＣ発見基準信号（ＤＲＳ）をブロードキャストするための手段
をさらに備える、Ｃ２４に記載の装置。
［Ｃ４１］
前記第２のＣＣ  ＤＲＳ中で第１のＣＣ通信のサポートのインジケーションをブロードキャストするための手段
をさらに備える、Ｃ４０に記載の装置。
［Ｃ４２］
ＵＥから第２のＣＣ接続要求を受信するための手段と、
前記ＵＥとの第２のＣＣ接続を確立するための手段と、
前記ＵＥが第１のＣＣ対応であるというインジケーションを受信するための手段と、
前記ＵＥが第１のＣＣ対応であるという前記インジケーションを受信した後に前記ＵＥとの第１のＣＣ接続を構成するための手段と
をさらに備える、Ｃ２４に記載の装置。
［Ｃ４３］
複数の発見時間期間の各々中で第１のＣＣ発見基準信号（ＤＲＳ）と第２のＣＣ  ＤＲＳとをブロードキャストするための手段
をさらに備える、Ｃ２４に記載の装置。
［Ｃ４４］
複数の第１のＣＣ発見時間期間の各々中で第１のＣＣ発見基準信号（ＤＲＳ）をブロードキャストするための手段と、
複数の第２のＣＣ発見時間期間の各々中で第２のＣＣ  ＤＲＳをブロードキャストするための手段と
をさらに備える、Ｃ２４に記載の装置。
［Ｃ４５］
複数の発見時間期間の各々中で第１のＣＣ発見基準信号（ＤＲＳ）または第２のＣＣ  ＤＲＳをブロードキャストするための手段
をさらに備える、Ｃ２４に記載の装置。
［Ｃ４６］
前記第１のＣＣ通信ウィンドウが少なくとも１つの拡張コンポーネントキャリア（ｅＣＣ）を備え、前記第２のＣＣ通信ウィンドウが少なくとも１つの非ｅＣＣを備える、Ｃ２４に記載の装置。
［Ｃ４７］
基地局におけるワイヤレス通信のための装置であって、
プロセッサと、
前記プロセッサと電子通信しているメモリと、
前記メモリに記憶された命令とを備え、前記命令は、
共有無線周波数スペクトル帯域の共有チャネルへのアクセスを求めて競合することと、
前記共有チャネル中で第１のコンポーネントキャリア（ＣＣ）通信ウィンドウと第２のＣＣ通信ウィンドウとを多重化することと、前記第１のＣＣ通信ウィンドウの直交周波数領域多重化（ＯＦＤＭ）シンボルの持続時間が前記第２のＣＣ通信ウィンドウのＯＦＤＭシンボルの持続時間とは異なり、前記多重化することが、前記共有チャネルへのアクセスを求める競合に勝つことに伴って前記共有チャネル上で行われる、
を行うために前記プロセッサによって実行可能である、装置。
［Ｃ４８］
多重化するために前記プロセッサによって実行可能な前記命令が、
前記共有チャネル中で前記第１のＣＣ通信ウィンドウと前記第２のＣＣ通信ウィンドウとを時分割多重化する
ために前記プロセッサによって実行可能な命令を備える、Ｃ４７に記載の装置。
［Ｃ４９］
前記共有チャネルへのアクセスを求めて競合することが、いくつかのリッスンビフォアトーク（ＬＢＴ）フレームの各々について行われ、ここにおいて、第１のＬＢＴフレームの間前記共有チャネルへのアクセスに勝つ、Ｃ４８に記載の装置。
［Ｃ５０］
前記第１のＬＢＴフレームが第１のＣＣ  ＬＢＴフレームを備え、ここにおいて、前記命令が、
前記第１のＣＣ  ＬＢＴフレーム中で、第２のＣＣプリアンブルと、第１のＣＣプリアンブルと、第１のＣＣ制御／データ部分とを送信する
ために前記プロセッサによって実行可能である、Ｃ４９に記載の装置。
［Ｃ５１］
前記第１のＬＢＴフレームが第１のＣＣ  ＬＢＴフレームを備え、ここにおいて、前記命令が、
前記第１のＣＣ  ＬＢＴフレーム中で、第１のＣＣプリアンブルなしに、第２のＣＣプリアンブルと第１のＣＣ制御／データ部分とを送信する
ために前記プロセッサによって実行可能である、Ｃ４９に記載の装置。
［Ｃ５２］
前記命令は、
前記第１のＬＢＴフレーム中に第２のＣＣプリアンブルを送信することと、
前記第２のＣＣプリアンブル中で、前記第１のＬＢＴフレームが第１のＣＣ  ＬＢＴフレームとして構成されるのか第２のＣＣ  ＬＢＴフレームとして構成されるのかのインジケーションを送信することと
を行うために前記プロセッサによって実行可能である、Ｃ４９に記載の装置。
［Ｃ５３］
前記インジケーションが、少なくとも、スクランブリング、またはパブリックランドモバイルネットワーク（ＰＬＭＮ）識別子（ＩＤ）、またはセルＩＤ、または制御シグナリング、またはシーケンス、あるいはそれらの組合せを備える、Ｃ５２に記載の装置。
［Ｃ５４］
前記第１のＬＢＴフレームが第１のＣＣ  ＬＢＴフレームを備え、ここにおいて、前記命令が、
前記第１のＣＣ  ＬＢＴフレーム中で、第１のＣＣプリアンブルと第１のＣＣ制御／データ部分とを送信する
ために前記プロセッサによって実行可能である、Ｃ４９に記載の装置。
［Ｃ５５］
前記命令は、
ＵＥから第２のＣＣ接続要求を受信することと、
前記ＵＥとの第２のＣＣ接続を確立することと、
前記ＵＥが第１のＣＣ対応であるというインジケーションを受信することと、
前記ＵＥが第１のＣＣ対応であるという前記インジケーションを受信した後に前記ＵＥとの第１のＣＣ接続を構成することと
を行うために前記プロセッサによって実行可能である、Ｃ４７に記載の装置。
［Ｃ５６］
前記第１のＣＣ通信ウィンドウが少なくとも１つの拡張コンポーネントキャリア（ｅＣＣ）を備え、前記第２のＣＣ通信ウィンドウが少なくとも１つの非ｅＣＣを備える、Ｃ４７に記載の装置。
［Ｃ５７］
ワイヤレス通信のためのコンピュータ実行可能コードを記憶する非一時的コンピュータ可読媒体であって、前記コードは、
共有無線周波数スペクトル帯域の共有チャネルへのアクセスを求めて競合することと、
前記共有チャネル中で第１のコンポーネントキャリア（ＣＣ）通信ウィンドウと第２のＣＣ通信ウィンドウとを多重化することと、前記第１のＣＣ通信ウィンドウの直交周波数領域多重化（ＯＦＤＭ）シンボルの持続時間が前記第２のＣＣ通信ウィンドウのＯＦＤＭシンボルの持続時間とは異なり、前記多重化することが、前記共有チャネルへのアクセスを求める競合に勝つことに伴って前記共有チャネル上で行われる、
を行うためにプロセッサによって実行可能である、非一時的コンピュータ可読媒体。
［Ｃ５８］
ユーザ機器（ＵＥ）におけるワイヤレス通信のための方法であって、
第１のコンポーネントキャリア（ＣＣ）リッスンビフォアトーク（ＬＢＴ）フレームについて共有無線周波数スペクトル帯域の共有チャネルを監視することと、
第２のＣＣプリアンブル中で、前記第１のＣＣ  ＬＢＴフレームのインジケーションを受信することと
を備える、方法。
［Ｃ５９］
前記第２のＣＣプリアンブルの制御チャネル中で前記第１のＣＣ  ＬＢＴフレームの前記インジケーションを受信すること
をさらに備える、Ｃ５８に記載の方法。
［Ｃ６０］
前記第１のＣＣ  ＬＢＴフレーム中で第１のＣＣ送信を受信することをさらに備え、前記第１のＣＣ送信が第１のＣＣプリアンブルと第１のＣＣ制御／データ部分とを備える、Ｃ５８に記載の方法。
［Ｃ６１］
前記第１のＣＣ  ＬＢＴフレーム中で第１のＣＣ送信を受信することをさらに備え、前記第１のＣＣ送信が、第１のＣＣプリアンブルなしに送信された第１のＣＣ制御／データ部分を備える、
Ｃ５８に記載の方法。
［Ｃ６２］
前記第２のＣＣプリアンブル中でＷｉ−Ｆｉプリアンブルを受信すること
をさらに備える、Ｃ５８に記載の方法。
［Ｃ６３］
前記第２のＣＣプリアンブルから、前記共有チャネルのためのチャネル推定値を取得すること
をさらに備える、Ｃ５８に記載の方法。
［Ｃ６４］
ユーザ機器（ＵＥ）におけるワイヤレス通信のための装置であって、
第１のコンポーネントキャリア（ＣＣ）リッスンビフォアトーク（ＬＢＴ）フレームについて共有無線周波数スペクトル帯域の共有チャネルを監視するための手段と、
第２のＣＣプリアンブル中で、前記第１のＣＣ  ＬＢＴフレームのインジケーションを受信するための手段と
を備える、装置。
［Ｃ６５］
前記第２のＣＣプリアンブルの制御チャネル中で前記第１のＣＣ  ＬＢＴフレームの前記インジケーションを受信するための手段
をさらに備える、Ｃ６４に記載の装置。
［Ｃ６６］
前記第１のＣＣ  ＬＢＴフレーム中で第１のＣＣ送信を受信するための手段をさらに備え、前記第１のＣＣ送信が第１のＣＣプリアンブルと第１のＣＣ制御／データ部分とを備える、
Ｃ６４に記載の装置。
［Ｃ６７］
前記第１のＣＣ  ＬＢＴフレーム中で第１のＣＣ送信を受信するための手段をさらに備え、前記第１のＣＣ送信が、第１のＣＣプリアンブルなしに送信された第１のＣＣ制御／データ部分を備える、
Ｃ６４に記載の装置。
［Ｃ６８］
前記第２のＣＣプリアンブル中でＷｉ−Ｆｉプリアンブルを受信するための手段
をさらに備える、Ｃ６４に記載の装置。
［Ｃ６９］
前記第２のＣＣプリアンブルから、前記共有チャネルのためのチャネル推定値を取得するための手段
をさらに備える、Ｃ６４に記載の装置。
［Ｃ７０］
ユーザ機器（ＵＥ）におけるワイヤレス通信のための装置であって、
プロセッサと、
前記プロセッサと電子通信しているメモリと、
前記メモリに記憶された命令とを備え、前記命令が、
第１のコンポーネントキャリア（ＣＣ）リッスンビフォアトーク（ＬＢＴ）フレームについて共有無線周波数スペクトル帯域の共有チャネルを監視することと、
第２のＣＣプリアンブル中で、前記第１のＣＣ  ＬＢＴフレームのインジケーションを受信することと
を行うために前記プロセッサによって実行可能である、装置。
［Ｃ７１］
前記命令が、
前記第２のＣＣプリアンブルの制御チャネル中で前記第１のＣＣ  ＬＢＴフレームの前記インジケーションを受信する
ために前記プロセッサによって実行可能である、Ｃ７０に記載の装置。
［Ｃ７２］
前記命令が、
前記第２のＣＣプリアンブルから、前記共有チャネルのためのチャネル推定値を取得する
ために前記プロセッサによって実行可能である、Ｃ７０に記載の装置。
［Ｃ７３］
ワイヤレス通信のためのコンピュータ実行可能コードを記憶する非一時的コンピュータ可読媒体であって、前記コードが、
第１のコンポーネントキャリア（ＣＣ）リッスンビフォアトーク（ＬＢＴ）フレームについて共有無線周波数スペクトル帯域の共有チャネルを監視することと、
第２のＣＣプリアンブル中で、前記第１のＣＣ  ＬＢＴフレームのインジケーションを受信することと
を行うためにプロセッサによって実行可能である、非一時的コンピュータ可読媒体。
［Ｃ７４］
ユーザ機器（ＵＥ）におけるワイヤレス通信のための方法であって、
第２のコンポーネントキャリア（ＣＣ）リッスンビフォアトーク（ＬＢＴ）フレームについて共有無線周波数スペクトル帯域の共有チャネルを監視することと、
第１のＣＣ  ＬＢＴフレームが送信されていることを示す第２のＣＣプリアンブルを受信することと、
前記第１のＣＣ  ＬＢＴフレームの残りの間スリープ状態に入ることと
を備える、方法。
［Ｃ７５］
ユーザ機器（ＵＥ）におけるワイヤレス通信のための装置であって、
第２のコンポーネントキャリア（ＣＣ）リッスンビフォアトーク（ＬＢＴ）フレームについて共有無線周波数スペクトル帯域の共有チャネルを監視するための手段と、
第１のＣＣ  ＬＢＴフレームが送信されていることを示す第２のＣＣプリアンブルを受信するための手段と、
前記第１のＣＣ  ＬＢＴフレームの残りの間スリープ状態に入るための手段と
を備える、装置。
［Ｃ７６］
ユーザ機器（ＵＥ）におけるワイヤレス通信のための装置であって、
プロセッサと、
前記プロセッサと電子通信しているメモリと、
前記メモリに記憶された命令とを備え、前記命令は、
第２のコンポーネントキャリア（ＣＣ）リッスンビフォアトーク（ＬＢＴ）フレームについて共有無線周波数スペクトル帯域の共有チャネルを監視することと、
第１のＣＣ  ＬＢＴフレームが送信されていることを示す第２のＣＣプリアンブルを受信することと、
前記第１のＣＣ  ＬＢＴフレームの残りの間スリープ状態に入ることと
を行うために前記プロセッサによって実行可能である、装置。
［Ｃ７７］
ワイヤレス通信のためのコンピュータ実行可能コードを記憶する非一時的コンピュータ可読媒体であって、前記コードは、
第２のコンポーネントキャリア（ＣＣ）リッスンビフォアトーク（ＬＢＴ）フレームについて共有無線周波数スペクトル帯域の共有チャネルを監視することと、
第１のＣＣ  ＬＢＴフレームが送信されていることを示す第２のＣＣプリアンブルを受信することと、
前記第１のＣＣ  ＬＢＴフレームの残りの間スリープ状態に入ることと
を行うためにプロセッサによって実行可能である、非一時的コンピュータ可読媒体。
［Ｃ７８］
ユーザ機器（ＵＥ）におけるワイヤレス通信のための方法であって、
基地局の第２のコンポーネントキャリア（ＣＣ）セルを捕捉することと、
前記第２のＣＣセルを捕捉することの後に前記基地局が第１のＣＣ通信をサポートすると決定することと、
前記基地局が第１のＣＣ通信をサポートすると決定することに伴って、第１のＣＣ通信を使用して前記基地局と通信することと
を備える、方法。
［Ｃ７９］
前記基地局から第２のＣＣ発見基準信号（ＤＲＳ）を受信することと、
前記第２のＣＣ  ＤＲＳに少なくとも部分的に基づいて前記基地局の前記第２のＣＣセルを捕捉することと
をさらに備える、Ｃ７８に記載の方法。
［Ｃ８０］
前記基地局が第１のＣＣ通信をサポートすると決定することは、
前記第２のＣＣ  ＤＲＳ中で前記基地局が第１のＣＣ通信をサポートするというインジケーションを受信すること
を備える、Ｃ７９に記載の方法。
［Ｃ８１］
前記第２のＣＣ  ＤＲＳを受信する間に第２のＣＣの直交周波数分割多重化（ＯＦＤＭ）ヌメロロジーを使用することと、
第１のＣＣ通信を使用して前記基地局と通信する間に第１のＣＣのＯＦＤＭヌメロロジーを使用することと
をさらに備える、Ｃ７９に記載の方法。
［Ｃ８２］
前記基地局が第１のＣＣ通信をサポートすると決定することが、
前記基地局の前記第２のＣＣセルを捕捉した後に前記基地局から第１のＣＣ構成情報を受信すること
を備える、Ｃ７８に記載の方法。
［Ｃ８３］
前記基地局が第１のＣＣ通信をサポートすると決定することが、
前記基地局から第１のＣＣ発見基準信号（ＤＲＳ）を受信すること
を備え、前記方法が、
前記基地局との第１のＣＣ接続を確立すること
をさらに備える、Ｃ７８に記載の方法。
［Ｃ８４］
ユーザ機器（ＵＥ）におけるワイヤレス通信のための装置であって、
基地局の第２のコンポーネントキャリア（ＣＣ）セルを捕捉するための手段と、
前記第２のＣＣセルを捕捉することの後に前記基地局が第１のＣＣ通信をサポートすると決定するための手段と、
前記基地局が第１のＣＣ通信をサポートすると決定することに伴って、第１のＣＣ通信を使用して前記基地局と通信するための手段と
を備える、装置。
［Ｃ８５］
前記基地局から第２のＣＣ発見基準信号（ＤＲＳ）を受信するための手段と、
前記第２のＣＣ  ＤＲＳに少なくとも部分的に基づいて前記基地局の前記第２のＣＣセルを捕捉するための手段と
をさらに備える、Ｃ８４に記載の装置。
［Ｃ８６］
前記基地局が第１のＣＣ通信をサポートすると決定するための前記手段は、
前記第２のＣＣ  ＤＲＳ中で前記基地局が第１のＣＣ通信をサポートするというインジケーションを受信するための手段
を備える、Ｃ８５に記載の装置。
［Ｃ８７］
前記第２のＣＣ  ＤＲＳを受信する間に第２のＣＣの直交周波数分割多重化（ＯＦＤＭ）ヌメロロジーを使用するための手段と、
第１のＣＣ通信を使用して前記基地局と通信する間に第１のＣＣのＯＦＤＭヌメロロジーを使用するための手段と
をさらに備える、Ｃ８５に記載の装置。
［Ｃ８８］
前記基地局が第１のＣＣ通信をサポートすると決定するための前記手段が、
前記基地局の前記第２のＣＣセルを捕捉した後に前記基地局から第１のＣＣ構成情報を受信するための手段
を備える、Ｃ８４に記載の装置。
［Ｃ８９］
前記基地局が第１のＣＣ通信をサポートすると決定するための前記手段が、
前記基地局から第１のＣＣ発見基準信号（ＤＲＳ）を受信するための手段
を備え、前記装置が、
前記基地局との第１のＣＣ接続を確立するための手段
をさらに備える、Ｃ８４に記載の装置。
［Ｃ９０］
ユーザ機器（ＵＥ）におけるワイヤレス通信のための装置であって、
プロセッサと、
前記プロセッサと電子通信しているメモリと、
前記メモリに記憶された命令とを備え、前記命令は、
基地局の第２のコンポーネントキャリア（ＣＣ）セルを捕捉することと、
前記第２のＣＣセルを捕捉することの後に前記基地局が第１のＣＣ通信をサポートすると決定することと、
前記基地局が第１のＣＣ通信をサポートすると決定することに伴って、第１のＣＣ通信を使用して前記基地局と通信することと
を行うために前記プロセッサによって実行可能である、装置。
［Ｃ９１］
前記命令が、
前記基地局から第２のＣＣ発見基準信号（ＤＲＳ）を受信することと、
前記第２のＣＣ  ＤＲＳに少なくとも部分的に基づいて前記基地局の前記第２のＣＣセルを捕捉することと
を行うために前記プロセッサによって実行可能である、Ｃ９０に記載の装置。
［Ｃ９２］
前記基地局が第１のＣＣ通信をサポートすると決定するために前記プロセッサによって実行可能な前記命令は、
前記第２のＣＣ  ＤＲＳ中で前記基地局が第１のＣＣ通信をサポートするというインジケーションを受信する
ために前記プロセッサによって実行可能である、Ｃ９１に記載の装置。
［Ｃ９３］
前記命令が、
前記第２のＣＣ  ＤＲＳを受信する間に第２のＣＣの直交周波数分割多重化（ＯＦＤＭ）ヌメロロジーを使用することと、
第１のＣＣ通信を使用して前記基地局と通信する間に第１のＣＣのＯＦＤＭヌメロロジーを使用することと
を行うために前記プロセッサによって実行可能である、Ｃ９１に記載の装置。
［Ｃ９４］
ワイヤレス通信のためのコンピュータ実行可能コードを記憶する非一時的コンピュータ可読媒体であって、前記コードは、
基地局の第２のコンポーネントキャリア（ＣＣ）セルを捕捉することと、
前記第２のＣＣセルを捕捉することの後に前記基地局が第１のＣＣ通信をサポートすると決定することと、
前記基地局が第１のＣＣ通信をサポートすると決定することに伴って、第１のＣＣ通信を使用して前記基地局と通信することと
を行うためにプロセッサによって実行可能である、非一時的コンピュータ可読媒体。
【図１】
0006580711.tif 000002
【図２】
0006580711.tif 000003
【図３】
0006580711.tif 000004
【図４】
0006580711.tif 000005
【図５Ａ】
0006580711.tif 000006
【図５Ｂ】
0006580711.tif 000007
【図６】
0006580711.tif 000008
【図７】
0006580711.tif 000009
【図８】
0006580711.tif 000010
【図９】
0006580711.tif 000011
【図１０】
0006580711.tif 000012
【図１１】
0006580711.tif 000013
【図１２】
0006580711.tif 000014
【図１３】
0006580711.tif 000015
【図１４】
0006580711.tif 000016
【図１５】
0006580711.tif 000017
【図１６】
0006580711.tif 000018
【図１７】
0006580711.tif 000019
【図１８】
0006580711.tif 000020
【図１９】
0006580711.tif 000021
【図２０】
0006580711.tif 000022
【図２１】
0006580711.tif 000023
【図２２】
0006580711.tif 000024
【図２３】
0006580711.tif 000025